(57)【要約】  少なくとも１つのガス送達管を含む位置決めおよび安定化構造であって、少なくとも１つのガス送達管は、患者頭部の上方の接続ポートから空気流れを受容し、空気流れを患者の気道の入口へシール形成構造を介して送達させ、少なくとも１つのガス送達管は、延長可能な蛇腹構造を有する管壁を含み、延長可能な蛇腹構造は、複数の折り目を管壁内に含んで複数の隆起部および複数の溝部を交互に形成し、折り目は、少なくとも部分的に展開可能であるため、隆起部の分離を増大させて、延長可能な蛇腹構造を細長形状にすることができる、少なくとも１つのガス送達管と；管壁へ設けられた１つ以上の隆起部接続部であって、１つ以上の隆起部接続部はそれぞれ、複数の隆起部の２つ以上の隣接する隆起部を接続させ、隆起部の分離に耐えるように構成される、１つ以上の隆起部接続部とを含む、位置決めおよび安定化構造。
2021525623.tif 000002
【特許請求の範囲】
【請求項１】
患者インターフェースであって：
周囲空気圧力を超える少なくとも６ｃｍＨ２Ｏの治療圧力へ加圧可能であるプレナムチャンバであって、前記プレナムチャンバは、治療圧力における空気流れを患者の呼吸のために受容するようなサイズおよび構造にされたプレナムチャンバ入口ポートを含む、プレナムチャンバと；
使用時において前記患者の呼吸サイクル全体において空気流れを周囲空気圧力を超える少なくとも６ｃｍＨ２Ｏの治療圧力において密閉送達するために、患者の気道への入口を包囲する患者の面の領域に対してシールを形成するように構築および配置されたシール形成構造であって、前記シール形成構造は、その中に穴を有し、これにより、上記治療圧力における空気流れが少なくとも患者の鼻孔への入口に送達され、シール形成構造は、使用時において患者の呼吸サイクル全体において上記治療圧力をプレナムチャンバ内に維持するように構築および配置される、シール形成構造と；
前記シール形成構造を患者頭部上の治療的に有効な位置に保持するための力を提供する位置決めおよび安定化構造であって：
患者頭部上の接続ポートから空気流れを受容し、空気流れをシール形成構造を介して患者の気道の入口へ送達させるための少なくとも１つのガス送達管であって、前記少なくとも１つのガス送達管は、使用時に患者頭部の上耳底点の上方の患者頭部の少なくとも一領域と接触するように構築および配置される、少なくとも１つのガス送達管を含み、前記少なくとも１つのガス送達管は：
使用時に患者頭部の上領域に載置されるように構成された上側管部であって、前記上側管部は：
使用時に患者頭部の矢状面またはその近隣において患者頭部の上部に載置されるように構成された第１の端部と；
使用時に患者頭部の側部に載置されるように構成された第２の端部と；
前記第１の端部と前記第２の端部との間の硬質部であって、前記硬質部は、使用時における前記第１の端部と前記第２の端部との間の相対運動に対して上および／または下方向においてよりも前および／または後方向においてより高い抵抗を提供するように構成される、硬質部とを含む、上側管部；および
前記上側管部の第２の端部と前記シール形成構造との間に接続される下側管部を含む、
ガス送達管を含む、
位置決めおよび安定化構造と、
前記患者が呼気したガスが連続的に前記プレナムチャンバ内部から周囲へ連続的に流れることを可能にする通気構造であって、前記通気構造は、使用時に前記プレナムチャンバ内の前記治療圧力を維持するようなサイズおよび形状にされる、通気構造と、
を含み、
前記患者インターフェースは、前記プレナムチャンバ入口ポートを通じた加圧空気流れが無い場合に前記患者が自身の口腔を通じて雰囲気から呼吸することを可能にするように構成されるか、あるいは、前記患者インターフェースは、前記患者の口腔を露出させたままにするように構成される、患者インターフェース。
【請求項２】
各上側管部は、２つの硬質部を含む、請求項１に記載の患者インターフェース。
【請求項３】
前記硬質部は、使用時に前方に来るように構成された前記上側管部の側部および使用時に後方に来るように構成された前記上側管部の側部の片方または双方に設けられる、請求項１または２に記載の患者インターフェース。
【請求項４】
前記上側管部は、延長可能部を含む、請求項１〜３のいずれか一項に記載の患者インターフェース。
【請求項５】
前記延長可能部は、前記ガス送達管の管壁内に形成された延長可能な蛇腹構造を含む、請求項４に記載の患者インターフェース。
【請求項６】
前記延長可能な蛇腹構造は、複数の折り目を前記管壁内に含んで、複数の隆起部および複数の溝部を交互に形成する、請求項５に記載の患者インターフェース。
【請求項７】
前記硬質部は、複数の接続部を前記管壁内に含み、前記複数の接続部それぞれにより、一対の隣接する隆起部を接続させる、請求項６に記載の患者インターフェース。
【請求項８】
前記硬質部は、前記上側管部と一体形成される、請求項１〜７のいずれか一項に記載の患者インターフェース。
【請求項９】
患者インターフェースであって：
周囲空気圧力を超える少なくとも６ｃｍＨ２Ｏの治療圧力へ加圧可能であるプレナムチャンバであって、前記プレナムチャンバは、治療圧力における空気流れを患者の呼吸のために受容するようなサイズおよび構造にされたプレナムチャンバ入口ポートを含む、プレナムチャンバと；
使用時において前記患者の呼吸サイクル全体において空気流れを周囲空気圧力を超える少なくとも６ｃｍＨ２Ｏの治療圧力において密閉送達するために、患者の気道への入口を包囲する患者の面の領域に対してシールを形成するように構築および配置されたシール形成構造であって、前記シール形成構造は、その中に穴を有し、これにより、上記治療圧力における空気流れが少なくとも患者の鼻孔への入口に送達され、シール形成構造は、使用時において患者の呼吸サイクル全体において上記治療圧力をプレナムチャンバ内に維持するように構築および配置される、シール形成構造と；
前記シール形成構造を患者頭部上の治療的に有効な位置に保持するための力を提供する位置決めおよび安定化構造であって：
患者頭部上の接続ポートから空気流れを受容し、空気流れをシール形成構造を介して患者の気道の入口へ送達させるための少なくとも１つのガス送達管であって、前記ガス送達管は、使用時に患者頭部の上耳底点の上方の患者頭部の少なくとも一領域と接触するように構築および配置される、少なくとも１つのガス送達管を含み、前記ガス送達管は：
内部から空気を前記シール形成構造へ流動させることが可能な中空内部を規定する管壁であって、前記管壁は、前記ガス送達管の長さを変化させるために伸長するように構成された延長可能部を有し、
前記延長可能部の引張り剛性は、０．２〜０．３５Ｎ／ｍｍの範囲内である、管壁を含む、
ガス送達管を含む、
位置決めおよび安定化構造と、
前記患者が呼気したガスが連続的に前記プレナムチャンバ内部から周囲へ連続的に流れることを可能にする通気構造であって、前記通気構造は、使用時に前記プレナムチャンバ内の前記治療圧力を維持するようなサイズおよび形状にされる、通気構造と、
を含み、
前記患者インターフェースは、前記プレナムチャンバ入口ポートを通じた加圧空気流れが無い場合に前記患者が自身の口腔を通じて雰囲気から呼吸することを可能にするように構成されるか、あるいは、前記患者インターフェースは、前記患者の口腔を露出させたままにするように構成される、患者インターフェース。
【請求項１０】
前記延長可能部の引張り剛性は、０．２５〜０．３Ｎ／ｍｍの範囲内になる、請求項９に記載の患者インターフェース。
【請求項１１】
一対のガス送達管は、使用中に患者に対向するように構成された一対の管の側の中心線に沿って測定される、５００〜５３５ｍｍの範囲内になる、組合せ未延伸長さを含む、請求項９または１０に記載の患者インターフェース。
【請求項１２】
前記組合せ未延伸長さは、５１０〜５２５ｍｍの範囲内になる、請求項１１に記載の患者インターフェース。
【請求項１３】
前記組合せ未延伸長さは、５１２〜５２２ｍｍの範囲内になる、請求項１１または１２に記載の患者インターフェース。
【請求項１４】
一対のガス送達管は、使用中に患者に対向するように構成された一対の管の側の中心線に沿って測定される、４６０〜５００ｍｍの範囲内になる、組合せ未延伸長さを含む、請求項９または１０に記載の患者インターフェース。
【請求項１５】
前記組合せ未延伸長さは、４７０〜４９０ｍｍの範囲内になる、請求項１４に記載の患者インターフェース。
【請求項１６】
前記組合せ未延伸長さは、４７５〜４８５ｍｍの範囲内になる、請求項１５に記載の患者インターフェース。
【請求項１７】
前記ガス送達管は、クッションモジュールと共に患者頭部周囲にループを形成し、前記ループは、前記ガス送達管の側部の中心線に沿って測定される未延伸長さと、使用時において患者に対向するように構成されたクッションモジュールとを有し、前記ループの未延伸長さは、５１０〜６１０ｍｍの範囲内である、請求項９に記載の患者インターフェース。
【請求項１８】
前記ループの未延伸長さは、５２８〜５４８ｍｍの範囲内になる、請求項１７に記載の患者インターフェース。
【請求項１９】
前記ループの未延伸長さは、５３５〜５４１ｍｍの範囲内になる、請求項１８に記載の患者インターフェース。
【請求項２０】
前記ループの未延伸長さは、５３４〜５５４ｍｍの範囲内になる、請求項１９に記載の患者インターフェース。
【請求項２１】
前記ループの未延伸長さは、５３９〜５４９ｍｍの範囲内になる、請求項２０に記載の患者インターフェース。
【請求項２２】
前記ループの未延伸長さは、５４１〜５６１ｍｍの範囲内になる、請求項１７に記載の患者インターフェース。
【請求項２３】
前記ループの未延伸長さは、５４６〜５５６ｍｍの範囲内になる、請求項２２に記載の患者インターフェース。
【請求項２４】
前記ループの未延伸長さは、５６４〜５８４ｍｍの範囲内になる、請求項１７に記載の患者インターフェース。
【請求項２５】
前記ループの未延伸長さは、５７１〜５８１ｍｍの範囲内になる、請求項２４に記載の患者インターフェース。
【請求項２６】
前記ループの未延伸長さは、５７７〜５９７ｍｍの範囲内になる、請求項１７に記載の患者インターフェース。
【請求項２７】
前記ループの未延伸長さは、５８２〜５９２ｍｍの範囲内になる、請求項２６に記載の患者インターフェース。
【請求項２８】
患者インターフェースであって：
周囲空気圧力を超える少なくとも６ｃｍＨ２Ｏの治療圧力へ加圧可能であるプレナムチャンバであって、前記プレナムチャンバは、治療圧力における空気流れを患者の呼吸のために受容するようなサイズおよび構造にされたプレナムチャンバ入口ポートを含む、プレナムチャンバと；
使用時において前記患者の呼吸サイクル全体において空気流れを周囲空気圧力を超える少なくとも６ｃｍＨ２Ｏの治療圧力において密閉送達するために、患者の気道への入口を包囲する患者の面の領域に対してシールを形成するように構築および配置されたシール形成構造であって、前記シール形成構造は、その中に穴を有し、これにより、上記治療圧力における空気流れが少なくとも患者の鼻孔への入口に送達され、シール形成構造は、使用時において患者の呼吸サイクル全体において上記治療圧力をプレナムチャンバ内に維持するように構築および配置される、シール形成構造と；
前記シール形成構造を患者頭部上の治療的に有効な位置に保持するための力を提供する位置決めおよび安定化構造であって：
患者頭部上の接続ポートから空気流れを受容し、空気流れをシール形成構造を介して患者の気道の入口へ送達させるための少なくとも１つのガス送達管を含み、前記ガス送達管は、使用時に患者頭部の上耳底点の上方の患者頭部の少なくとも一領域と接触するように構築および配置され、前記少なくとも１つのガス送達管は、延長可能な蛇腹構造を有する管壁を含み、前記延長可能な蛇腹構造は：
複数の隆起部および複数の溝部が交互に形成されている管壁内の複数の折り目であって、前記折り目は、少なくとも部分的に展開可能であるため、隆起部の分離を増大させて、延長可能な蛇腹構造を細長形状にすることができる、複数の折り目と、
管壁へ設けられた１つ以上の隆起部接続部であって、１つ以上の隆起部接続部それぞれは、複数の隆起部の２つ以上の隣接する隆起部を接続させ、隆起部の分離に耐えるように構成される、１つ以上の隆起部接続部と、を含む、延長可能な蛇腹構造を含む、
ガス送達管を含む、
位置決めおよび安定化構造と、
前記患者が呼気したガスが連続的に前記プレナムチャンバ内部から周囲へ連続的に流れることを可能にする通気構造であって、前記通気構造は、使用時に前記プレナムチャンバ内の前記治療圧力を維持するようなサイズおよび形状にされる、通気構造と、
を含み、
前記患者インターフェースは、前記プレナムチャンバ入口ポートを通じた加圧空気流れが無い場合に前記患者が自身の口腔を通じて雰囲気から呼吸することを可能にするように構成されるか、あるいは、前記患者インターフェースは、前記患者の口腔を露出させたままにするように構成される、患者インターフェース。
【請求項２９】
各一対の隣接する隆起部は、１つ以上の隆起部接続部の少なくとも１つの隆起部接続部によって接続される、請求項２８に記載の患者インターフェース。
【請求項３０】
一対以上の隣接する隆起部は、２つの隆起部接続部によって接続される、請求項２８または２９に記載の患者インターフェース。
【請求項３１】
各一対の隣接する隆起部は、２つの隆起部接続部によって接続される、請求項３０に記載の患者インターフェース。
【請求項３２】
前記隆起部接続部のうち１つ以上は、使用時に前方を向くように構成された前記ガス送達管の側部上に配置される、請求項２８〜３１のいずれか一項に記載の患者インターフェース。
【請求項３３】
前記隆起部接続部のうち１つ以上は、使用時に後方を向くように構成された前記ガス送達管の側部上に配置される、請求項２８〜３２のいずれか一項に記載の患者インターフェース。
【請求項３４】
前記隆起部接続部はそれぞれ、使用時に下方を向くように構成された前記ガス送達管の側部と、使用時に上方を向くように構成された前記ガス送達管の側部との間に中心において間隔を空けて配置される、請求項２８〜３３のいずれか一項に記載の患者インターフェース。
【請求項３５】
各一対の隣接する隆起部は、使用時に前方を向くように構成された前記ガス送達管の側部上に配置された前記隆起部接続部のうち１つによって接続される、請求項２８〜３４のいずれか一項に記載の患者インターフェース。
【請求項３６】
各一対の隣接する隆起部は、後方を向くように構成された前記ガス送達管の側部上に配置された前記隆起部接続部のうちの１つにより接続される、請求項２８〜３５のいずれか一項に記載の患者インターフェース。
【請求項３７】
前記ガス送達管は、外面を有する延長不可能部を含み、前記複数の溝部はそれぞれ、延長不可能部の外面に対する窪みとして形成される、請求項２８〜３６のいずれか一項に記載の患者インターフェース。
【請求項３８】
前記複数の溝部はそれぞれ、各一対の隆起部接続部間に配置され、一対の隆起部接続部の各隆起部接続部は、各溝部の各端部に配置される、請求項２８〜３７のいずれか一項に記載の患者インターフェース。
【請求項３９】
前記複数の溝部はそれぞれ、溝部深さを含み、複数の隆起部接続部はそれぞれ、隆起部接続部の高さを含み、各それぞれの溝部の溝部深さは、各溝部の端部に配置された各一対の隆起部接続部それぞれの隆起部接続部の高さに等しくなっている、請求項３８に記載の患者インターフェース。
【請求項４０】
各隆起部接続部は、管壁の一体形成された部位である、請求項２８〜３９のいずれか一項に記載の患者インターフェース。
【請求項４１】
前記複数の隆起部、前記複数の溝部および前記複数の隆起部接続部は、一体形成される、請求項４０に記載の患者インターフェース。
【請求項４２】
複数の隆起部はそれぞれ、前記各隆起部の中心の曲線状の隆起部位を含む、請求項２８〜４１のいずれか一項に記載の患者インターフェース。
【請求項４３】
前記複数の溝部はそれぞれ、各溝部の中心の曲線状の溝部位を含む、請求項４２に記載の患者インターフェース。
【請求項４４】
前記複数の隆起部はそれぞれ、各隆起部の反対端部に設けられた一対の直線状隆起部位を含む、請求項４２または４３に記載の患者インターフェース。
【請求項４５】
前記複数の隆起部接続部はそれぞれ、隆起部の直線状隆起部位において各隣接する対の隆起部へ接続している、請求項４４に記載の患者インターフェース。
【請求項４６】
前記延長可能な蛇腹構造における前記ガス送達管の断面は、幅および高さを有し、幅は、使用時において前方向−後方向において実質的に整列され、幅は、高さよりも大きくなっている、請求項２８〜４５のいずれか一項に記載の患者インターフェース。
【請求項４７】
前記位置決めおよび安定化構造は、接続ポートとシール形成構造との間に流体接続された２つのガス送達管を含み、各ガス送達管は、使用時に患者の頬領域のうち１つにおいて伸長し、２つのガス送達管は、患者頭部の異なる側部上に設けられる、請求項２８〜４６のいずれか一項に記載の患者インターフェース。
【請求項４８】
患者インターフェースであって：
周囲空気圧力を超える少なくとも６ｃｍＨ２Ｏの治療圧力へ加圧可能であるプレナムチャンバであって、前記プレナムチャンバは、治療圧力における空気流れを患者の呼吸のために受容するようなサイズおよび構造にされたプレナムチャンバ入口ポートを含む、プレナムチャンバと；
使用時において前記患者の呼吸サイクル全体において空気流れを周囲空気圧力を超える少なくとも６ｃｍＨ２Ｏの治療圧力において密閉送達するために、患者の気道への入口を包囲する患者の面の領域に対してシールを形成するように構築および配置されたシール形成構造であって、前記シール形成構造は、その中に穴を有し、これにより、上記治療圧力における空気流れが少なくとも患者の鼻孔への入口に送達され、シール形成構造は、使用時において患者の呼吸サイクル全体において上記治療圧力をプレナムチャンバ内に維持するように構築および配置される、シール形成構造と；
前記シール形成構造を患者頭部上の治療的に有効な位置に保持するための力を提供する位置決めおよび安定化構造であって：
患者頭部上の接続ポートから空気流れを受容し、空気流れをシール形成構造を介して患者の気道の入口へ送達させるための少なくとも１つのガス送達管を含み、前記ガス送達管は、使用時に患者頭部の上耳底点の上方の患者頭部の少なくとも一領域と接触するように構築および配置され、前記少なくとも１つのガス送達管は、中空内部を有しかつガス送達管の長さに沿って設けられた延長可能な蛇腹構造を有する管壁を含み、前記延長可能な蛇腹構造は：
前記ガス送達管の非患者接触側に沿った第１の交互の一連の隆起部および溝部と、前記ガス送達管の患者接触側に沿った第２の交互の一連の隆起部および溝部とが形成されている、前記管壁内の複数の折り目であって、
前記第１の交互の一連の隆起部および溝部の引張り剛性は、前記第２の交互の一連の隆起部および溝部よりも低くなっている、複数の折り目を含む、延長可能な蛇腹構造を含む、
ガス送達管を含む、
位置決めおよび安定化構造と、
前記患者が呼気したガスが連続的に前記プレナムチャンバ内部から周囲へ連続的に流れることを可能にする通気構造であって、前記通気構造は、使用時に前記プレナムチャンバ内の前記治療圧力を維持するようなサイズおよび形状にされる、通気構造と、
を含み、
前記患者インターフェースは、前記プレナムチャンバ入口ポートを通じた加圧空気流れが無い場合に前記患者が自身の口腔を通じて雰囲気から呼吸することを可能にするように構成されるか、あるいは、前記患者インターフェースは、前記患者の口腔を露出させたままにするように構成される、患者インターフェース。
【請求項４９】
前記複数の折り目により、ガス送達管の内部において内部隆起部および内部溝部が形成されて、第１の交互の一連の隆起部および溝部と、第２の交互の一連の隆起部および溝部とが形成される、請求項４８に記載の患者インターフェース。
【請求項５０】
前記第１の交互の一連のものの内部溝部はそれぞれ、前記第２の交互の一連のものの内部溝部のうち各１つの反対側において前記ガス送達管の内部にわたって設けられて、複数の対向する溝部対が形成され、各対向する溝部対は、
第１の内部溝部であって、第１の交互の一連のものの１つの内部溝部である、第１の内部溝部と、
第２の内部溝部であって、第２の交互の一連のものの１つの内部溝部である第２の内部溝部と、
を含み、
第１の内部溝部の溝部深さは、第２の内部溝部よりも大きくなっている、請求項４８に記載の患者インターフェース。
【請求項５１】
前記管壁において、各対向する溝部対の第２の内部溝部のベースにおける材料厚さは、各対向する溝部対の第１の内部溝部のベースにおける材料厚さよりも大きくなっている、請求項５０に記載の患者インターフェース。
【請求項５２】
前記第２の交互の一連のものの各内部溝部のベースにおける管壁の材料厚さは、前記ガス送達管の長さに沿って接続ポートに近接する第１の端部から第２の端部にかけて低減する、請求項５１に記載の患者インターフェース。
【請求項５３】
前記第１の交互の一連のものの各内部溝部のベースにおける管壁の材料厚さは、前記ガス送達管の長さに沿って実質的に一定である、請求項５１または５２に記載の患者インターフェース。
【請求項５４】
前記第１および第２の交互の一連の内部隆起部および内部溝部の内部溝部の溝部深さは、前記ガス送達管の長さに沿って接続ポートに隣接する第１の端部から第２の端部にかけて低減する、請求項５１〜５３のいずれか一項に記載の患者インターフェース。
【請求項５５】
前記各対向する溝部対の第１の内部溝部は、非患者接触側と患者接触側との間のガス送達管の側部において、各対向する溝部対の第２の内部溝部へ接合される、請求項５０〜５４のいずれか一項に記載の患者インターフェース。
【請求項５６】
患者インターフェースであって：
周囲空気圧力を超える少なくとも６ｃｍＨ２Ｏの治療圧力へ加圧可能であるプレナムチャンバであって、前記プレナムチャンバは、治療圧力における空気流れを患者の呼吸のために受容するようなサイズおよび構造にされたプレナムチャンバ入口ポートを含む、プレナムチャンバと；
使用時において前記患者の呼吸サイクル全体において空気流れを周囲空気圧力を超える少なくとも６ｃｍＨ２Ｏの治療圧力において密閉送達するために、患者の気道への入口を包囲する患者の面の領域に対してシールを形成するように構築および配置されたシール形成構造であって、前記シール形成構造は、その中に穴を有し、これにより、上記治療圧力における空気流れが少なくとも患者の鼻孔への入口に送達され、シール形成構造は、使用時において患者の呼吸サイクル全体において上記治療圧力をプレナムチャンバ内に維持するように構築および配置される、シール形成構造と；
前記シール形成構造を患者頭部上の治療的に有効な位置に保持するための力を提供する位置決めおよび安定化構造であって：
患者頭部上の接続ポートから空気流れを受容し、空気流れをシール形成構造を介して患者の気道の入口へ送達させるための一対のガス送達管であって、前記一対のガス送達管のそれぞれは、使用時に患者頭部の上耳底点の上方の患者頭部の少なくとも一領域と接触するように構築および配置される、一対のガス送達管を含み、それぞれのガス送達管は：
ガス送達管の長さに沿って中空内部を規定する管壁；
管壁へ接続されたタブであって、タブは、使用時に患者頭部の上耳底点の上方に配置されるように構成される、タブ；および
タブ中に形成されたスリットであって、スリットは、使用時において管壁から間隔を空けて後方に配置され、スリットは、上端および下端を含み、
前記スリットの上端は、前記スリットの下端よりも前記管壁からさらに間隔を空けて配置される、
ガス送達管と、
使用時において患者頭部の後頭骨の下側に配置されるかまたは患者頭部の後頭骨に配置される患者頭部の領域と接触するように構築および配置されるストラップであって、ストラップは、スリットへかつスリット間に接続されるように構成される、ストラップと、    を含む、
位置決めおよび安定化構造と、
前記患者が呼気したガスが連続的に前記プレナムチャンバ内部から周囲へ連続的に流れることを可能にする通気構造であって、前記通気構造は、使用時に前記プレナムチャンバ内の前記治療圧力を維持するようなサイズおよび形状にされる、通気構造と、
を含み、
前記患者インターフェースは、前記プレナムチャンバ入口ポートを通じた加圧空気流れが無い場合に前記患者が自身の口腔を通じて雰囲気から呼吸することを可能にするように構成されるか、あるいは、前記患者インターフェースは、前記患者の口腔を露出させたままにするように構成される、患者インターフェース。
【請求項５７】
各タブは、各管壁と共に一体形成される、請求項５６に記載の患者インターフェース。
【請求項５８】
各タブは、上縁および下縁を有し、上縁は、下縁よりも長尺である、請求項５６または５７に記載の患者インターフェース。
【請求項５９】
前記スリットの下端は、前記管壁から少なくとも５ｍｍだけ間隔を空けて配置される、請求項５６〜５８のいずれか一項に記載の患者インターフェース。
【請求項６０】
前記スリットの下端は、前記管壁から少なくとも７ｍｍだけ間隔を空けて配置される、請求項５９に記載の患者インターフェース。
【請求項６１】
前記スリットの下端は、前記管壁から少なくとも８ｍｍだけ間隔を空けて配置される、請求項６０に記載の患者インターフェース。
【請求項６２】
前記スリットの上端は、前記管壁から少なくとも８ｍｍだけ間隔を空けて配置される、請求項５６〜６１のいずれか一項に記載の患者インターフェース。
【請求項６３】
前記スリットの上端は、前記管壁から少なくとも１０ｍｍだけ間隔を空けて配置される、請求項６２に記載の患者インターフェース。
【請求項６４】
前記スリットの上端は、前記管壁から少なくとも１２ｍｍだけ間隔を空けて配置される、請求項６３に記載の患者インターフェース。
【請求項６５】
前記スリットに沿った中点は、前記管壁から５ｍｍ〜３０ｍｍの範囲の間隔だけ空けて配置される、請求項５６〜６４のいずれか一項に記載の患者インターフェース。
【請求項６６】
前記間隔は、７〜２０ｍｍの範囲内である、請求項６５に記載の患者インターフェース。
【請求項６７】
前記間隔は、８〜１５ｍｍの範囲内である、請求項６６に記載の患者インターフェース。
【請求項６８】
前記間隔は、９〜１１ｍｍの範囲内である、請求項６７に記載の患者インターフェース。
【請求項６９】
前記各ガス送達管は、使用時において各ガス送達管のタブの上方に配置される延長可能な管部と、使用時において各ガス送達管のタブの下方に配置される延長不可能な管部とを含む、請求項５６〜６８のいずれか一項に記載の患者インターフェース。
【請求項７０】
前記各タブは、前記延長不可能な管部において前記各ガス送達管の管壁へ接合される、請求項６９に記載の患者インターフェース。
【請求項７１】
前記各スリットは、上端と下端との間において弓状である、請求項５６〜７０のいずれか一項に記載の患者インターフェース。
【請求項７２】
前記各スリットは、ストラップが患者頭部周囲においてアンカー固定されたストラップアンカー領域のスリットからの方向に対して垂直に方向付けられる、請求項５６〜７１のいずれか一項に記載の患者インターフェース。
【請求項７３】
患者インターフェースであって：
周囲空気圧力を超える少なくとも６ｃｍＨ２Ｏの治療圧力へ加圧可能であるプレナムチャンバであって、前記プレナムチャンバは、治療圧力における空気流れを患者の呼吸のために受容するようなサイズおよび構造にされたプレナムチャンバ入口ポートを含む、プレナムチャンバと；
使用時において前記患者の呼吸サイクル全体において空気流れを周囲空気圧力を超える少なくとも６ｃｍＨ２Ｏの治療圧力において密閉送達するために、患者の気道への入口を包囲する患者の面の領域に対してシールを形成するように構築および配置されたシール形成構造であって、前記シール形成構造は、その中に穴を有し、これにより、上記治療圧力における空気流れが少なくとも患者の鼻孔への入口に送達され、シール形成構造は、使用時において患者の呼吸サイクル全体において上記治療圧力をプレナムチャンバ内に維持するように構築および配置される、シール形成構造と；
前記シール形成構造を患者頭部上の治療的に有効な位置に保持するための力を提供する位置決めおよび安定化構造であって：
患者頭部上の接続ポートから空気流れを受容し、空気流れをシール形成構造を介して患者の気道の入口へ送達させるための一対のガス送達管であって、前記一対のガス送達管のそれぞれは、使用時に患者頭部の上耳底点の上方の患者頭部の少なくとも一領域と接触するように構築および配置される、一対のガス送達管を含み、それぞれのガス送達管は：
使用時において、患者頭部の上部からシール形成構造へ患者の眼および耳間において延びる経路に沿って患者頭部上に配置されるように構成された管壁；
管壁へ接続されたタブであって、タブは、使用時に患者頭部の上耳底点の上方に配置されるように構成される、タブ；および
前記タブ中に形成されかつ使用時において前記管壁の経路のスリット隣接部から後方に間隔を空けて配置されるスリットであって、
前記スリットは、使用時において後上方−前下方方位を有し、前記スリット隣接部において前記管壁の経路の接線と共に斜角を形成する、スリットを含む、
ガス送達管と、
使用時において患者頭部の後頭骨の下側に配置されるかまたは患者頭部の後頭骨に配置される患者頭部の領域と接触するように構築および配置されるストラップであって、ストラップは、スリットへかつスリット間に接続されるように構成される、ストラップと、    を含む、
位置決めおよび安定化構造と、
前記患者が呼気したガスが連続的に前記プレナムチャンバ内部から周囲へ連続的に流れることを可能にする通気構造であって、前記通気構造は、使用時に前記プレナムチャンバ内の前記治療圧力を維持するようなサイズおよび形状にされる、通気構造と、
を含み、
前記患者インターフェースは、前記プレナムチャンバ入口ポートを通じた加圧空気流れが無い場合に前記患者が自身の口腔を通じて雰囲気から呼吸することを可能にするように構成されるか、あるいは、前記患者インターフェースは、前記患者の口腔を露出させたままにするように構成される、患者インターフェース。
【請求項７４】
各タブは、各管壁と共に一体形成される、請求項７３に記載の患者インターフェース。
【請求項７５】
各タブは、使用時に上縁および下縁を有し、上縁は、下縁よりも長尺である、請求項７３または７４に記載の患者インターフェース。
【請求項７６】
前記各ガス送達管は、使用時において各ガス送達管のタブの上方にある延長可能な管部と、使用時において各ガス送達管のタブの下方にある延長不可能な管部とを含む、請求項７３〜７５のいずれか一項に記載の患者インターフェース。
【請求項７７】
前記各タブは、延長不可能な管部において前記各ガス送達管の管壁へ接続される、請求項７３〜７６のいずれか一項に記載の患者インターフェース。
【請求項７８】
前記各スリットは、スリットの上端と下端との間において弓状である、請求項７３〜７７のいずれか一項に記載の患者インターフェース。
【請求項７９】
前記スリットの下端は、前記管壁から少なくとも５ｍｍだけ間隔を空けて配置される、請求項７３〜７８のいずれか一項に記載の患者インターフェース。
【請求項８０】
前記スリットの下端は、前記管壁から少なくとも７ｍｍだけ間隔を空けて配置される、請求項７９に記載の患者インターフェース。
【請求項８１】
前記スリットの下端は、前記管壁から少なくとも８ｍｍだけ間隔を空けて配置される、請求項８０に記載の患者インターフェース。
【請求項８２】
前記スリットの上端は、前記管壁から少なくとも８ｍｍだけ間隔を空けて配置される、請求項７３〜８１のいずれか一項に記載の患者インターフェース。
【請求項８３】
前記スリットの上端は、前記管壁から少なくとも１０ｍｍだけ間隔を空けて配置される、請求項８２に記載の患者インターフェース。
【請求項８４】
前記スリットの上端は、前記管壁から少なくとも１２ｍｍだけ間隔を空けて配置される、請求項８８に記載の患者インターフェース。
【請求項８５】
前記斜角は、１０〜２０度の範囲内である、請求項７３〜８４のいずれか一項に記載の患者インターフェース。
【請求項８６】
前記斜角は、１２〜１８度の範囲内である、請求項８５に記載の患者インターフェース。
【請求項８７】
前記各スリットは、ストラップが患者頭部周囲においてアンカー固定されたストラップアンカー領域のスリットからの方向に対して垂直に方向付けられる、請求項７３〜８６のいずれか一項に記載の患者インターフェース。
【請求項８８】
患者インターフェースであって：
周囲空気圧力を超える少なくとも６ｃｍＨ２Ｏの治療圧力へ加圧可能であるプレナムチャンバであって、前記プレナムチャンバは、治療圧力における空気流れを患者の呼吸のために受容するようなサイズおよび構造にされたプレナムチャンバ入口ポートを含む、プレナムチャンバと；
使用時において前記患者の呼吸サイクル全体において空気流れを周囲空気圧力を超える少なくとも６ｃｍＨ２Ｏの治療圧力において密閉送達するために、患者の気道への入口を包囲する患者の面の領域に対してシールを形成するように構築および配置されたシール形成構造であって、前記シール形成構造は、その中に穴を有し、これにより、上記治療圧力における空気流れが少なくとも患者の鼻孔への入口に送達され、シール形成構造は、使用時において患者の呼吸サイクル全体において上記治療圧力をプレナムチャンバ内に維持するように構築および配置される、シール形成構造と；
前記シール形成構造を患者頭部上の治療的に有効な位置に保持するための力を提供する位置決めおよび安定化構造であって：
患者頭部上の接続ポートから空気流れを受容し、空気流れをシール形成構造を介して患者の気道の入口へ送達させるための一対のガス送達管であって、前記一対のガス送達管のそれぞれは、使用時に患者頭部の上耳底点の上方の患者頭部の少なくとも一領域と接触するように構築および配置される、一対のガス送達管を含み、それぞれのガス送達管は：
患者頭部の上部からシール形成構造にかけて患者の眼と耳との間に延びて患者頭部上に載置されるように構成された管壁；
管壁へ接続されたタブであって、使用時において患者頭部の上耳底点の上方に配置される、タブ；
前記タブ中に形成されかつ使用時において前記管壁の後方に配置されるアイレット；および
前記タブ内に形成されかつアイレットの後方に配置されるトラフを含む、
ガス送達管と、
使用時において前記患者頭部の後頭骨の下側に配置されるかまたは前記患者頭部の後頭骨に配置される前記患者頭部の領域と接触するように構築および配置されたストラップであって、前記ストラップは、前記一対のガス送達管のアイレットへ接続し、前記一対のガス送達管のアイレット間に接続することと、使用時において前記タブ中に形成される前記トラフ内に配置されることとを行うように構成される、ストラップと、
を含む、
位置決めおよび安定化構造と、
前記患者が呼気したガスが連続的にプレナムチャンバ内部から周囲へ連続的に流れることを可能にする通気構造であって、前記通気構造は、使用時に前記プレナムチャンバ内の前記治療圧力を維持するようなサイズおよび形状にされる、通気構造と、を含み、
前記患者インターフェースは、前記プレナムチャンバ入口ポートを通じた加圧空気流れが無い場合に前記患者が自身の口腔を通じて雰囲気から呼吸することを可能にするように構成されるか、あるいは、前記患者インターフェースは、前記患者の口腔を露出させたままにするように構成される、患者インターフェース。
【請求項８９】
前記トラフは、前記タブ中において前記アイレットと前記タブの後側との間に形成される、請求項８８に記載の患者インターフェース。
【請求項９０】
前記タブは、外方を向く表面を含み、前記トラフは、外方を向く表面に対する窪みとして形成される実質的に平面状表面を含む、請求項８８または８９に記載の患者インターフェース。
【請求項９１】
前記トラフは、前記タブの他の部位と比較して材料厚さが小さなタブの一部により形成される、請求項８８〜９０のいずれか一項に記載の患者インターフェース。
【請求項９２】
前記トラフは、前記ストラップの幅とほぼ等しい長さを含む、請求項８８〜９１のいずれか一項に記載の患者インターフェース。
【請求項９３】
前記アイレットは、スリットの形態をとる、請求項８８〜９２のいずれか一項に記載の患者インターフェース。
【発明の詳細な説明】
【技術分野】
【０００１】
１  関連出願の相互参照
本出願は、２０１８年８月２０日に出願されたオーストラリア国仮出願番号６２／７６４，９９５の利益をクレームするもので、その内容を参照により本明細書に包含する。
【０００２】
本特許文書の開示の一部は、著作権保護が与えられる内容を含む。著作権所有者は、何者かが本特許文書または本特許開示をファックスにより再生しても、特許庁の特許ファイルまたは記録に記載されるものであれば目的のものであれば異論は無いが、その他の目的については全ての著作権を保持する。
【背景技術】
【０００３】
２  技術の背景
２．１  技術の分野
本技術は、呼吸関連疾患のスクリーニング、診断、監視、治療、予防および改善のうち１つ以上に関する。本技術はまた、医療デバイスまたは装置と、その使用とに関する。
【０００４】
２．２  関連技術の説明
２．２．１  ヒトの呼吸器系およびその疾患
身体の呼吸器系は、ガス交換を促進させる。鼻および口腔は、患者の気道への入口を形成する。
【０００５】
これらの気道は、一連の分岐する管を含み、これらの管は、肺の奥深くに進むほど狭く、短くかつ多数になる。肺の主要な機能はガス交換であり、空気から酸素を静脈血中へ取り入れさせ、二酸化炭素を退出させる。気管は、右および左の主気管支に分かれ、これらの主気管支はさらに分かれて、最終的に終末細気管支となる。気管支は、伝導のための気道を構成するものであり、ガス交換には関与しない。気道がさらに分割されると呼吸細気管支となり、最終的には肺胞となる。肺の肺胞領域においてガス交換が行われ、この領域を呼吸領域と呼ぶ。以下を参照されたい：「Ｒｅｓｐｉｒａｔｏｒｙ  Ｐｈｙｓｉｏｌｏｇｙ」，  ｂｙ  Ｊｏｈｎ  Ｂ．  Ｗｅｓｔ，  Ｌｉｐｐｉｎｃｏｔｔ  Ｗｉｌｌｉａｍｓ  ＆  Ｗｉｌｋｉｎｓ，  ９ｔｈ  ｅｄｉｔｉｏｎ  ｐｕｂｌｉｓｈｅｄ  ２０１２。
【０００６】
一定範囲の呼吸器疾患が存在している。特定の疾患は、特定の発症（例えば、無呼吸、呼吸低下および過呼吸）によって特徴付けられ得る。
【０００７】
呼吸器疾患の例には、閉塞性睡眠時無呼吸（ＯＳＡ）、チェーン・ストークス呼吸（ＣＳＲ）、呼吸不全、肥満過換気症候群（ＯＨＳ）、慢性閉塞性肺疾患（ＣＯＰＤ）、神経筋疾患（ＮＭＤ）および胸壁疾患が含まれる。
【０００８】
閉塞性睡眠時無呼吸（ＯＳＡ）は、睡眠呼吸障害（ＳＤＢ）の１つの形態であり、睡眠時の上通気道の閉鎖または閉塞などの発症によって特徴付けられる。これは異常に小さい上気道と、舌の領域の筋緊張の通常の喪失、睡眠時の軟口蓋および後口咽頭壁の正常損失の組み合わせの結果である。このような状態に起因して、罹患患者の呼吸停止が典型的には３０〜１２０秒にわたり、ときには一晩に２００〜３００回も呼吸が停止する。その結果、日中の眠気が過度になり、心血管疾患および脳損傷の原因になり得る。この症候は一般的な疾患であり、特に中年の過体重の男性に多いが、患者に自覚症状は無い。特許文献１（Ｓｕｌｌｉｖａｎ）を参照されたい。
【０００９】
チェーン・ストークス呼吸（ＣＳＲ）は、別の形態の睡眠呼吸障害である。ＣＳＲは、患者の呼吸調節器の疾患であり、ＣＳＲサイクルとして知られる換気の漸増および漸減が交互に周期的に続く。ＣＳＲは、動脈血の脱酸素および再曝気の繰り返しによって特徴付けられる。反復低酸素症のため、ＣＳＲは有害であり得る。患者によっては、ＣＣＲは、重症不眠、交感神経活動の増加、および後負荷の増加の原因となる、反復性睡眠覚醒を随伴する。特許文献２（Ｂｅｒｔｈｏｎ−Ｊｏｎｅｓ）を参照されたい。
【００１０】
呼吸不全とは、呼吸器障害の総称であり、患者の需要を満たすための充分な酸素吸気または充分なＣＯ２呼気を肺が行うことができていないことを指す。呼吸不全は、以下の疾患のうちいくつかまたは全てを包含し得る。
【００１１】
呼吸不全（一種の呼吸不全）の患者は、運動時に異常な息切れを経験することがある。
【００１２】
肥満過換気症候群（ＯＨＳ）は、低換気の原因が他に明確に無い状態における、重症肥満および覚醒時慢性高炭酸ガス血症の組み合わせとして定義される。症状には、呼吸困難、起床時の頭痛と過剰な日中の眠気が含まれる。
【００１３】
慢性閉塞性肺疾患（ＣＯＰＤ）は、特定の共通する特性を有する下気道疾患のグループのうちのいずれも包含する。これには空気の動きに対する抵抗の増加、呼吸の呼気相の延長および肺における正常な弾性の減少が含まれる。ＣＯＰＤの例として、気腫および慢性気管支炎がある。ＣＯＰＤの原因としては、慢性喫煙（第一危険因子）、職業被ばく、空気汚染および遺伝因子がある。症状を挙げると、労作時の呼吸困難、慢性咳および痰生成がある。
【００１４】
神経筋疾患（ＮＭＤ）は、内在筋病理を直接介してまたは神経病理を間接的に介して筋肉機能を損なう多数の疾病および病気を包含する広範な用語である。ＮＭＤ患者の中には、進行性の筋肉障害によって特徴付けられる者もあり、結果的に歩行不可能、車椅子への束縛、嚥下困難、呼吸筋力低下に繋がり、最終的には呼吸不全による死亡に繋がる。神経筋肉障害は、以下の急速進行性と緩徐進行性とに区分され得る：（ｉ）急速進行性障害：数ヶ月かけて悪化する筋肉障害によって特徴付けられ、数年内に死亡に繋がる（例えば、ティーンエージャーにおける筋萎縮性側索硬化症（ＡＬＳ）およびデュシェンヌ筋ジストロフィー（ＤＭＤ））；（ｉｉ）可変性または緩徐進行性障害：数年かけて悪化する筋肉障害によって特徴付けられ、平均余命が若干低減するだけである（例えば、肢帯、顔面肩甲上腕型および筋強直性筋ジストロフィー）。ＮＭＤにおける呼吸不全症状を以下に挙げる：全身衰弱の増加、嚥下障害、労作および安静時の呼吸困難、疲労、眠気、起床時の頭痛、および集中および気分の変化の困難。
【００１５】
胸壁障害は、胸郭変形の１つのグループであり、呼吸筋肉と胸郭との間の連結の無効性の原因となる。これらの障害は、拘束性障害によって主に特徴付けられ、長期の炭酸過剰性呼吸不全の可能性を共有する。脊柱側弯症および／または脊柱後側弯症は、重篤な呼吸不全を発症することがある。呼吸不全の症状を以下に挙げる：労作時の呼吸困難、末梢浮腫、起座呼吸、反復性胸部感染症、起床時の頭痛、疲労、睡眠の質の低下、および食欲不振。
【００１６】
このような状態を治療または改善するために、一定範囲の治療が用いられている。さらに、その他の点では健常人も、呼吸器疾患の予防治療を有利に利用することができる。しかし、これらにおいては、複数の欠陥がある。
【００１７】
２．２．２  治療法
多様な療法（例えば、持続的気道陽圧（ＣＰＡＰ）治療法、非侵襲的換気（ＮＩＶ）および侵襲的換気（ＩＶ））が上記の呼吸器疾患の１つ以上の治療のために用いられている。
【００１８】
持続的気道陽圧（ＣＰＡＰ）療法が、閉塞性睡眠時無呼吸（ＯＳＡ）の治療において用いられている。その作用機構としては、例えば軟口蓋および舌を押して後口咽頭壁へ前進または後退させることにより、持続陽圧呼吸療法が空気スプリントとして機能し、これにより上気道の閉鎖を防止し得る。ＣＰＡＰ治療によるＯＳＡの治療は自発的なものであり得るため、このような患者が治療の提供に用いられるデバイスについて以下のうち１つ以上に気づいた場合、患者が治療を遵守しないことを選択する可能性がある：不快、使用困難、高価、美観的な魅力の無さ。
【００１９】
非侵襲的換気（ＮＩＶ）は、換気補助を上気道を通じて患者へ提供して、呼吸機能の一部または全体を行うことにより患者の呼吸の補助および／または身体中の適切な酸素レベルの維持を提供する。換気補助が、非侵襲的患者インターフェースを介して提供される。ＮＩＶは、ＯＨＳ、ＣＯＰＤ、ＮＭＤ、および胸壁障害などの形態のＣＳＲおよび呼吸不全の治療に用いられている。いくつかの形態において、これらの治療の快適性および有効性が向上し得る。
【００２０】
侵襲的換気（ＩＶ）は、自身で有効に呼吸することができなくなった患者に対して換気補助を提供し、気管切開管を用いて提供され得る。いくつかの形態において、これらの治療の快適性および有効性が向上し得る。
【００２１】
２．２．３  治療システム
これらの治療は、治療システムまたはデバイスによって提供され得る。このようなシステムおよびデバイスは、疾患を治療することなくスクリーニング、診断、または監視するためにも、用いられ得る。
【００２２】
治療システムは、呼吸圧力治療デバイス（ＲＰＴデバイス）、空気回路、加湿器、患者インターフェース、およびデータ管理を含み得る。
【００２３】
別の形態の治療システムとして、下顎再位置決めデバイスがある。
【００２４】
２．２．３．１  患者インターフェース
患者インターフェースは、例えば気道入口への空気流れを提供することにより呼吸装具へのインターフェースを装着者へ提供するために、用いられ得る。空気流れは、鼻および／または口腔へのマスク、口腔への管、または患者気管への気管切開管を介して提供され得る。適用される療法に応じて、患者インターフェースは、例えば患者の顔の領域との密閉部を形成し得、これにより、療法実行のための雰囲気圧力と共に充分な分散の圧力において（例えば、例えば雰囲気圧力に対して約１０ｃｍＨ２Ｏの陽圧において）ガス送達を促進する。酸素送達などの他の治療形態において、患者インターフェースは、約１０ｃｍＨ２Ｏの陽圧において気道へのガス供給の送達を促進するのに充分な密閉を含まない場合がある。
【００２５】
特定の他のマスクシステムは、本分野において機能的に不適切であり得る。例えば、純然たる装飾目的のマスクの場合、適切な圧力を維持することができない場合がある。水中水泳またはダイビングに用いられるマスクシステムは、外部からのより高い圧力からの水侵入から保護することと、周囲よりも高い圧力において内部の空気を維持しないこととを行うように、構成され得る。
【００２６】
特定のマスクは、本技術において臨床的に好ましく無い場合があり得る（例えば、マスクが鼻を介して気流を遮断し、口を介した気流のみを通過させる場合）。
【００２７】
特定のマスクにおいて、患者がマスク構造の一部を口に挿入し、唇を介して密閉状態を生成および維持しなければならない場合、本技術において不快であるかまたは非実際的である場合がある。
【００２８】
特定のマスクは、睡眠時（例えば、横向きにベッドに寝て枕の上に頭を置いた状態で睡眠する場合）における使用においては非実際的である場合がある。
【００２９】
患者インターフェースの設計においては、複数の課題がある。顔は、複雑な三次元形状を有する。鼻および頭のサイズおよび形状は、個人によって大きく異なる。頭部には骨、軟骨および軟組織が含まれるため、顔の異なる領域は、機械的力に対して異なる反応を示す。すなわち、顎部または下顎は、頭蓋骨の他の骨に相対して動き得る。頭部全体は、呼吸治療期間を通じて動き得る。
【００３０】
これらの課題に起因して、いくつかのマスクの場合、特に装着時間が長い場合または患者がシステムに不慣れである場合、押しつけがましい、美観的に望ましくない、コストが高い、フィット感が悪い、使用が困難、および不快感があるなどの理由のうち１つ以上がある。誤ったサイズのマスクが用いられた場合、コンプライアンスの低下、快適性の低下および患者予後の低下に繋がり得る。飛行士専用のマスク、個人用保護装具（例えば、フィルターマスク）、ＳＣＵＢＡマスクの一部として設計されたマスク、または麻酔投与用マスクは、その元々の用途には耐えられるものの、このようなマスクの場合、長時間（例えば、数時間）にわたって装着するには望ましくないほど不快な場合がある。このような不快感に起因して、治療に対する患者のコンプライアンスが低下する可能性がある。これは、マスクを睡眠時に装着する必要がある場合、特に当てはまる。
【００３１】
ＣＰＡＰ治療は、患者が治療を承諾している場合、特定の呼吸疾患の治療においては極めて効果的である。マスクが不快である場合または使用が難しい場合、患者は、治療を承諾しない場合がある。患者はマスクを定期的に洗浄するよう推奨されることが多いため、マスクの清浄が難しい（例えば、組立または分解が困難である場合）、患者は、マスクを清浄することができず、患者のコンプライアンスに影響が出る場合がある。
【００３２】
他の用途（例えば、飛行士）用のマスクの場合、睡眠呼吸障害の治療の使用には不適である場合があるため、睡眠呼吸障害の治療の使用のために設計されたマスクは、他の用途に適している場合がある。
【００３３】
これらの理由のめ、睡眠時のＣＰＡＰ送達のための患者インターフェースは、明瞭な分野を形成する。
【００３４】
２．２．３．１．１  シール形成構造
患者インターフェースはシール形成構造を含み得る。患者インターフェースは、患者の顔と直接接触するため、シール形成構造の形状および構成は、患者インターフェースの有効性および快適性に直接影響を持ち得る。
【００３５】
患者インターフェースは、使用時にシール形成構造を顔と係合させる場所の設計意図に従って、部分的に特徴付けられ得る。患者インターフェースの一形態において、シール形成構造は、左鼻孔の周囲にシールを形成するための第１のサブ部分と、右鼻孔の周囲にシールを形成するための第２のサブ部分とを含み得る。患者インターフェースの一形態において、シール形成構造は、使用時において双方の鼻孔を包囲する単一の要素を含み得る。このような単一の要素は、例えば顔の上唇領域および鼻ブリッジ領域上に載置されるように、設計され得る。患者インターフェースの一形態において、シール形成構造は、使用時に例えば顔の下唇領域上にシールを形成することにより口領域を包囲する要素を含み得る。患者インターフェースの一形態において、シール形成構造は、使用時に双方の鼻孔および口領域を包囲する単一の要素を含み得る。これらの異なる種類の患者インターフェースは、その製造業者によって鼻マスク、フルフェイスマスク、鼻枕、鼻パフおよび口鼻マスクなどの多様な名称によって公知であり得る。
【００３６】
患者の顔の一領域において有効であり得るシール形成構造は、例えば患者の顔の異なる形状、構造、変化性および感受性領域に起因して、別の領域において不適切であり得る。例えば、患者の前額上に載置される水泳用ゴーグルの密閉部は、患者の鼻上における使用には不適切である場合がある。
【００３７】
特定のシール形成構造は、広範囲の異なる顔形状およびサイズに対して１つの設計が適合し、快適でありかつ有効になるように、大量製造用に設計され得る。密閉部を形成するためには、患者の顔の形状と、大量製造された患者インターフェースのシール形成構造との間の不整合がある範囲まで、一方または双方を適合させる必要がある。
【００３８】
１つの種類のシール形成構造は、患者インターフェースの周囲を包囲して延び、シール形成構造が患者の顔に対向して係合している状態で力が患者インターフェースへ付加された際、患者の顔を密閉することを意図する。このシール形成構造は、空気または流体充填クッションを含み得るか、または、ゴムなどのエラストマーによって構成された弾力性のある密閉要素の成形されたかまたは形成された表面を含み得る。この種のシール形成構造により、フィット感が不適切である場合、シール形成構造と顔との間に隙間が発生し、密閉を達成するには、患者インターフェースを顔に押しつけるためにさらなる力が必要になる。
【００３９】
別の種類のシール形成構造は、陽圧がマスク内に付加された際に患者の顔に対して自己気密作用を提供するように、マスクの周囲の周辺に配置された薄材のフラップシールを使用する。先述の種類のシール形成部分と同様に、顔とマスクとの間の整合が良くない場合、密閉を達成するために必要なさらなる力が必要になり得るか、またはマスクから漏洩が発生し得る。さらに、シール形成構造の形状が患者の形状と整合しない場合、使用時においてシール形成部分に折り目または座屈が発生し、漏洩の原因になる。
【００４０】
別の種類のシール形成構造は、例えば鼻孔中へ挿入される摩擦嵌め要素を含み得るが、これらのシール形成部分を不快であると感じる患者も存在する。
【００４１】
別の形態のシール形成構造は、密閉を達成するために接着部を用い得る。患者の中には、常に接着部を自身の顔に貼り付けるかまたは取り外すことが不便であると感じる患者もいる。
【００４２】
一定範囲の患者インターフェースシール形成構造の技術について、（ＲｅｓＭｅｄ  Ｌｉｍｉｔｅｄへ譲渡された以下の特許出願：特許文献３；特許文献４；特許文献５）に開示がある。
【００４３】
鼻枕の一形態が、Ｐｕｒｉｔａｎ  Ｂｅｎｎｅｔｔによって製造されたＡｄａｍ回路において見受けられる。別の鼻枕または鼻パフが、Ｐｕｒｉｔａｎ−Ｂｅｎｎｅｔｔ  Ｃｏｒｐｏｒａｔｉｏｎへ譲渡された特許文献６（Ｔｒｉｍｂｌｅら）の主題になっている。
【００４４】
ＲｅｓＭｅｄ  Ｌｉｍｉｔｅｄは、鼻枕を用いた以下の製品を製造している：ＳＷＩＦＴ（登録商標）鼻枕マスク、ＳＷＩＦＴ（登録商標）ＩＩ鼻枕マスク、ＳＷＩＦＴ（登録商標）ＬＴ鼻枕マスク、ＳＷＩＦＴ（登録商標）ＦＸ鼻枕マスクおよびＭＩＲＡＧＥＬＩＢＥＲＴＹ（登録商標）フルフェイスマスク。ＲｅｓＭｅｄ  Ｌｉｍｉｔｅｄへ譲渡された以下の特許出願において、鼻枕マスクの実施例についての記載がある：特許文献７（特に、ＲｅｓＭｅｄ  ＬｉｍｉｔｅｄのＳＷＩＦＴ（登録商標）鼻枕の様相を記載）、特許文献８（特に、ＲｅｓＭｅｄ  ＬｉｍｉｔｅｄのＳＷＩＦＴ（登録商標）ＬＴ鼻枕の様相を記載）；特許文献９および特許文献１０（特に、ＲｅｓＭｅｄ  ＬｉｍｉｔｅｄのＭＩＲＡＧＥ  ＬＩＢＥＲＴＹ（登録商標）フルフェイス型マスクの様相を記載）；特許文献１１（特に、ＲｅｓＭｅｄ  ＬｉｍｉｔｅｄのＳＷＩＦＴ（登録商標）ＦＸ鼻枕の様相を記載）。
【００４５】
２．２．３．１．２  位置決めおよび安定化
陽圧空気治療に用いられる患者インターフェースのシール形成構造は、密閉を妨害する空気圧力の対応する力を受ける。そのため、シール形成構造を位置決めすることと、顔の適切な部分に対して密閉を維持することとを行うために、多様な技術が用いられている。
【００４６】
１つの技術において、接着部が用いられる。例えば、米国特許出願公開ＵＳ２０１０／００００５３４号を参照されたい。しかし、接着部を用いた場合、不快感がある場合がある。
【００４７】
別の技術において、１つ以上のストラップおよび／または安定化ハーネスが用いられる。多数のこのようなハーネスの場合、フィット感が悪い、かさばる、不快および扱いにくいなどの点のうち１つ以上が当てはまる。
【００４８】
２．２．３．１．３  加圧空気用導管
一種の治療システムにおいて、加圧空気の流れは、空気回路中の導管を通じて患者インターフェースへ提供される。この導管は、患者インターフェースが使用時に患者の顔上に位置決めされているときに導管が患者インターフェースから前方において患者の顔から離隔方向に延びるように、患者インターフェースへ流体接続する。これはときどき、「エレファントトランク」型のインターフェースとも呼ばれ得る。
【００４９】
患者の中には、このようなインターフェースを目障りと感じる者もおり、その結果装着を止めた場合、患者コンプライアンスが低下する。さらに、患者の顔の前方において導管をインターフェースを接続した場合、寝具と絡まり易くなる可能性がある。
【００５０】
２．２．３．１．４  シール形成構造の位置決め／安定化に用いられる加圧空気用導管
これらの問題に対処しようとする別の種類の治療システムに含まれる患者インターフェースにおいては、患者気道への加圧空気の送達を担う管が、患者インターフェースのシール形成部分を患者の顔の適切な部分へ位置決めおよび安定配置するためのヘッドギアの一部としても機能する。この種の患者インターフェースは、「ヘッドギアチュービング」または「導管ヘッドギア」を用いたものとも呼ばれ得る。このような患者インターフェースを用いると、呼吸圧力治療デバイスからの加圧空気流れを提供する空気回路中の導管を患者の顔の前方以外の位置にある患者インターフェースへ提供することができる。このような治療システムの一例について、特許文献１２に開示がある。本明細書中、同文献の内容を参考のため援用する。同文献において、導管は、使用時において患者頭部の上部上に位置決めされたポートを通じて患者インターフェース中の管へ接続する。
【００５１】
Ｐｈｉｌｉｐｓ社のＤｒｅａｍＷｅａｒ（登録商標）マスクは、このようなヘッドギアチュービングを含む。ＤｒｅａｍＷｅａｒ（登録商標）ヘッドギア管の長さは調節できない。そのため、ＤｒｅａｍＷｅａｒ（登録商標）ヘッドギアは、顔の大きさが異なる患者に対応するために、３つの異なるサイズで供給される。異なるサイズの数が多くなると、ヘッドギアの製造の際の複雑度およびコストの増大に繋がり得、パッケージング大型化に繋がり得る。さらに、別個のサイズのマスクを供給した場合、頭部サイズが異なる患者に対応できる範囲が制限され得る。一定数の患者に対し、長さ調節が不可能な個別のサイズを強制的に選択するよう要求した場合、患者自身が「完璧だ」と思うフィット感を達成することができない可能性が高くなり得る。
【００５２】
ヘッドギアチュービングを用いた患者インターフェースを用いると、いくつかの利点が得られ得る（例えば、（目障りかつ不快になる場合があり得るような）患者の顔前方において患者インターフェースへ接続する導管を回避すること）。しかし、ヘッドギアチュービングを用いた患者インターフェースは、患者が眠っているときに患者が長時間装着する場合に、患者の顔との有効なシールを形成しつつ快適であることが望ましい。
【００５３】
２．２．３．２  呼吸圧力治療（ＲＰＴ）デバイス
呼吸圧力治療（ＲＰＴ）デバイスは、例えばデバイスを作動させて気道へのインターフェースへの空気送達流れを生成することにより、上記した複数の治療のうち１つ以上の送達に個別的に、またはシステムの一部として用いられ得る。この空気流れは、加圧され得る。ＲＰＴデバイスの例を挙げると、ＣＰＡＰデバイスおよび人工呼吸器がある。
【００５４】
空気圧生成器は、広範な用途（例えば、工業規模換気システム）において公知である。しかし、医療用途のための空気圧生成器は、より一般的な空気圧生成器（例えば、医療機器の信頼性要件、サイズ要件および重量要件）では満足できない特定の要件を有する。加えて、医療治療向けに設計されたデバイスであっても、以下のうち１つ以上に関連して欠陥を免れない場合がある：快適性、ノイズ、使いやすさ、有効性、サイズ、重量、製造可能性、コストおよび信頼性。
【００５５】
特定のＲＰＴデバイスの特殊な要件の一例として、音響ノイズがある。
【００５６】
デバイスの設計者には、無数の選択肢が提示され得る。設計基準同士が対立することが多くあるため、特定の設計選択肢が慣例からほど遠くなるかあるいは避けられないことがある。さらに、特定の態様の快適性および有効性は、１つ以上のパラメータの些細な変更から大きく影響を受ける可能性もある。
【００５７】
２．２．３．３  加湿器
空気流れの送達を加湿無しで行った場合、気道の乾燥に繋がり得る。加湿器をＲＰＴデバイスおよび患者インターフェースと共に用いた場合、加湿ガスが生成されるため、鼻粘膜の乾燥が最小化され、患者気道の快適性が増加する。加えて、より冷涼な気候においては、概して患者インターフェースの周囲の顔領域へ温風を付加すると、冷風の場合よりも快適性が高まる。
【００５８】
一定範囲の人工的加湿機器およびシステムが公知であるが、医療加湿器の特殊な要件を満たせていない。
【００５９】
医療加湿器は、典型的には患者が（例えば病院において）睡眠時または安静時にあるときに、必要な場合に周囲空気に相対して空気流れの湿度および／または温度を増加させるように、用いられる。枕元に置かれる医療加湿器は、小型である場合がある。医療加湿器は、患者へ送達される空気流れの加湿および／または加熱のみを行うように構成され得、患者の周囲の加湿および／または加熱は行わない。例えば、部屋ベースのシステム（例えば、サウナ、エアコン、または蒸発冷却器）は、呼吸により患者体内に取り込まれる空気も加湿し得るものの、これらのシステムの場合、部屋全体も加湿および／または加熱するため、占有者にとって不快になり得る。さらに、医療加湿器の場合、工業用加湿器よりも安全面での制約がより厳しい場合もある。
【００６０】
多数の医療加湿器が公知であるものの、このような医療加湿器の場合、１つ以上の欠陥を被り得る。すなわち、このような医療加湿器の場合、加湿が不適切なものもあれば、患者にとって使用が困難または不便であるものもある。
【００６１】
２．２．３．４  データ管理
臨床的理由により、呼吸治療が処方された患者が「コンプライアンスを遵守している」（例えば、患者が自身のＲＰＴデバイスを１つ以上の「コンプライアンスルール」に則っているか）を決定するためのデータを入手する場合がある。ＣＰＡＰ治療についてのコンプライアンスルールの一例として、患者がコンプライアンスを遵守しているとみなすためには、患者が連続３０日間のうち少なくとも２１日間にわたってＲＰＴデバイスを一晩あたり少なくとも４時間にわたって使用する必要がある。患者のコンプライアンスを決定するためには、ＲＰＴデバイスのプロバイダ（例えば、ヘルスケアプロバイダ）は、ＲＰＴデバイスを用いた患者の治療を記述するデータを手作業で入手し、所定期間にわたる使用率を計算し、これをコンプライアンスルールと比較し得る。ヘルスケアプロバイダが患者が自身のＲＰＴデバイスをコンプライアンスルールに則って使用したと決定すると、当該ヘルスケアプロバイダは、患者がコンプライアンスを遵守している旨を第三者に通知し得る。
【００６２】
患者の治療において、治療データの第三者または外部システムへの通信から恩恵を受ける他の態様があり得る。
【００６３】
このようなデータを通信および管理するための既存のプロセスの場合、高コスト、時間がかかること、エラーの発生し易さのうち１つ以上が発生し得る。
【００６４】
２．２．３．５  下顎の再位置決め
下顎再位置決めデバイス（ＭＲＤ）または下顎前方固定デバイス（ＭＡＤ）は、睡眠時無呼吸およびいびきの治療選択肢の１つである。これは、歯科医または他の供給業者から利用可能である調節可能な口腔用器具であり、下顎部（下顎）を睡眠時に前方位置に保持する。ＭＲＤは、取り外し可能なデバイスであり、患者の睡眠前に口腔内に挿入され、睡眠後に取り外される。そのため、ＭＲＤは、常時装着用途を想定した設計はされていない。ＭＲＤは、カスタム仕様にしてもよいし、あるいは、標準形態で製造してもよく、患者の歯に適合するように設計された咬合印象部位を含む。この下顎からの機械的突出部は、舌の後ろ側の空間を拡張させ、咽頭壁上へ張力を付加して、気道崩壊を低減させ、口蓋振動を低減させる。
【００６５】
特定の実施例において、下顎前方固定デバイスは、上顎または上顎骨上の歯と係合するかまたは嵌め合うように意図された上側スプリントと、上顎または下顎上の歯と係合するかまたは嵌め合うように意図された下側スプリントとを含み得る。上側スプリントおよび下側スプリントは、一対の接続ロッドを介して相互に横方向に接続される。この１組の接続ロッドは、上側スプリントおよび下側スプリント上において対称に固定される。
【００６６】
このような設計において、接続ロッドの長さは、ＭＲＤが患者の口腔中に配置されたときに下顎が前方位置に保持されるように、選択される。接続ロッドの長さは、下顎の突出レベルを変化させるように、調節され得る。歯科医は、突出レベルを下顎に合わせて決定することができ、その結果、接続ロッドの長さが決定される。
【００６７】
下顎を上顎骨に対して前方に押し出すように構成されているＭＲＤもあれば、ＲｅｓＭｅｄ  Ｎａｒｖａｌ  ＣＣ（登録商標）ＭＲＤなどの他のＭＲＤのように、下顎を前方位置に保持するように設計されているものもある。このデバイスにより、歯科的副作用および側頭／下顎間の関節（ＴＭＪ）の副作用も低下または最小化される。そのため、このデバイスは、歯のうち１つ以上の任意の移動を最小化または回避するように構成される。
【００６８】
２．２．３．６  通気技術
いくつかの形態の治療システムは、吐き出された二酸化炭素を押し出すための通気部を含み得る。この通気部により、患者インターフェースの内部空間（例えば、プレナムチャンバ）から患者インターフェースの外部（例えば、周囲）へのガス流れが可能になり得る。
【００６９】
この通気部は、オリフィスを含み得、マスク使用時において、ガスがオリフィスを通じて流れ得る。多数のこのような通気部の場合、音がうるさい。他の場合、使用時において閉塞し得るため、押し出しが不十分になる。いくつかの通気部の場合、例えば音または気流集中に起因して、患者１０００と同床者１１００の睡眠を妨げる場合がある。
【００７０】
ＲｅｓＭｅｄ  Ｌｉｍｉｔｅｄは、複数の向上したマスク通気技術を開発している。下記を参照されたい：特許文献１３；特許文献１４；特許文献１５；特許文献１６；特許文献１７。
従来のマスクのノイズの表（ＩＳＯ１７５１０−２：２００７、１ｍにおける１０ｃｍＨ２Ｏ圧力）
【００７１】
【表１】
2021525623.tif 000003
【００７２】
（＊試料１個のみをＩＳＯ３７４４に指定の試験方法を用いてＣＰＡＰモードにおいて１０ｃｍＨ２Ｏにて測定）
多様な対象の音圧値を以下に羅列する
【００７３】
【表２】
2021525623.tif 000004
【００７４】
２．２．４  スクリーニング、診断システムおよびモニタリングシステム
睡眠ポリグラフ（ＰＳＧ）は、心肺疾患の診断および監視のための従来のシステムであり、典型的には、システム適用のために専門家臨床スタッフを必要とすることが多い。ＰＳＧにおいては、多様な身体信号（例えば、脳波検査（ＥＥＧ）、心電図検査（ＥＣＧ）、電気眼球図記録（ＥＯＧ）、筋電図描画法（ＥＭＧ））を記録するために、典型的には１５〜２０個の接触覚センサを人体上に配置する。睡眠時呼吸障害のＰＳＧのめには、患者を専門病院において二晩にわたって観察する必要があった。すなわち、第一夜は純然たる診断のためであり、第二夜は、臨床医による治療パラメータのタイトレーションのために必要であった。そのため、ＰＳＧは高コストであり、利便性も低い。睡眠呼吸障害のスクリーニング／診断／監視は家庭において特に不向きである。
【００７５】
一般に、スクリーニングおよび診断は、疾患の兆候と症状によって疾患を特定することである。通常、スクリーニングは、患者のＳＤＢがさらなる調査を求める程であるかないかを示す真／偽結果を出すいっぽう、診断は、臨床で実行可能な情報を出すことが多い。スクリーニングおよび診断は、一回性手続きになる傾向であることに反して、疾患の経過をモニタリングすることは無限定に続けられる。いくつかのスクリーニング／診断システムは、スクリーニング／診断にのみ適合されているが、いくつかはモニタリングにも使用することができる。
【００７６】
臨床専門家は、患者のスクリーニング、診断またはモニタリングをＰＳＧ信号の視覚的観察に基づいて適切に行い得る。しかし、臨床専門家が居ないまたは臨床専門家への支払いができない状況がある。患者の状態について臨床専門家によって意見が異なる場合がある。さらに、或る臨床専門家は、時期によって異なる基準を適用し得る。
【先行技術文献】
【特許文献】
【００７７】
【特許文献１】米国特許第４９４４３１０号明細書
【特許文献２】米国特許第６５３２９５９号明細書
【特許文献３】国際公開第１９９８／００４３１０号
【特許文献４】国際公開第２００６／０７４５１３号
【特許文献５】国際公開第２０１０／１３５７８５号
【特許文献６】米国特許第４７８２８３２号明細書
【特許文献７】国際公開第２００４／０７３７７８号
【特許文献８】米国特許出願公開第２００９／００４４８０８号明細書
【特許文献９】国際公開第２００５／０６３３２８号
【特許文献１０】国際公開第２００６／１３０９０３号
【特許文献１１】国際公開第２００９／０５２５６０号
【特許文献１２】米国特許出願公開第２００７／０２４６０４３号明細書
【特許文献１３】国際公開第１９９８／０３４、６６５号
【特許文献１４】国際公開第２０００／０７８、３８１号
【特許文献１５】米国特許第６、５８１、５９４号明細書
【特許文献１６】米国特許出願公開第２００９／００５０１５６号明細書
【特許文献１７】米国特許出願公開第２００９／００４４８０８号明細書
【発明の概要】
【課題を解決するための手段】
【００７８】
３  技術の簡単な説明
本技術は、呼吸器疾患のスクリーニング、診断、モニタリング、改善、治療または予防において用いられる医療機器の提供に関連し、これらの医療機器は、向上した快適性、コスト、有効性、使い易さおよび製造可能性のうち１つ以上を有する。
【００７９】
本技術の第１の態様は、呼吸器疾患のスクリーニング、診断、監視、改善、治療または予防に用いられる装置に関連する。
【００８０】
本技術の別の態様は、呼吸障害のスクリーニング、診断、監視、改善、治療または予防において用いられる方法に関連する。
【００８１】
本技術の特定の形態の一態様は、呼吸治療についての患者のコンプライアンスを向上させる方法および／または装置を提供することである。
【００８２】
本技術の一態様は、加圧された呼吸可能なガスの供給を患者気道の入口へ送達させるための患者インターフェースを含む。
【００８３】
本技術の別の態様は、プレナムチャンバ、シール形成構造、および位置決めおよび安定化構造を含み得る患者インターフェースに関する。患者インターフェースは、通気構造をさらに含み得る。患者は、患者の口腔を露出させたママにするようにさらに構成され得、あるいは、シール形成構造が患者の鼻と口の周囲を密閉するように構成される場合には、患者インターフェースは、プレナムチャンバ入口ポートを通じた加圧空気流れが無い場合に患者が自身の口腔を通じて雰囲気から呼吸することを可能にするようにさらに構成され得る。
【００８４】
本技術の別の態様は、プレナムチャンバ、シール形成構造、通気構造、およびシール形成構造を患者頭部上の治療的に有効な位置に保持するための位置決めおよび安定化構造を含む患者インターフェースに関する。接続ポートから空気流れを受容し、空気流れをシール形成構造を介して患者の気道の入口へ送達させるための少なくとも１つのガス送達管であって、当該ガス送達管は、使用時に患者頭部の上耳底点の上方の患者頭部の少なくとも一領域と接触するように構築および配置される、少なくとも１つのガス送達管を含む、位置決めおよび安定化構造。
【００８５】
本技術の一態様によれば、シール形成構造を患者頭部上の治療的に有効な位置に保持するための力を提供する位置決めおよび安定化構造が提供され、当該シール形成構造は、使用時において前記患者の呼吸サイクル全体において空気流れを周囲空気圧力を超える少なくとも６ｃｍＨ２Ｏの治療圧力において密閉送達するために、患者の気道への入口を包囲する患者の顔の領域とのシールを形成するように構築および配置され、当該位置決めおよび安定化構造は：
患者頭部上の接続ポートから空気流れを受容し、空気流れをシール形成構造を介して患者の気道の入口へ送達させるための少なくとも１つのガス送達管であって、前記ガス送達管は、使用時に患者頭部の上耳底点の上方の患者頭部の少なくとも一領域と接触するように構築および配置される、少なくとも１つのガス送達管を含み、前記ガス送達管は：
内部から空気を前記シール形成構造へ流動させることが可能な中空内部を規定する管壁であって、前記管壁は、前記ガス送達管の長さを変化させるために伸長するように構成された延長可能部を有し、
前記延長可能部の引張り剛性（extension stiffness）は、０．２〜０．３５Ｎ／ｍｍの範囲内である、管壁を含む、ガス送達管を含む。
【００８６】
前述の段落のいずれかの態様のいずれかの実施例において：（ａ）延伸可能部分の引張り剛性（extension stiffness）は、０．２５〜０．３Ｎ／ｍｍの範囲内になる；（ｂ）一対のガス送達管は、使用中に患者に対向するように構成された一対の管の側の中心線に沿って測定される、５００〜５３５ｍｍの範囲内になる、組合せ未延伸長さを含む；（ｃ）該組合せ未延伸長さは、５１０〜５２５ｍｍの範囲内になる；（ｄ）該組合せ未延伸長さは、５１２〜５２２ｍｍの範囲内になる；（ｅ）一対のガス送達管は、使用中に患者に対向するように構成された一対の管の側の中心線に沿って測定される、４６０〜５００ｍｍの範囲内になる、組合せ未延伸長さを含む；（ｆ）該組合せ未延伸長さは、４７０〜４９０ｍｍの範囲内になる；（ｇ）該組合せ未延伸長さは、４７５〜４８５ｍｍの範囲内になる；（ｈ）ガス送達管は、クッションモジュールと共に患者頭部周囲にループを形成し、ループは、ガス送達管の側部の中心線に沿って測定される非伸長長さと、使用時において５１０〜６１０ｍｍの範囲内において患者に対向するように構成されたクッションモジュールとを有し；（ｉ）該ループの未延伸長さは、５２８〜５４８ｍｍの範囲内になる；（ｊ）該ループの未延伸長さは、５３５〜５４１ｍｍの範囲内になる；（ｋ）該ループの未延伸長さは、５３４〜５５４ｍｍの範囲内になる；（ｌ）該ループの未延伸長さは、５３９〜５４９ｍｍの範囲内になる；（ｍ）該ループの未延伸長さは、５４１〜５６１ｍｍの範囲内になる；（ｎ）該ループの未延伸長さは、５４６〜５５６ｍｍの範囲内になる；（ｏ）該ループの未延伸長さは、５６４〜５８４ｍｍの範囲内になる；（ｐ）該ループの未延伸長さは、５７１〜５８１ｍｍの範囲内になる；（ｑ）該ループの未延伸長さは、５７７〜５９７ｍｍの範囲内になる；および／または（ｒ）該ループの未延伸長さは、５８２〜５９２ｍｍの範囲内になる。
【００８７】
本技術の一態様によれば、シール形成構造を患者頭部上の治療的に有効な位置に保持するための力を提供する位置決めおよび安定化構造が提供され、当該シール形成構造は、使用時において前記患者の呼吸サイクル全体において空気流れを周囲空気圧力を超える少なくとも６ｃｍＨ２Ｏの治療圧力において密閉送達するために、患者の気道への入口を包囲する患者の顔の領域とのシールを形成するように構築および配置され、当該位置決めおよび安定化構造は：患者頭部上の接続ポートから空気流れを受容し、空気流れをシール形成構造を介して患者の気道の入口へ送達させるための少なくとも１つのガス送達管であって、前記少なくとも１つのガス送達管は、使用時に患者頭部の上耳底点の上方の患者頭部の少なくとも一領域と接触するように構築および配置される、少なくとも１つのガス送達管を含み、前記少なくとも１つのガス送達管は：使用時に患者頭部の上領域に載置されるように構成された上側管部であって、上側管部は：使用時に患者頭部の矢状面またはその近隣において患者頭部の上部に載置されるように構成された第１の端部と；使用時に患者頭部の側部に載置されるように構成された第２の端部と；第１の端部と第２の端部との間の硬質部であって、硬質部は、使用時における第１の端部と第２の端部との間の相対運動に対して上および／または下方向においてよりも前および／または後方向においてより高い抵抗を提供するように構成される、硬質部と；を含む、上側管部と、上側管部の第２の端部とシール形成構造との間に接続される下側管部と、を含む、ガス送達管を含む。
【００８８】
前述の段落のいずれかの態様のいずれかの実施例において：（ａ）各上側管部は、２つの硬質部を含み；（ｂ）硬質部は、使用時に前方に来るように構成された上側管部の側部および使用時に後方に来るように構成された上側管部の側部のうち片方または双方に設けられ；（ｃ）上側管部は、延長可能部を含み；（ｄ）延長可能部は、ガス送達管の管壁内に形成された延長可能な蛇腹構造を含み；（ｅ）延長可能な蛇腹構造は、複数の折り目を管壁内に含んで、複数の隆起部および複数の溝部を交互に形成し；（ｆ）硬質部は、複数の接続部を管壁内に含み、複数の接続部それぞれにより、一対の隣接する隆起部を接続させ；かつ／または、（ｇ）硬質部は、上側管部と一体形成される。
【００８９】
本技術の一態様によれば、シール形成構造を患者頭部上の治療的に有効な位置に保持するための力を提供する位置決めおよび安定化構造が提供され、当該シール形成構造は、使用時において前記患者の呼吸サイクル全体において空気流れを周囲空気圧力を超える少なくとも６ｃｍＨ２Ｏの治療圧力において密閉送達するために、患者の気道への入口を包囲する患者の顔の領域とのシールを形成するように構築および配置され、当該位置決めおよび安定化構造は：患者頭部上の接続ポートから空気流れを受容し、空気流れをシール形成構造を介して患者の気道の入口へ送達させるための少なくとも１つのガス送達管を含み、前記ガス送達管は、使用時に患者頭部の上耳底点の上方の患者頭部の少なくとも一領域と接触するように構築および配置され、前記少なくとも１つのガス送達管は、延長可能な蛇腹構造を有する管壁を含み、前記延長可能な蛇腹構造は：複数の隆起部および複数の溝部が交互に形成されている管壁内の複数の折り目であって、前記折り目は、少なくとも部分的に展開可能であるため、隆起部の分離を増大させて、延長可能な蛇腹構造を細長形状にすることができる、複数の折り目と、管壁へ設けられた１つ以上の隆起部接続部であって、１つ以上の隆起部接続部それぞれは、複数の隆起部の２つ以上の隣接する隆起部を接続させ、隆起部の分離に耐えるように構成される、１つ以上の隆起部接続部と、を含む、延長可能な蛇腹構造を含む、ガス送達管を含む。
【００９０】
前述の段落のいずれかの態様のいずれかの実施例において：（ａ）各一対の隣接する隆起部は、１つ以上の隆起部接続部の少なくとも１つの隆起部接続部によって接続され；（ｂ）一対以上の隣接する隆起部は、２つの隆起部接続部によって接続され；（ｃ）各一対の隣接する隆起部は、２つの隆起部接続部によって接続され；（ｄ）隆起部接続部のうち１つ以上は、使用時に前方を向くように構成されたガス送達管の側部上に配置され；（ｅ）隆起部接続部のうち１つ以上は、使用時に後方を向くように構成されたガス送達管の側部上に配置され；（ｆ）隆起部接続部はそれぞれ、使用時に下方を向くように構成されたガス送達管の側部と、使用時に上方を向くように構成されたガス送達管の側部との間に中心において間隔を空けて配置され；（ｇ）各一対の隣接する隆起部は、使用時に前方を向くように構成されたガス送達管の側部上に配置された隆起部接続部のうち１つによって接続され；（ｈ）各一対の隣接する隆起部は、後方を向くように構成されたガス送達管の側部上に配置された隆起部接続部のうちの１つにより接続され；（ｉ）ガス送達管は、外面を有する延長不可能部を含み、複数の溝部はそれぞれ、延長不可能部の外面に対する窪みとして形成され；（ｊ）ガス送達管は、外面を有する延長不可能部を含み、複数の隆起部はそれぞれ、延長不可能部の外面に対して隆起され；（ｋ）複数の溝部はそれぞれ、各一対の隆起部接続部間に配置され、一対の隆起部接続部の各隆起部接続部は、各溝部の各端部に配置され；（ｌ）複数の溝部はそれぞれ、溝部深さを含み、複数の隆起部接続部はそれぞれ、隆起部接続部の高さを含み、各それぞれの溝部の溝部深さは、各溝部の端部に配置された各一対の隆起部接続部それぞれの隆起部接続部の高さに等しく；（ｍ）各隆起部接続部は、管壁の一体形成された部位であり；（ｎ）複数の隆起部、複数の溝部および複数の隆起部接続部は、一体形成され；（ｏ）複数の隆起部はそれぞれ、各隆起部の中心の曲線状の隆起部位を含み；（ｐ）複数の溝部はそれぞれ、各溝部の中心の曲線状の溝部位を含み；（ｑ）複数の隆起部はそれぞれ、各隆起部の反対端部に設けられた一対の直線状隆起部位を含み；（ｒ）複数の隆起部接続部はそれぞれ、隆起部の直線状隆起部位において各隣接する対の隆起部へ接続し；（ｓ）延長可能な蛇腹構造におけるガス送達管の断面は、幅および高さを有し、幅は、使用時において前方向−後方向において実質的に整列され、幅は、高さよりも大きく；（ｔ）幅は、高さの少なくとも２倍であり；および／または（ｕ）位置決めおよび安定化構造は、接続ポートとシール形成構造との間に流体接続された２つのガス送達管を含み、各ガス送達管は、使用時に患者の頬領域のうち１つにおいて伸長し、２つのガス送達管は、患者頭部の異なる側部上に設けられる。
【００９１】
本技術の一態様によれば、シール形成構造を患者頭部上の治療的に有効な位置に保持するための力を提供する位置決めおよび安定化構造が提供され、当該シール形成構造は、使用時において前記患者の呼吸サイクル全体において空気流れを周囲空気圧力を超える少なくとも６ｃｍＨ２Ｏの治療圧力において密閉送達するために、患者の気道への入口を包囲する患者の顔の領域とのシールを形成するように構築および配置され、当該位置決めおよび安定化構造は：患者頭部上の接続ポートから空気流れを受容し、空気流れをシール形成構造を介して患者の気道の入口へ送達させるための少なくとも１つのガス送達管を含み、前記ガス送達管は、使用時に患者頭部の上耳底点の上方の患者頭部の少なくとも一領域と接触するように構築および配置され、前記少なくとも１つのガス送達管は、中空内部を有しかつガス送達管の長さに沿って設けられた延長可能な蛇腹構造を有する管壁を含み、前記延長可能な蛇腹構造は：前記ガス送達管の非患者接触側に沿った第１の交互の一連の隆起部および溝部と、前記ガス送達管の患者接触側に沿った第２の交互の一連の隆起部および溝部とが形成されている、前記管壁内の複数の折り目であって、前記第１の交互の一連の隆起部および溝部の引張り剛性は、前記第２の交互の一連の隆起部および溝部よりも低くなっている、複数の折り目を含む、延長可能な蛇腹構造を含む、ガス送達管を含む。
【００９２】
実施例において、（ａ）複数の折り目により、ガス送達管の内部において内部隆起部および内部溝部が形成されて、第１の交互の一連の隆起部および溝部と、第２の交互の一連の隆起部および溝部とが形成され；（ｂ）第１の交互の一連のものの内部溝部はそれぞれ、第２の交互の一連のものの内部溝部のうち各１つの反対側においてガス送達管の内部にわたって設けられて、複数の対向する溝部対が形成され、各対向する溝部対は、第１の内部溝部であって、第１の交互の一連のものの１つの内部溝部である、第１の内部溝部と；第２の内部溝部であって、第２の交互の一連のものの１つの内部溝部である第２の内部溝部とを含む。第１の内部溝部の溝部深さは、第２の内部溝部よりも大きく；（ｃ）管壁において、各対向する溝部対の第２の内部溝部のベースにおける材料厚さは、各対向する溝部対の第１の内部溝部のベースにおける材料厚さよりも大きく；（ｄ）第２の交互の一連のものの各内部溝部のベースにおける管壁の材料厚さは、ガス送達管の長さに沿って接続ポートに近接する第１の端部から第２の端部にかけて低減し；（ｅ）第１の交互の一連のものの各内部溝部のベースにおける管壁の材料厚さは、ガス送達管の長さに沿って実質的に一定であり；（ｆ）第１および第２の交互の一連の内部隆起部および内部溝部の内部溝部の溝部深さは、ガス送達管の長さに沿って接続ポートに隣接する第１の端部から第２の端部にかけて低減し；および／または（ｇ）各対向する溝部対の第１の内部溝部は、非患者接触側と患者接触側との間のガス送達管の側部において、各対向する溝部対の第２の内部溝部へ接合される。
【００９３】
本技術の一態様によれば、シール形成構造を患者頭部上の治療的に有効な位置に保持するための力を提供する位置決めおよび安定化構造が提供され、当該シール形成構造は、使用時において前記患者の呼吸サイクル全体において空気流れを周囲空気圧力を超える少なくとも６ｃｍＨ２Ｏの治療圧力において密閉送達するために、患者の気道への入口を包囲する患者の顔の領域とのシールを形成するように構築および配置され、当該位置決めおよび安定化構造は：患者頭部上の接続ポートから空気流れを受容し、空気流れをシール形成構造を介して患者の気道の入口へ送達させるための一対のガス送達管であって、前記一対のガス送達管のそれぞれは、使用時に患者頭部の上耳底点の上方の患者頭部の少なくとも一領域と接触するように構築および配置される、一対のガス送達管を含み、それぞれのガス送達管は：ガス送達管の長さに沿って中空内部を規定する管壁；管壁へ接続されたタブであって、タブは、使用時に患者頭部の上耳底点の上方に配置されるように構成される、タブ；およびタブ中に形成されたスリットであって、スリットは、使用時において管壁から間隔を空けて後方に配置され、スリットは、上端および下端を含み、スリットの上端は、スリットの下端よりも管壁からさらに間隔を空けて配置される、スリットを含む、ガス送達管と、使用時において患者頭部の後頭骨の下側に配置されるかまたは患者頭部の後頭骨に配置される患者頭部の領域と接触するように構築および配置されるストラップであって、ストラップは、スリットへかつスリット間に接続されるように構成される、ストラップを含む。
【００９４】
前述の段落のいずれかの態様のいずれかの実施例において：（ａ）各タブは、各管壁と共に一体形成され；（ｂ）各タブは、上縁および下縁を有し、上縁は、下縁よりも長尺であり；（ｃ）スリットの下端は、管壁から少なくとも５ｍｍだけ間隔を空けて配置され；（ｄ）スリットの下端は、管壁から少なくとも７ｍｍだけ間隔を空けて配置され；（ｅ）スリットの下端は、管壁から８ｍｍ以上だけ間隔を空けて配置され；（ｆ）スリットの上端は、管壁から少なくとも８ｍｍだけ間隔を空けて配置され；（ｇ）スリットの上端は、管壁から少なくとも１０ｍｍだけ間隔を空けて配置され；（ｈ）スリットの上端は、管壁から１２ｍｍ以上だけ間隔を空けて配置され；（ｉ）スリットに沿った中点は、管壁から５ｍｍ〜３０ｍｍの範囲の間隔だけ空けて配置され；（ｊ）間隔は、７ｍｍ〜２０ｍｍの範囲内であり；（ｋ）間隔は、８ｍｍ〜１５ｍｍの範囲内であり；（ｌ）間隔は、９〜１１ｍｍの範囲内であり；（ｍ）各ガス送達管は、使用時において各ガス送達管のタブの上方に配置される延長可能な管部と、使用時において各ガス送達管のタブの下方に配置される延長不可能な管部；とを含み（ｎ）各タブは、延長不可能な管部において各ガス送達管の管壁へ接合され；（ｏ）各スリットは、上端と下端との間において弓状であり；（ｐ）各スリットは、上端と下端との間において直線状であり；かつ／または（ｑ）各スリットは、ストラップが患者頭部周囲においてアンカー固定されるストラップアンカー領域のスリットからの方向に対して垂直に方向付けられる。
【００９５】
本技術の一態様によれば、シール形成構造を患者頭部上の治療的に有効な位置に保持するための力を提供する位置決めおよび安定化構造が提供され、当該シール形成構造は、使用時において前記患者の呼吸サイクル全体において空気流れを周囲空気圧力を超える少なくとも６ｃｍＨ２Ｏの治療圧力において密閉送達するために、患者の気道への入口を包囲する患者の顔の領域とのシールを形成するように構築および配置され、当該位置決めおよび安定化構造は：患者頭部上の接続ポートから空気流れを受容し、空気流れをシール形成構造を介して患者の気道の入口へ送達させるための一対のガス送達管であって、前記一対のガス送達管のそれぞれは、使用時に患者頭部の上耳底点の上方の患者頭部の少なくとも一領域と接触するように構築および配置される、一対のガス送達管を含み、それぞれのガス送達管は：使用時において、患者頭部の上部からシール形成構造へ患者の眼および耳間において延びる経路に沿って患者頭部上に配置されるように構成された管壁；管壁へ接続されたタブであって、タブは、使用時に患者頭部の上耳底点の上方に配置されるように構成される、タブ；および前記タブ中に形成されかつ使用時において前記管壁の経路のスリット隣接部から後方に間隔を空けて配置されるスリットであって、前記スリットは、使用時において後上方−前下方方位を有し、前記スリット隣接部において前記管壁の経路の接線と共に斜角を形成する、スリットを含む、ガス送達管と、使用時において患者頭部の後頭骨の下側に配置されるかまたは患者頭部の後頭骨に配置される患者頭部の領域と接触するように構築および配置されるストラップであって、ストラップは、スリットへかつスリット間に接続されるように構成される、ストラップを含む。
【００９６】
前述の段落のいずれかの態様のいずれかの実施例において：（ａ）各タブは、管壁のそれぞれと一体形成され；（ｂ）各タブは、上縁および下縁を有し使用時に、上縁は、下縁よりも長尺であり；（ｃ）各ガス送達管は、使用時において各ガス送達管のタブの上方にある延長可能な管部と、使用時において各ガス送達管のタブの下方にある延長不可能な管部とを含み；（ｄ）各タブは、延長不可能な管部において各ガス送達管の管壁へ接続され；（ｅ）各スリットは、スリットの上端と下端との間において弓状であり；（ｆ）各スリットは、スリットの上端と下端との間において直線状であり；（ｇ）スリットの下端は、管壁から少なくとも５ｍｍだけ間隔を空けて配置され；（ｈ）スリットの下端は、管壁から少なくとも７ｍｍ間隔を空けて配置され、（ｉ）スリットの下端は、管壁から８ｍｍ以上だけ間隔を空けて配置され；（ｊ）スリットの上端は、管壁から少なくとも８ｍｍだけ間隔を空けて配置され；（ｋ）スリットの上端は、管壁から少なくとも１０ｍｍだけ間隔を空けて配置され；（ｌ）スリットの上端は、管壁から１２ｍｍ以上だけ間隔を空けて配置され；（ｍ）斜角は、１０〜２０度の範囲内であり；（ｎ）斜角は、１２〜１８度の範囲内であり；および／または（ｏ）各スリットは、ストラップが患者頭部周囲においてアンカー固定されたストラップアンカー領域のスリットからの方向に対して垂直に方向付けられる。
【００９７】
本技術の一態様によれば、シール形成構造を患者頭部上の治療的に有効な位置に保持するための力を提供する位置決めおよび安定化構造が提供され、当該シール形成構造は、使用時において前記患者の呼吸サイクル全体において空気流れを周囲空気圧力を超える少なくとも６ｃｍＨ２Ｏの治療圧力において密閉送達するために、患者の気道への入口を包囲する患者の顔の領域とのシールを形成するように構築および配置され、当該位置決めおよび安定化構造は：患者頭部上の接続ポートから空気流れを受容し、空気流れをシール形成構造を介して患者の気道の入口へ送達させるための一対のガス送達管であって、前記一対のガス送達管のそれぞれは、使用時に患者頭部の上耳底点の上方の患者頭部の少なくとも一領域と接触するように構築および配置される、一対のガス送達管を含み、それぞれのガス送達管は：患者頭部の上部からシール形成構造にかけて患者の眼と耳との間に延びて患者頭部上に載置されるように構成された管壁；管壁へ接続されたタブであって、使用時において患者頭部の上耳底点の上方に配置される、タブ；前記タブ中に形成されかつ使用時において前記管壁の後方に配置されるアイレット；前記タブ内に形成されかつアイレットの後方に配置されるトラフを含む、ガス送達管と、使用時において患者頭部の後頭骨の下側に配置されるかまたは患者頭部の後頭骨に配置される患者頭部の領域と接触するように構築および配置されたストラップであって、ストラップは、一対のガス送達管のアイレットへ接続し一対のガス送達管のアイレット間に接続することと、使用時においてタブ中に形成されるトラフ内に配置されることとを行うように構成される、ストラップを含む。
【００９８】
前述の段落のいずれかの態様のいずれかの実施例において：（ａ）トラフは、タブ中においてアイレットとタブの後側との間に形成され；（ｂ）タブは、外方を向く表面を含み、トラフは、外方を向く表面に対する窪みとして形成される実質的に平面状表面を含み；（ｃ）トラフは、タブの他の部位と比較して材料厚さが小さなタブの一部により形成され；（ｄ）トラフは、ストラップの幅とほぼ等しい長さを含み；かつ／または、（ｅ）アイレットは、スリットの形態をとる。
【００９９】
本技術の一態様によれば、以下を含む患者インターフェースが提供される。
周囲空気圧力を超える少なくとも６ｃｍＨ２Ｏの治療圧力へ加圧可能であるプレナムチャンバであって、前記プレナムチャンバは、治療圧力における空気流れを患者の呼吸のために受容するようなサイズおよび構造にされたプレナムチャンバ入口ポートを含む、プレナムチャンバと、患者の気道への入口を包囲する患者の面の領域に対してシールを形成するように構築および配置されたシール形成構造であって、前記シール形成構造は、その中に穴を有し、これにより、上記治療圧力における空気流れが少なくとも患者の鼻孔への入口に送達され、シール形成構造は、使用時において患者の呼吸サイクル全体において上記治療圧力をプレナムチャンバ内に維持するように構築および配置される、シール形成構造と；上記の態様のいずれか一つによる位置決めおよび安定化構造；および患者が呼気したガスが連続的にプレナムチャンバ内部から周囲へ連続的に流れることを可能にする通気構造であって、前記通気構造は、使用時にプレナムチャンバ内の治療圧力を維持するようなサイズおよび形状にされる、通気構造；当該患者インターフェースは、プレナムチャンバ入口ポートを通じた加圧空気流れが無い場合に患者が自身の口腔を通じて雰囲気から呼吸することを可能にするように構成されるか、あるいは、患者インターフェースは、患者の口腔を露出させたままにするように構成される。
【０１００】
本技術の特定の形態の別の態様は、呼吸疾患の治療のためのシステムである。本システムは、本技術の他の態様のうちいずれか１つ以上による患者インターフェースと、空気回路と、陽圧における空気源とを含む。
【０１０１】
本技術の一形態の別の態様は、意図される装着者の形状に対して相補的である周辺形状と共に成形または他の場合に構築された患者インターフェースである。
【０１０２】
本技術の特定の形態の別の態様は、患者インターフェースである。この患者インターフェースは、使用時に患者の口腔を露出させるように構成されたシール形成構造を含む。
【０１０３】
本技術の特定の形態の別の態様は、患者インターフェースである。この患者インターフェースは、使用時にシール形成構造の一部が口腔に進入することが無いように構成されたシール形成構造を含む。
【０１０４】
本技術の特定の形態の別の態様は、患者インターフェースである。この患者インターフェースは、シール形成構造が患者の気道の内部に延びないように構成されたシール形成構造を含む。
【０１０５】
本技術の特定の形態の別の態様は、患者インターフェースである。この患者インターフェースは、使用時にシール形成構造がオトガイ隆起領域の下側に延びないように構成されたシール形成構造を含む。
【０１０６】
本技術の特定の形態の別の態様は、使用時に患者の眼を露出させるように構築および配置された患者インターフェースである。
【０１０７】
本技術の特定の形態の別の態様は、停電時に患者が周囲空気を呼吸することを可能にするように構築および配置された患者インターフェースである。
【０１０８】
本技術の特定の形態の別の態様は、患者インターフェースである。この患者インターフェースは、患者の鼻の鼻ブリッジ領域と接触すること無く患者の鼻の下側上にシールを形成するように構成されたシール形成構造を含む。
【０１０９】
本技術の特定の形態の別の態様は、患者インターフェースである。この患者インターフェースは、通気部およびプレナムチャンバを含む。患者インターフェースは、プレナムチャンバ内部からのガスが通気部を介して周囲へ移動することができるように、構築および配置される。
【０１１０】
本技術の特定の形態の別の態様は、患者インターフェースである。この患者インターフェースは、患者が患者インターフェースの使用時に横向きまたは側臥位睡眠位置にて快適に横たわることができるように、構築および配置される。
【０１１１】
本技術の特定の形態の別の態様は、患者インターフェースである。この患者インターフェースは、患者が患者インターフェースの使用時に仰臥位睡眠位置にて快適に横たわることができるように、構築および配置される。
【０１１２】
本技術の特定の形態の別の態様は、患者インターフェースである。この患者インターフェースは、患者が患者インターフェースの使用時に腹臥位睡眠位置にて快適に横たわることができるように、構築および配置される。
【０１１３】
本技術の特定の形態の一態様は、例えば医療トレーニングを受けたことの無い人、あまり器用ではない人や洞察力の欠いた人、またはこの種の医療デバイスの使用経験が限られた人にとって使い易い医療デバイスである。
【０１１４】
本技術の一形態の一態様は、患者の家庭において例えば石けん水などによって洗浄することが可能な患者インターフェースであり、特殊な清浄器具は不要である。
【０１１５】
もちろん、上記態様の一部は、本技術の下位態様を形成し得る。また、下位態様および／または態様のうち多様な１つを多様に組み合わせることができ、本技術のさらなる態様または下位態様も構成し得る。
【０１１６】
本技術の他の特徴は、以下の詳細な説明、要約、図面および特許請求の範囲中に含まれる情報に鑑みれば明らかになる。
【図面の簡単な説明】
【０１１７】
４  図面の簡単な説明
本技術を、添付図面中に非限定的に一実施例として例示する。図面中、類似の参照符号は、以下の類似の要素を含む：
４．１  治療システム
【図１Ａ】患者インターフェース３０００を装着している患者１０００を含むシステムを示す。このシステムは、鼻枕の形態をとり、ＲＰＴデバイス４０００から供給される陽圧の空気を受容する。ＲＰＴデバイス４０００からの空気は、加湿器５０００によって加湿され、空気回路４１７０に沿って患者１０００へと移動する。同床者１１００も図示される。患者は、仰臥位睡眠位置において睡眠している。
【図１Ｂ】患者インターフェース３０００を装着している患者１０００を含むシステムを示す。このシステムは、鼻マスクの形態をとり、ＲＰＴデバイス４０００から供給される陽圧の空気を受容する。ＲＰＴデバイスからの空気は、加湿器５０００によって加湿され、空気回路４１７０に沿って患者１０００へと移動する。
【図１Ｃ】患者インターフェース３０００を装着している患者１０００を含むシステムを含む。患者インターフェース３０００は、フルフェイスマスクをとり、陽圧の空気供給をＲＰＴデバイス４０００から受容する。ＲＰＴデバイスからの空気は、加湿器５０００によって加湿され、空気回路４１７０に沿って患者１０００へと移動する。患者は、側臥位睡眠位置において睡眠している。４．２  呼吸システムおよび顔の解剖学的構造
【図２Ａ】鼻腔および口腔、喉頭、声帯ひだ、食道、気管、気管支、肺、肺胞嚢、心臓および横隔膜を含むヒト呼吸器系の概要を示す。
【図２Ｂ】鼻腔、鼻骨、外側鼻軟骨、大鼻翼軟骨、鼻穴、上唇、下唇、喉頭、硬口蓋、軟口蓋、口咽頭、舌、喉頭蓋、声帯ひだ、食道および気管を含むヒトの上気道の図である。
【図２Ｃ】上唇、上唇紅、下唇紅、下唇、口の幅、内眼角、鼻翼、鼻唇溝および口角点を含む表面解剖学的構造のいくつかの特徴を含む顔の正面図である。上側、下側、ラジアル内方およびラジアル外方の方向も記載される。
【図２Ｄ】眉間、セリオン、鼻尖点、鼻下点、上唇、下唇、スプラメントン、鼻堤、鼻翼頂上点、上耳底点および下耳底点を含む表面解剖学的構造のいくつかの特徴を含む頭部の側面図である。上側および下側と、前方および後方との方向も記載される。
【図２Ｅ】頭部のさらなる側面図である。フランクフォート水平および鼻唇角の大まかな位置が記載されている。冠状面も記載される。
【図２Ｆ】鼻唇溝、下唇、上唇紅、鼻孔、鼻下点、鼻柱、鼻尖点、鼻孔の主軸および正中矢状面を含むいくつかの特徴を含む鼻の底面図である。
【図２Ｇ】鼻の表面的特徴の側面図である。
【図２Ｈ】外側鼻軟骨、鼻中隔軟骨、大鼻翼軟骨、小鼻翼軟骨、鼻種子軟骨、鼻骨、表皮、脂肪組織、上顎骨の前頭突起および線維性脂肪組織を含む鼻の皮下構造を示す。
【図２Ｉ】正中矢状面からおよそ数ミリメートルの位置における鼻の中間切開を示し、特に鼻中隔軟骨および大鼻翼軟骨の内側脚を示す。
【図２Ｊ】前頭骨、鼻骨および頬骨を含む頭蓋骨の骨正面図である。鼻甲介が上顎骨および下顎骨と共に図示されている。
【図２Ｋ】頭蓋骨を頭部表面の外形およびいくつかの筋肉と共に示す側面図である。以下の骨が図示されている：前頭骨、蝶形骨、鼻骨、頬骨、上顎骨、下顎骨、頭頂骨、側頭骨および後頭骨。オトガイ隆起が図示されている。以下の筋肉が図示されている：顎二腹筋、咬筋、胸鎖乳突筋および僧帽筋。
【図２Ｌ】鼻の前外側を示す。４．３  患者インターフェース
【図３Ａ】本技術の一形態による鼻マスクの形態の患者インターフェースを示す。
【図３Ｂ】構造を１つの点において切断した模式的断面図である。この点における外向き法線が図示される。この点における曲率は、正の符号と、３Ｃに示す曲率の大きさと比較して比較的大きな大きさとを有する。
【図３Ｃ】構造を１つの点において切断した模式的断面図である。この点における外向き法線が図示される。この点における曲率は、正の符号と、図３Ｂに示す曲率の大きさと比較して比較的小さな大きさとを有する。
【図３Ｄ】構造を１つの点において切断した模式的断面図である。この点における外向き法線が図示される。この点における曲率の値はゼロである。
【図３Ｅ】構造を１つの点において切断した模式的断面図である。この点における外向き法線が図示される。この点における曲率は、負の符号と、図３Ｆに示す曲率の大きさと比較して比較的小さな大きさとを有する。
【図３Ｆ】構造を１つの点において切断した模式的断面図である。この点における外向き法線が図示される。この点における曲率は、負の符号と、図３Ｅに示す曲率の大きさと比較して比較的大きな大きさとを有する。
【図３Ｇ】２つの枕を含むマスク用クッションを示す。クッションの外面が図示される。表面の縁部が図示される。ドーム領域および鞍状領域が図示される。
【図３Ｈ】マスク用クッションを示す。クッションの外面が図示される。表面の縁部が図示される。点Ａと点Ｂとの間の表面上の経路が図示される。ＡとＢとの間の直線距離が図示される。２つの鞍状領域およびドーム領域が図示される。
【図３Ｉ】構造の表面を示し、この表面中には一次元穴が開いている。図示の平面曲線は、一次元穴の境界を形成する。
【図３Ｊ】図３Ｉの構造を通じた断面図である。図示の表面は、図３Ｉの構造中の二次元穴を境界付ける。
【図３Ｋ】二次元穴および一次元穴を含む図３Ｉの構造の斜視図である。また、図３Ｉの構造中の二次元穴を境界付ける表面が図示される。
【図３Ｌ】クッションとしての可膨張性ブラダーを有するマスクを示す。
【図３Ｍ】図３Ｌのマスクの断面図であり、ブラダーの内面を示す。内面により、マスク中の二次元穴が境界付けられる。
【図３Ｎ】図３Ｌのマスクを通じたさらなる断面を示す。内面も図示される。
【図３Ｏ】左手の法則を示す。
【図３Ｐ】右手の法則を示す。
【図３Ｑ】左耳螺旋を含む左耳を示す。
【図３Ｒ】右耳螺旋を含む右耳を示す。
【図３Ｓ】右手螺旋を示す。
【図３Ｔ】マスクの異なる領域内の密閉膜の縁部によって規定された空間曲線のねじれのサインを含むマスクの図である。
【図３Ｕ】正中矢状面および中央接触面を示す、プレナムチャンバ３２００の図である。
【図３Ｖ】図３Ｕのプレナムチャンバの後方の図である。図中の方向は、中央接触面に対して垂直である。図３Ｖ中、正中矢状面により、プレナムチャンバが左手側および右手側に二等分される。
【図３Ｗ】図３Ｖのプレナムチャンバを通じた断面図であり、この断面は、図３Ｖに示す正中矢状面においてとられる。「中央接触」面が図示される。中央接触面は、正中矢状面に対して垂直である。中央接触面の方位は、腱の方位に対応する。この腱は、正中矢状面上に載置され、正中矢状面上の２点（すなわち、上点および下点）においてプレナムチャンバのクッションのみと接触する。この領域におけるクッションのジオメトリに応じて、中央接触面は、上点および下点双方に接し得る。
【図３Ｘ】図３Ｕのプレナムチャンバ３２００が顔面上の使用位置にある状態を示す。プレナムチャンバ３２００の正中矢状面は、プレナムチャンバが使用位置にあるとき、顔の正中矢状面と概して一致する。中央接触面は、プレナムチャンバが使用位置にあるとき、「顔の面」に概して対応する。図３Ｘにおいて、プレナムチャンバ３２００は鼻マスクのものであり、上点はほぼセリオン上に載置され、下点は上唇上に載置される。４．４  ＲＰＴデバイス
【図４Ａ】本技術の一形態によるＲＰＴデバイスを示す。
【図４Ｂ】本技術の一形態によるＲＰＴデバイスの空気圧経路の模式図である。上流および下流の方向が、送風機および患者インターフェースに対して示される。任意の特定の瞬間における実際の流れ方向に関係無く、送風機は患者インターフェースの上流にあるものとして規定され、患者インターフェースは送風機の下流にあるものとして規定される。送風機と患者インターフェースとの間の空気圧経路内に配置されたアイテムは、送風機の下流および患者インターフェースの上流にある。４．５  加湿器
【図５Ａ】本技術の１つの形態による加湿器の等角図を示す。
【図５Ｂ】本技術の１つの形態による加湿器の等角図を示し、加湿器リザーバ５１１０が加湿器リザーバドック５１３０から取り外された様子を示す。４．６  呼吸波形
【図６Ａ】睡眠時のヒトの典型的な呼吸波形のモデルを示す。４．７  スクリーニング、診断およびモニタリングシステム
【図７Ａ】睡眠ポリグラフ（ＰＳＧ）を受けている患者を示す。患者は、仰臥位睡眠位置において睡眠している。
【図７Ｂ】患者の状態の監視のための監視装置を示す。患者は、仰臥位睡眠位置において睡眠している。４．８  本技術の特定の実施例
【図８Ａ】患者１０００着用時における本技術の一実施例による患者インターフェース３０００の斜視図である。
【図８Ｂ】図８Ａに示す患者インターフェース３０００を示す正面図である。
【図８Ｃ】図８Ａに示す患者インターフェース３０００を示す側面図である。
【図８Ｄ】図８Ａに示す患者インターフェース３０００を示す別の側面図である。
【図９Ａ】孤立状態にある図８Ａに示す患者インターフェース３０００の斜視図である。
【図９Ｂ】孤立状態にある図８Ａに示す患者インターフェース３０００の後方斜視図である。
【図９Ｃ】孤立状態にある図８Ａに示す患者インターフェース３０００の上面図である。
【図１０Ａ】本技術の一例による位置決めおよび安定化構造３３００のコンポーネントの平面図を示す。
【図１０Ｂ】図１０Ａの位置決めおよび安定化構造３３００の一部の断面Ｂ−Ｂを示す。
【図１０Ｃ】図１０Ａの位置決めおよび安定化構造３３００の延長不可能部の断面Ｃ−Ｃを示す。
【図１０Ｄ】図１０Ａの位置決めおよび安定化構造３３００の延長可能部の一部の平面図を示す。
【図１０Ｅ】図１０Ｄの位置決めおよび安定化構造３３００の延長可能部の断面Ｅ−Ｅを示す。
【図１０Ｆ】図１０Ａの位置決めおよび安定化構造３３００の延長可能部の一部の正面図を示す。
【図１０Ｇ】図１０Ａの位置決めおよび安定化構造３３００の延長可能部が直線状構成をとる様子の正面図である。
【図１０Ｈ】図１０Ｇに示す延長可能部が曲線状構成をとる様子の正面図である。
【図１０Ｉ】図１０Ｇに示す延長可能部が曲線状構成をとる様子の斜視図である。
【図１０Ｊ】図１０Ｇに示す延長可能部が曲線状構成をとる様子の上面図である。
【図１１Ａ】図１０Ａの位置決めおよび安定化構造３３００のタブの側面図である。
【図１１Ｂ】図１０Ａの位置決めおよび安定化構造３３００のタブの別の側面図である。
【図１１Ｃ】図１１Ａのタブの斜視図である。
【図１２Ａ】患者１０００着用時における本技術の別の実施例による患者インターフェース３０００の斜視図である。
【図１２Ｂ】孤立状態にある図１２Ａの患者インターフェース３０００の斜視図である。
【図１２Ｃ】図１２Ａの患者インターフェース３０００の正面図である。
【図１２Ｄ】図１２Ａの患者インターフェース３０００の背面図である。
【図１２Ｅ】図１２Ａの患者インターフェース３０００の平面図である。
【図１２Ｆ】図１２Ａの患者インターフェース３０００の側面図である。
【図１３】本技術の別の実施例による患者インターフェース３０００の位置決めおよび安定化構造３３００の一部の斜視図である。
【発明を実施するための形態】
【０１１８】
５  本技術の実施例の詳細な説明
本技術についてさらに詳細に説明する前に、本技術は、本明細書中に記載される異なり得る特定の実施例に限定されるのではないことが理解されるべきである。本開示中に用いられる用語は、本明細書中に記載される特定の実施例を説明する目的のためのものであり、限定的なものではないことも理解されるべきである。
【０１１９】
以下の記載は、１つ以上の共通の特性および／または特徴を共有し得る多様な実施例に関連して提供される。任意の１つの実施例の１つ以上の特徴は、別の実施例または他の実施例の１つ以上の特徴と組み合わせることが可能であることが理解されるべきである。加えて、これらの実施例のうちのいずれかにおける任意の単一の特徴または特徴の組み合わせは、さらなる実施例を構成し得る。
【０１２０】
５．１  治療法
図１Ａに示すような一形態において、本技術は、呼吸器疾患の治療方法を含む。本方法は、患者１０００の気道の入口へ陽圧を付加するステップを含む。
【０１２１】
本技術の特定の実施例において、陽圧における空気供給が鼻孔の片方または双方を介して患者の鼻通路へ提供される。
【０１２２】
本技術の特定の実施例において、口呼吸が制限されるか、限定されるかまたは妨げられる。
【０１２３】
５．２  治療システム
１つの形態において、本技術は、呼吸障害の治療のための装置またはデバイスを含む。装置またはデバイスは、加圧空気を患者インターフェース３０００への空気回路４１７０を介して患者１０００へ供給するＲＰＴデバイス４０００を含み得る。図１Ａ、図１Ｂおよび図１Ｃは、患者インターフェース３０００をＲＰＴデバイス４０００および加湿器５０００と共に用いる治療システムを示す。
５．３  患者インターフェース
【０１２４】
図３Ａを参照すると、本技術の一態様による非侵襲的患者インターフェース３０００は、以下の機能様態を含む：シール形成構造３１００、プレナムチャンバ３２００、位置決めおよび安定化構造３３００、通気部３４００、空気回路４１７０への接続のための一形態の接続ポート３６００、および前額支持部３７００。いくつかの形態において、機能様態が、１つ以上の物理的コンポーネントによって提供され得る。いくつかの形態において、１つの物理的コンポーネントは、１つ以上の機能様態を提供し得る。使用時において、シール形成構造３１００は、気道への陽圧での空気供給を促進するように、患者の気道の入口を包囲するように配置される。
【０１２５】
図８Ａ〜図９Ｃに示したように、本技術の一様態による非侵襲的患者インターフェース３０００は、以下の機能態様を含む：シール形成構造３１００、プレナムチャンバ３２００、位置決めおよび安定化構造３３００、通気部３４００、および空気回路（例えば、図１Ａ〜図１Ｃに示す空気回路４１７０）への接続のための一形態の接続ポート３６００。本例において、シール形成構造３１００およびプレナムチャンバ３２００は、クッションモジュール３１５０によって提供される。
【０１２６】
患者インターフェースが最低レベルの陽圧を快適に気道へ送達できない場合、患者インターフェースは呼吸圧力治療に不適切であり得る。
【０１２７】
本技術の一形態による患者インターフェース３０００は、周囲に対して少なくとも６ｃｍＨ２Ｏの陽圧で空気供給を提供できるように構築および配置される。
【０１２８】
本技術の一形態による患者インターフェース３０００は、周囲に対して少なくとも１０ｃｍＨ２Ｏの陽圧で空気供給を提供できるように構築および配置される。
【０１２９】
本技術の一形態による患者インターフェース３０００は、周囲に対して少なくとも２０ｃｍＨ２Ｏの陽圧で空気供給を提供できるように構築および配置される。
【０１３０】
５．３．１  シール形成構造
本技術の一形態において、シール形成構造３１００は、目標シール形成領域を提供し、クッション機能をさらに提供し得る。目標シール形成領域は、シール形成構造３１００において密閉が発生し得る領域である。密閉が実際に発生する領域（すなわち、実際の密閉面）は、一定範囲の要素（例えば、顔面上の患者インターフェースの配置位置、位置決めおよび安定化構造における張力、および患者の顔の形状）に応じて、所与の治療セッションにおいて患者によって日々変化し得る。
【０１３１】
一形態において、目標シール形成領域が、シール形成構造３１００の外面上に配置される。
【０１３２】
本技術の特定の形態において、シール形成構造３１００は、生体適合性材料（例えば、シリコーンゴム）から構成される。
【０１３３】
本技術によるシール形成構造３１００は、柔らかく、可撓性でありかつ弾力性のある材料（例えば、シリコーン）から構成され得る。
【０１３４】
本技術の特定の形態において、１つよりも多くのシール形成構造３１００を含むシステムが提供される。各シール形成構造３１００は、異なるサイズおよび／または形状範囲に対応するように構成される。例えば、システムは、小さなサイズの頭ではなく大きなサイズの頭に適したシール形成構造３１００の一形態および大きなサイズの頭ではなく小さなサイズの頭に適した別のものを含み得る。
【０１３５】
５．３．１．１  密閉機構
一形態において、シール形成構造３１００は、圧力アシスト密閉機構を用いるシーリングフランジを含む。使用時において、シーリングフランジは、プレナムチャンバ３２００内のシステム陽圧に容易に応答してその下側上に作用して、面と緊密な密閉係合を形成させ得る。圧力アシスト機構は、位置決めおよび安定化構造における弾性張力と共に作用し得る。
【０１３６】
一形態において、シール形成構造３１００は、シーリングフランジおよび支持フランジを含む。シーリングフランジは、厚さが約１ｍｍ未満（例えば、約０．２５ｍｍ〜約０．４５ｍｍ）の比較的肉薄の部材を含む。この部材は、プレナムチャンバ３２００の縁部長さの周囲に延びる。支持フランジは、シーリングフランジよりも比較的肉厚であり得る。支持フランジは、シーリングフランジと、プレナムチャンバ３２００の周縁部との間に配置され、周辺長さの周囲の少なくとも一部に延びる。支持フランジは、バネ様要素であるかまたはバネ様要素を含み、シーリングフランジを使用時に座屈しないように支持するよう機能する。
【０１３７】
一形態において、シール形成構造は、圧縮密閉部またはガスケット密閉部を含み得る。使用時において、圧縮密閉部またはガスケット密閉部は、例えば位置決めおよび安定化構造における弾性張力に起因して圧縮状態となるように、構築および配置される。
【０１３８】
一形態において、シール形成構造は、張力部を含む。使用時において、張力部は、例えばシーリングフランジの隣接領域により、ぴんと張られた状態で保持される。
【０１３９】
一形態において、シール形成構造は、粘着面または接着面を有しかつ／または他の表面に比べて高い摩擦係数を有する領域を含む。
【０１４０】
本技術の特定の形態において、シール形成構造は、圧力アシストシーリングフランジ、圧縮密閉部、ガスケット密閉部、張力部、および粘着面または接着面を有する部位のうち１つ以上を含み得る。
【０１４１】
５．３．１．２  鼻梁または鼻堤領域
一形態において、非侵襲的患者インターフェース３０００は、使用時に患者の顔の鼻梁領域上にまたは鼻堤領域上に密閉を形成するシール形成構造を含む。
【０１４２】
一形態において、シール形成構造は、使用時において患者の顔の鼻梁領域上または鼻堤領域上にシールを形成するように構築されたサドル状領域を含む。
【０１４３】
５．３．１．３  上唇領域
一形態において、非侵襲的患者インターフェース３０００は、患者の顔の上唇領域（すなわち、上唇）上に使用時に密閉を形成するシール形成構造を含む。
【０１４４】
一形態において、シール形成構造は、使用時において患者の顔の上唇領域上にシールを形成するように構築されたサドル状領域を含む。
【０１４５】
５．３．１．４  顎領域
一形態において、非侵襲的患者インターフェース３０００は、使用時に患者の顔の顎領域上に密閉を形成するシール形成構造を含む。
【０１４６】
一形態において、シール形成構造は、使用時において患者の顔の顎領域上にシールを形成するように構築されたサドル状領域を含む。
【０１４７】
５．３．１．５  前額領域
一形態において、シール形成構造は、シール使用時において患者の顔の前額領域上にシールを形成する。このような形態において、プレナムチャンバは、使用時において眼を被覆し得る。
【０１４８】
５．３．１．６  鼻枕
一形態において、非侵襲的患者インターフェース３０００のシール形成構造３１００は、一対の鼻パフまたは鼻枕を含む。各鼻パフまたは鼻枕は、患者の鼻の各鼻孔とのシールを形成するように構成および配置される。図１２Ａ〜図１２Ｆは、枕クッションモジュール３１６０によって提供されるシール形成構造３１００を有する患者インターフェース３０００を示す。枕クッションモジュール３１６０は、一対の鼻枕３１６５を含む。本例において、図８Ａ〜図９Ｃに示すものと同じ位置決め構造３３００は、枕クッションモジュール３１６０と患者の鼻との密閉接触を保持するために用いられる。クレードルクッションモジュール３１５０について述べた位置決めおよび安定化構造３３００と同じコンセプトおよび特徴が、枕クッションモジュール３１６０（または別の種類のクッションモジュール（例えば、フルフェイスクッションモジュール、口腔鼻クッションモジュール、超コンパクト型フルフェイスクッションモジュール、鼻クッションモジュール））と共に用いられるように構成された位置決めおよび安定化構造３３００に適用され得る。
【０１４９】
本技術の一態様による鼻枕３１６５は、円錐台を含む。円錐台のうち少なくとも一部は、患者の鼻の下側、柄部、円錐台の下側上の可撓性領域上に密閉を形成し、円錐台を柄部へ接続させる。加えて、本技術の鼻枕が接続される構造は、柄部のベースに隣接する可撓性領域を含む。可撓性領域は、自在接合構造を促進するように機能し得る。自在接合構造は、円錐台の変位および角度双方と、鼻枕が接続される構造との相互移動に対応する。例えば、円錐台は、柄部が接続された構造に向かって軸方向に変位し得る。
【０１５０】
５．３．１．７  鼻クレードル
一形態において、例えば、図８Ａ〜図９Ｃに示すように、シール形成構造３１００は、使用時に鼻孔の周囲の鼻下側および任意選択的に患者１０００の上唇とシールを形成するように構成される。この種のシール形成構造は、「クレードルクッション」または「サブ鼻マスク」とも呼ばれ得る。シール形成構造の形状は、患者の鼻の下側に整合するかまたは患者の鼻の下側を近密に追随するように構成され得る（すなわち、シール形成構造のプロファイルおよび角度は、患者の鼻唇角度と実質的に平行であり得る）。鼻クレードルクッションの一形態において、シール形成構造は、２つのオリフィスを規定するブリッジ部位を含む。これら２つのオリフィスはそれぞれ、使用時に空気または呼吸可能なガスを患者鼻孔のうち異なる１つへ供給する。ブリッジ部位は、使用時に患者の鼻柱と接触するかまたは患者の鼻柱をシールするように、構成され得る。本技術のいくつかの形態において、シール形成構造３１００は、患者の鼻の鼻ブリッジ領域と接触すること無く患者の鼻の下側とのシールを形成するように、構成される。いくつかの例において、患者インターフェースは、ＰＣＴ出願第ＰＣＴ／ＡＵ２０１８／０５０２８９号（出願日：２０１８年３月２９日）に記載のようなクレードルクッションの形態をとるシール形成構造３１００を含み得る。本明細書中、同文献全体を参考のため援用する。
【０１５１】
５．３．１．８  鼻マスククッション
一形態において、非侵襲的患者インターフェース３０００は、使用時において患者の顔の上唇領域（すなわち、上唇）、鼻ブリッジ領域、および頬領域上に密閉を形成するシール形成部分を含む。例えば図１Ｂに示した患者インターフェース３０００がこの場合である。このシール形成部分は、空気供給または呼吸可能なガスを単一のオリフィスを介して患者１０００の双方の鼻孔へ送達させる。この種のシール形成構造は、「鼻クッション」または「鼻マスク」とも呼ばれ得る。本技術のいくつかの実施例において、図８Ａ〜図９Ｃに示す位置決めおよび安定化構造３３００は、鼻クッションを患者の顔上の密閉位置に保持するために利用され得る。
【０１５２】
５．３．１．９  フルフェイスマスククッション
一形態において、患者インターフェース３０００は、患者の顔の顎領域、鼻ブリッジ領域、および頬領域上に密閉を形成するシール形成部分を含む。例えば図１Ｃに示した患者インターフェース３０００がこの場合である。このシール形成部分は、空気供給または呼吸可能なガスを単一のオリフィスを通じて患者１０００の双方の鼻孔および口腔へ送達させる。この種のシール形成構造は、「フルフェイスマスク」とも呼ばれ得る。本技術のいくつかの実施例において、図８Ａ〜図９Ｃに示す位置決めおよび安定化構造３３００は、フルフェイスクッションを患者の顔上の密閉位置に保持するために利用され得る。
【０１５３】
５．３．１．１０口腔鼻マスククッション
別の形態において、患者インターフェース３０００は、鼻シール形成構造と、口腔シール形成構造とを含む。鼻シール形成構造は、鼻クッションまたは鼻クレードルクッションの形態をとり、口腔シール形成構造は、使用時に患者口腔周囲にシールを形成するように構成される（これは、「口腔クッション」または「口腔マスク」とも呼ばれ得る）。このようなマスクにおいて、空気または呼吸可能なガスは、使用時に別個のオリフィスを通じて患者の鼻孔および患者の口腔へ供給される。この種のシール形成構造３１００は、「口腔鼻クッション」または「超コンパクト型のフルフェイスクッション」と呼ばれ得る。一形態において、鼻シール形成構造および口腔シール形成構造は、単一のコンポーネントとして一体形成される。いくつかの例において、患者インターフェースは、米国特許出願第６２／６４９，３７６号に記載のようなクレードルクッションの形態のシール形成構造３１００を含み得る。本明細書中、同文献全体を参考のため援用する。
【０１５４】
プレナムチャンバ３２００は、使用時に密閉が形成される領域において平均的な人の顔の表面外形に対して相補的である形状の周囲を有する。使用時において、プレナムチャンバ３２００の周辺縁部は、顔の隣接する表面に近接して位置決めされる。顔との実際の接触は、シール形成構造３１００によって提供される。シール形成構造３１００は、使用時においてプレナムチャンバ３２００の縁部全体の周りに延び得る。いくつかの形態において、プレナムチャンバ３２００およびシール形成構造３１００は、単一の均質的材料ピースから形成される。
【０１５５】
図８Ａ〜図９Ｃに示す患者インターフェース３０００のような、本技術のいくつかの形態において、プレナムチャンバ３２００は、使用時において患者の眼を被覆しない。換言すると、眼は、プレナムチャンバによって規定される加圧空間外にある。このような形態の場合、押しつけがさが低減しかつ／またはより着用者の快適性が増すことが多いため、治療コンプライアンスが向上し得る。
【０１５６】
本技術の特定の形態において、プレナムチャンバ３２００は、透明材料（例えば、透明ポリカーボネート）から構築される。透明材料の利用により、患者インターフェースの押しつけがましさが低減され得、治療へのコンプライアンスの向上が補助され得る。透明材料の利用により、臨床医が患者インターフェースの配置様態および機能を確認することが補助され得る。
【０１５７】
本技術の特定の形態において、プレナムチャンバ３２００は、半透明材料から構成される。半透明材料を用いることにより、患者インターフェースの押しつけがましさを低減することができ、治療へのコンプライアンスの向上を補助することができる。
【０１５８】
５．３．２  位置決めおよび安定化構造
本技術の患者インターフェース３０００のシール形成構造３１００は、使用時において位置決めおよび安定化構造３３００によって密閉位置において保持され得る。位置決めおよび安定化構造３３００は、患者インターフェースを３０００密閉位置において保持するために患者の頭部に係合することから、「ヘッドギア」とも呼ばれることができる。
【０１５９】
一形態において、位置決めおよび安定化構造３３００により、顔から浮き上がるためのプレナムチャンバ３２００中の陽圧の効果に打ち勝つのに少なくとも充分な保持力が得られる。
【０１６０】
一形態において、位置決めおよび安定化構造３３００により、患者インターフェース３０００上への引力に打ち勝つだけの保持力が得られる。
【０１６１】
一形態において、位置決めおよび安定化構造３３００により、患者インターフェース３０００上への破壊的作用の可能性（例えば、管引き摺りまたは患者インターフェースとの不慮の干渉に起因するもの）を解消するための安全マージンとして保持力が得られる。
【０１６２】
本技術の一形態において、患者が睡眠時に装着されるように構成された位置決めおよび安定化構造３３００が提供される。一実施例において、位置決めおよび安定化構造３３００は、装置の感知される嵩または実際の嵩を低減するように、目立たない外形または断面厚さを有する。一実施例において、位置決めおよび安定化構造３３００は、矩形断面を有する少なくとも１つのストラップを含む。一実施例において、位置決めおよび安定化構造３３００は、少なくとも１つの平坦ストラップを含む。
【０１６３】
本技術の一形態において、患者が患者の頭部の後部領域を枕に載せた状態で仰臥位睡眠位置において寝る際の妨げとなるような過度に大きいまたは嵩張るサイズにならないように構成された位置決めおよび安定化構造３３００が提供される。
【０１６４】
本技術の一形態において、患者が患者の頭部の側部領域を枕に載せた状態で側臥位睡眠位置において寝る際の妨げとなるような過度に大きいまたは嵩張るサイズにならないように構成された位置決めおよび安定化構造３３００が提供される。
【０１６５】
本技術の一形態において、位置決めおよび安定化構造３３００は、位置決めおよび安定化構造３３００の前方部位と位置決めおよび安定化構造３３００の後方部位との間に配置された分離部位を備える。この分離部位は、圧縮に耐えず、例えば可撓性またはぺらぺらのストラップであり得る。結合解除部は、患者が頭を枕に載せて横たわったときに結合解除部の存在により後部への力が位置決めおよび安定化構造３３００に沿って伝達されてシールが妨害される事態を回避できるように、構築および配置される。
【０１６６】
本技術の一形態において、位置決めおよび安定化構造３３００は、布地患者接触層、発泡材料内側層および布地外側層の積層物から構成されたストラップ３３１０を含む。一形態において、発泡材料は、湿気（例えば、汗）がストラップ３３１０を通過できるような多孔性である。ストラップ３３１０は呼吸可能であり得るため、ストラップを通じて水蒸気を送ることが可能になる。一形態において、布地外側層は、フック材料部分と係合するループ材料を含む。
【０１６７】
本技術の特定の形態において、位置決めおよび安定化構造３３００は、伸張可能である（例えば、弾力性と共に伸張可能である）ストラップを含む。例えば、ストラップは、使用時にはピンと張った状態にされて、シール形成構造を患者の顔の一部と密着させる力を方向付けるように、構成され得、いくつかの実施例においては、他のストラップまたは他の構造との組合せで構成され得る。一実施例において、ストラップは、タイとして構成され得る。
【０１６８】
タイは、張力に抵抗するように設計された構造として理解され得る。使用時に、タイは、張力下にある位置決めおよび安定化構造３３００の部分である。いくつかのタイは、上記するように、この張力の結果得られる弾力を付加する。タイは、シール形成構造３１００を患者頭部上の治療的に有効な位置に維持するように機能し得る。
【０１６９】
本技術の一形態において、位置決めおよび安定化構造は第１のタイを含み、第１のタイは、使用時においてその下縁部の少なくとも一部が上を通過して患者の頭の上耳底点へ移動し、後頭骨を被覆することなく頭頂骨および／または前頭骨の一部を被覆するように、構築および配置される。第１のタイは、例えばクレードルクッション、鼻枕、鼻クッション、フルフェイスクッションまたは口腔鼻クッションを含む患者インターフェースの一部として設けられ得る。例えば、図８Ａ〜図９Ｃに示すように、位置決めおよび安定化構造３３００は、患者頭部上方に載置される管３３５０の形態の第１のタイを含む。
【０１７０】
鼻専用マスクまたはフルフェイスマスクに適した本技術の一形態において、位置決めおよび安定化構造３３００は、第２のタイを含む。第２のタイは、使用時においてその上縁部の少なくとも一部が患者頭部の下側の下耳底点の下側を通過し、患者頭部の後頭骨を被覆するかまたは患者頭部の後頭骨の下側に載置されるように、構築および配置される。第２のタイは、例えばクレードルクッション、鼻枕、フルフェイスクッション、鼻クッションまたは口腔鼻クッションを含む患者インターフェースの一部として設けられ得る。図８Ａ〜図９Ｃに示すように、位置決めおよび安定化構造３３００は、患者頭部の後面に対向して配置されるストラップ３３１０の形態の第２のタイを含む。
【０１７１】
鼻専用マスクまたはフルフェイスマスクまたは口腔鼻マスクに適した本技術の一形態において、位置決めおよび安定化構造３３００は、患者頸部の後面に対してアンカー固定されるように構成された第３のタイを含む。さらに、いくつかの形態において位置決めおよび安定化構造は、第２のタイおよび第３のタイが相違に離隔方向に移動する傾向を低減させるように第２のタイおよび第３のタイを相互接続させるように構築および配置された第４のタイを含む。
【０１７２】
本技術の特定の形態において、位置決めおよび安定化構造３３００は、屈曲可能であり例えば非剛性であるストラップを含む。本態様の利点として、患者が睡眠時に体を横たえたときにストラップがより快適になっている点がある。図８Ａ〜図９Ｃに示すように、位置決めおよび安定化構造３３００は、屈曲可能なストラップ３３１０を含む。ストラップ３３１０は、バックストラップ（ｂａｃｋｓｔｒａｐ）としてみなされ得る。ストラップ３３１０は、十分に可撓性であるため、（使用時において張力下にある場合でも）患者頭部の後部周囲を通過して患者頭部に対して快適に配置される。
【０１７３】
本技術の特定の形態において、１つよりも多くの位置決めおよび安定化構造３３００を含むシステムが提供される。各位置決めおよび安定化構造３３００は、異なるサイズおよび／または形状範囲に対応するための保持力を提供するように構成される。例えば、システムは、小さなサイズの頭ではなく大きなサイズの頭に適しかつ大きなサイズの頭ではなく小さなサイズの別の頭に適した位置決めおよび安定化構造３３００の一形態を含み得る。
【０１７４】
５．３．２．１  ヘッドギアチュービング
本技術のいくつかの形態において、位置決めおよび安定化構造３３００は、空気回路４１７０の部分を形成する導管から受容された加圧空気を例えばプレナムチャンバ３２００およびシール形成構造３１００を通じてＲＰＴデバイスから患者の気道へ送達させる１つ以上の管３３５０を含む。図８Ａ〜図９Ｃに示す本技術の形態において、位置決めおよび安定化構造３３００は、空気回路４１７０からシール形成構造３１００へ空気を送達させる２つの管３３５０を含む。これらの管３３５０は、患者インターフェースのシール形成構造３１００が患者の顔の適切な部分（例えば、鼻および／または口腔）に位置決めおよび安定配置するための患者インターフェース３０００の位置決めおよび安定化構造３３００の一体部分である。その結果、加圧空気流れを提供する空気回路４１７０の導管を、人によっては目障りになり得る患者の顔の前方以外の位置において患者インターフェースの接続ポート３６００へ接続することが可能になる。一対の管３３５０は、（以下に述べる）いくつかの利点を有するが、いくつかの例において、位置決めおよび安定化構造３３００は、患者頭部の片側上のみに載置されるように構成された単一の管３３５０のみを含む。ストラップまたは他の安定化コンポーネントを単一の管３３５０の上端とシール形成構造３１００との間の患者頭部の他方側へ設けると、シール形成構造３１００上の力の均衡が可能になる。
【０１７５】
加圧空気を空気回路４１７０から患者の気道へ送達させるために空気をヘッドギアチュービング３３５０を通じて収容および移動させることが可能であるため、位置決めおよび安定化構造３３００は、可膨張性のものとして記述され得る。可膨張性の位置決めおよび安定化構造３３００は、位置決めおよび安定化構造３３００の全コンポーネントを膨張可能とすることを必要としないことが理解される。例えば、図８Ａ〜図９Ｃおよび図１２Ａ〜図１２Ｆに示す例において、位置決めおよび安定化構造３３００は、膨張可能であるヘッドギア管材３３５０と、膨張不可能であるストラップ３３１０とを含む。
【０１７６】
本技術の特定の形態において、患者インターフェース３０００は、患者頭部の上部、側部または後部の近隣に配置される接続ポート３６００を含み得る。例えば、図８Ａ〜図９Ｃに示す本技術の形態において、接続ポート３６００は、患者頭部の上に配置される。本例において、患者インターフェース３０００は、接続ポート３６００が設けられたエルボー３６１０を含む。エルボー３６１０は、位置決めおよび安定化構造３３００に対して回転可能であり得、接続ポート３６００へ接続された導管の動きを位置決めおよび安定化構造３３００から連結解除させる。追加的にまたは代替的に、接続ポート３６００へ接続された導管は、エルボー３６１０に対して回転し得る。図示の例において、エルボー３６１０は、空気回路４１７０の導管を接続することが可能なスイベル型導管コネクタを含み、これにより、この導管をエルボー３６１０に対して長手方向軸の周囲に回転させることができる。接続ポート３６００は、例えば図１０Ａおよび１０Ｂに示すような流体接続開口部３３９０を含み得る。いくつかの例において、空気回路４１７０は、流体接続開口部３３９０へ接続し得る。エルボー３６１０は、流体接続開口部へまたは流体接続開口部中に受容されるリングへ回転可能に接続し得る。
【０１７７】
接続ポートが患者の顔の前方に配置されていない患者インターフェースの場合、導管が顔前方の患者インターフェースへ接続されている場合に目障りかつ不快と感じる患者が存在するため、有利であり得る。例えば、顔前方の患者インターフェースへ接続する導管は、特に使用時に導管が患者インターフェースから下方に延びている場合、寝具またはベッドリネンと絡まり易い場合がある。使用時において接続ポートが患者頭部の上方の近隣に配置された患者インターフェースを用いた本技術の形態によれば、患者が以下の位置のうち１つ以上において横たわるかまたは眠った場合により容易またはより快適になり得る：側方または横方向位置、仰臥位位置（すなわち、顔を上に向けた仰向けの状態）、および腹臥位位置（すなわち、顔を下向きにしたうつぶせの状態）。さらに、導管を患者インターフェース前方に接続した場合、管引き摺りとして知られる問題が悪化し得る。管引き摺りにおいては、導管から患者インターフェースに対して望ましくない牽引力が発生し得、その結果、顔から引きずり下ろされる原因となる。
【０１７８】
図８Ａ〜図９Ｃおよび図１２Ａ〜図１２Ｆに示す本技術の形態において、位置決めおよび安定化構造３３００は、２つの管３３５０を含む。各管３３５０は、使用時に患者頭部の異なる側部上に配置され、各頬領域を通じて（患者頭部上の上耳底点の上方の）各耳の上方から患者１０００の頭部の上部のエルボー３６１０へ延びる。この技術形態の場合、患者が横向きに寝ており、管のうち１つが圧縮されて当該管に沿ったガス流れが遮断または部分的に遮断された場合に、その他の管が開口したままであり、加圧ガスを患者に供給できるため、有利であり得る。技術の他の実施例において、患者インターフェース３０００は、異なる数の管（例えば、１つの管または３つ以上の管）を含み得る。患者インターフェースが１つの管３３５０を有する一例において、単一の管３３５０は、使用時に患者頭部の片側（例えば、一方の頬領域上に）配置され、ストラップは、位置決めおよび安定化構造３３００の部分を形成し、患者インターフェース３０００を患者頭部上に固定することを支援するために、使用時に患者頭部の他方側（例えば、他方の領域上）に配置される。
【０１７９】
図８Ａ〜図９Ｃおよび図１２Ａ〜図１２Ｆに示す本技術の形態において、これら２本の管３３５０は、上端において相互に流体接続され、接続ポート３６００へ流体接続される。一実施形態において、これら２つの管は一体形成され、他の実施形態において、これらの管は、別個のコンポーネントであり、使用時に相互接続され、例えば洗浄または保存時には接続解除され得る。別個の管が用いられる場合、これらの管は相互に間接的に接続され得、例えば、それぞれ、管３３５０へそれぞれ流体接続可能な２本の導管アームと、接続ポート３６００として機能しかつ使用時に空気回路４１７０へ接続可能な第３の導管アームまたは開口部とを有するＴ型導管へ接続され得る。接続ポート３６００は、流体接続開口部３３９０内に受容されたエルボー３６１０を２つの一体形成管３３５０の中心に含み得る。エルボー３６１０は、流体接続開口部３３９０中のリング中に受容され本明細書中、同文献全体を参考のため援用する、リング内において回転するように構成され得る。流体接続開口部３３９０を接続ポート３６００そのものとしてみなしてもよい。
【０１８０】
これらの管３３５０は、エラストマー材料（例えば、シリコーン）などの半剛性材料によって形成され得る。例えば、図１０Ａに示すように、左側の延長不可能な管部３３６３から右側の延長不可能な管部３３６３にかけての管３３５０を、単一の均質の材料ピース（例えば、シリコーン）から（例えば成形により）形成することができ得る。これらの管は、自然な事前形成された形状を持ち得、管へ力が付加された場合に屈曲または移動して別の形状をとり得る。例えば、これらの管は、頭部上部と鼻または口領域との間の患者頭部の外形に似た形状の弧状または曲線状を概してとり得る。
【０１８１】
いくつかの例において、位置決めおよび安定化構造３３００は、スリーブ３３６４を管３３５０の周囲に含み得る。例えば、図８Ａ〜図８Ｄに示すように、スリーブ３３６４は、延長不可能な管部３３６３へ設けられる。いくつかの例において、患者インターフェース３０００は、スリーブ３３６４を含まない場合があり得、他の例において、患者インターフェース３０００は、管３３５０のより多くの部分または全体を被覆するスリーブ３３６４を含み得る。スリーブ３３６４は、管３３５０の曲線形状にフィットするように形成され得る。いくつかの例において、スリーブ３３６４は、滑らかな織物から形成される。カバリングが全く無い管３３５０と比較して、スリーブ３３６４は、患者の顔に対してより快適であり得る。
【０１８２】
その内容の全体を本明細書に包含する、米国特許第６，０４４，８４４号に記載のように、管３３５０は、使用時に圧壊した場合（例えば、患者の顔と枕との間において圧壊した場合）において、管を通過する呼吸可能なガスの流れを回避するために、圧壊にも耐え得る。管中の加圧ガスは、使用時の管３３５０の圧壊を回避するかまたは少なくとも制限するためのスプリントとして機能し得るため、圧壊に耐える管は、全ての場合において必要なわけではない。圧壊に耐える管を用いると、単一の管３３５０のみが存在する場合において、有利であり得る。なぜならば、使用時に単一の管が遮断されると、ガス流れが制限され、治療が停止するかまたはその有効性が低下するからである。
【０１８３】
本技術の特定の形態において、管３３５０の１つ以上の部位は、１つ以上の硬質化要素または補剛要素によって硬質化され得る。剛化要素の例を以下に挙げる：管３３５０のうち、他の部分よりも比較的肉厚の部分、管３３５０のうち、他の部分を形成する材料よりも比較的高剛性の材料から形成された部分、および管の一部の内部、外部に取り付けられたかまたは埋設された剛性部材。このような剛化要素を用いた場合、使用時における位置決めおよび安定化構造３３００の機能様態の制御が支援される（例えば、管３３５０に力が付加された場合に管３３５０が変形する可能性が高い場合、管３３５０に力が付加された場合に管３３５０の形状が維持される可能性が高い場合）。このような剛化要素を管３３５０内のどこに配置するかを選択することにより、患者インターフェース３０００の装着時における快適性の促進が支援され得、使用時におけるシール形成構造３１００における良好なシール維持が支援され得る。剛化要素または補剛要素は、位置決めおよび安定化構造３３００内に配置され得る。位置決めおよび安定化構造３３００は、比較的高重量のシール形成構造（例えば、フルフェイスまたは口鼻クッションアセンブリ）を支持するように構成される。
【０１８４】
図８Ａ〜図９Ｃおよび図１２Ａ〜図１２Ｆに示す本技術の形態中の管３３５０の長さは、それぞれ１５〜３０ｃｍ（例えば、それぞれ２０〜２７ｃｍ）である。一例において、管それぞれの長さは、約２６ｃｍである。別の例において管それぞれの長さは、約２３ｃｍである。管の長さは、典型的な患者の頭部の寸法に適するように選択される（例えば、頭部の側部を下方に延びおよび患者の頬領域上に延びる概して弧状の経路（例えば、図８Ａ〜図９Ｃまたは図１２Ａ〜図１２Ｆに示すように）をたどる際に管３３５０の上端が管３３５０の下端がクレードルクッションモジュール３１５０（または枕クッションモジュール３１６０）へ接続する患者の気道への開口部の近隣の領域へ配置される頭部の上部の近隣の領域間の距離）。以下により詳細に述べるように、患者インターフェース３０００は、本技術のいくつかの形態において管３３５０の長さを変化させることができかつ上記長さが収縮、伸長または中立状態の管へ適用され得るように、構成される。管３３５０の長さは、患者インターフェース３０００中の他のコンポーネントの長さ（例えば、管３３５０の上端が接続されるＴ字型導管のアーム長さおよび／またはプレナムチャンバ３２００のサイズ）に依存することが理解される。
【０１８５】
５．３．２．１．１  ヘッドギアコンポーネントの位置決め
各管３３５０は、患者頭部上の接続ポート３６００からの気流を受容し、この気流を患者の気道入口においてシール形成構造へ送達させるように、構成され得る。図８Ａ〜図９Ｃおよび図１２Ａ〜図１２Ｆの例において、少なくとも１つの管３３５０は、患者の頬領域上および患者の耳上の接続ポート３６００からシール形成構造３１００間に延びる（すなわち、使用時に患者頭部の上顎領域を覆うクッションモジュールへ接続する管３３５０の一部と、患者頭部上の上耳底点の上方の患者頭部の領域を覆う管３３５０の一部との間）。１つ以上の管３３５０はそれぞれ、患者の蝶形骨および／または側頭骨ならびに患者の前頭骨および頭頂骨の片方または双方上にも載置され得る。接続ポート３６００およびエルボー３６１０は、使用時において患者の頭頂骨、前頭骨またはこれらの間の接合部上に配置され得る。
【０１８６】
図８Ａ〜図９Ｃおよび図１２Ａ〜図１２Ｆに示す本技術の例示的形態は、管３３５０を有する。これらの管３３５０は、患者頭部の上部周囲において、頭部上部上のエルボー３６１０へ接続する管３３５０の上端から、矢状面の湾曲が相対的に少ない状態でストラップ３３１０が管３３５０へ接続する地点へ曲線状に延びる。後方ヘッドギアストラップ３３１０が管３３５０へ接続する地点と、鼻下側の患者の気道の前方のクレードルクッションモジュール３１５０と接続する管３３５０の下端との間において、管３３５０は、患者の耳と眼との間において頬領域にわたって前方に曲線状に延びる。管３３５０のこの部分の湾曲部の半径は、６０〜１００ｍｍの範囲内（例えば、７０〜９０ｍｍ（例えば、８０ｍｍ））であり得る。管３３５０の下端と、後方ヘッドギアストラップ３３１０が管３３５０へ接続する管３３５０の部分とは、６５〜９０°の範囲（例えば、７５〜８０°）の角度に対し得る。ストラップ３３１０の上方の管３３５０の部位中に存在する実際の曲率と、ストラップ３３１０の下方の管３３５０の部位中に存在する実際の曲率とは、患者セットアップに依存し、実際は、患者の頭部の形状およびサイズならびに患者の選好に応じて異なる。
【０１８７】
患者インターフェース３０００を個々の患者にフィットさせる程度は、管３３５０の長さの変更によって変更することができ、代替的にまたは追加的には、患者頭部上の患者インターフェース３０００の位置、または患者の頭部上のそれらの部分の位置の変更によって変更することができる。例えば、位置決めおよび安定化構造３３００の部分を患者頭部上の後方方向または前方方向に移動させることにより、特定の長さの管３３５０を有する患者インターフェース３０００を患者によりフィットするように調節することができる。例えば、患者の頭部上の管３３５０の接合部をさらに前方（すなわち、前方方向）に移動させると、特定の長さの管３３５０を有する患者インターフェース３０００を、管３３５０の接合部をさらに後方に（すなわち、後方方向）に配置した場合よりもより大きな頭部にフィットさせることが可能になる。ほとんどの患者の場合、管３３５０の接合部が前方に配置された場合、管３３５０の上部は、管３３５０の接合部が後方に配置された場合よりも、患者の頭部のより小さな部分上に配置される。
【０１８８】
本技術の特定の形態において、患者インターフェース３０００は、接続ポート３６００を患者頭部の上部にわたる一定範囲の位置に配置することが可能なように、構成され、これにより、患者インターフェース３０００を個々の患者の快適性またはフィット感に適した位置に配置することが可能になる。患者頭部上の接続ポート３６００の位置と無関係にシール形成構造３１００が患者の顔との有効なシールを形成するようにこれを達成することが可能な１つの方法として、患者インターフェース３０００の上部の動きを患者インターフェース３０００の下部から結合解除させる方法がある。このような分離は、例えばヘッドギア管３３５０の部品を患者インターフェース３０００の他の部品に相対して容易に移動または撓むことを可能にする機構を用いて、達成することができる。以下、このような機構について説明する。
【０１８９】
本技術の特定の形態において、患者インターフェース３０００は、接続ポート３６００が患者頭部の上点に概ね配置されるように、構成される。接続ポート３６００は、矢状面内に配置され得、冠状面に平行な面内の上耳底点と共にアラインされ得る。上耳底点を図２Ｄ中に示す。以下に述べるように、本技術のいくつかの形態において、位置決めおよび安定化構造３３００は、異なる位置で装着されるように構成され、すなわち、接続ポート３６００は、上耳底点から前方２０ｍｍまたは後方２０ｍｍ周囲までの矢状面内の患者頭部の上部の近隣に配置され得る。
【０１９０】
本技術のいくつかの例において、接続ポート３６００は、矢状面内に配置され得、前頭骨と頭頂骨との間において接合部と整列される。接続ポート３６００は、おおよそ冠状縫合および矢状縫合の接合部上に位置決めされ得る。この構成において、管３３５０の上部を冠状縫合の一部上かつ／または冠状縫合の一部に沿って配置することができる。しかし、上記したように、患者は、患者インターフェース３０００のフィット感の調節のために、接続ポート３６００前方または後方に移動させることができる。
【０１９１】
管３３５０を最上点の若干前方（例えば、冠状縫合またはその近隣）において患者の頭部上に配置することによる利点として、使用時において管３３５０が後方向に乗り上げる危険性を低減できる点がある。多数の患者において、冠状縫合が矢状縫合と出会う位置において、凹部または「ディボット」が存在し得る。管３３５０がこのディボット内に配置されている場合、位置決めおよび安定化構造３３００は、特に安定し得る。そのため、いくつかの例において、管３３５０は、曲線状になって冠状縫合上に配置されるような適切な曲率および／または能力と共に構成される。
【０１９２】
上記したように、本技術のいくつかの例において、患者インターフェース３０００は、クレードルクッションの形態のシール形成構造３１００を含む。シール形成構造３１００は、概して鼻の下側に配置され、鼻の下周囲部をシールする。位置決めおよび安定化構造３３００は、シール形成構造３１００を鼻下側の患者の顔中に（後および上方向（例えば、後上方の方向）を有するシーリング力ベクトルにより）牽引するような構造および配置にされ得る。後上方の方向へのシーリング力ベクトルにより、患者の鼻の下周囲部および患者の顔の前方面双方に対して患者の鼻および上唇のいずれかの側部上において良好にシールを形成するシール形成構造３１００が促進され得る。
【０１９３】
いくつかの例において、使用時において、位置決めおよび安定化構造３３００は、およそ３５°の角度において患者のフランクフルト水平に対して後上方の方向を有するシーリング力ベクトルを付加し得る。管３３５０の上部（例えば、ストラップ３３１０の上方の管３３５０の部位）は、垂直方向に方向付けられ得、後方ヘッドギアストラップ３３１０は、およそ３５°の角度において患者のフランクフルト水平に対して管３３５０から後下方方向に延び得る。この特定のセットアップにおいて、ストラップ３３１０と、（ストラップ３３１０が管３３５０へ接続される）管３３５０の上部との間において、１２５°の角度が形成される。
【０１９４】
図８Ｄは、患者が患者インターフェース３０００を着用している様子の側面図である。ストラップ３３１０が管３３５０へ接続される位置の近隣において患者それぞれの耳の上方の点３３０８上に作用する特定の力を図８Ｄ中に示す。管３３５０の上部から、ヘッドギア張力に起因する力３３０１が点３３０８へ付加され得る。力３３０１は、実質的に垂直方向を有し得る。（例えば、シール形成構造３１００と後方ヘッドギアストラップ３３１０への接続との間の）管３３５０の下部から、力３３０３が（管３３５０の上部から付加される垂直力３３０１に対して前下方向においておよそ１２５°の角度において）この点３３０８上へ付加され得る。シール形成構造３１００を鼻の下側の患者の顔内へ牽引させるシーリング力に対し、力３３０３は、大きさが等しくかつ方向が反対であり得る。力の均衡をとるために、管３３５０の上部から付加される垂直力３３０１に対し、ストラップ３３１０からの力３３０２が後下方方向においておよそ１２５°の角度において付加される。そのため、患者の耳の上方の各管３３５０に沿って点３３０８へ付加される前下方力３３０３と、ストラップ３３１０から付加される後下方力３３０２との間の角度はおよそ１１０°になる。
【０１９５】
位置決めおよび安定化構造３３００をクレードルクッションと共に用いる場合、多くの患者について、３５°のシーリング力ベクトルが最適と考えられ得る。さらに、上記した位置決めおよび安定化構造３３００の各部から付加される力の方向は、理想的なものとみなされ得る。しかし、実際は、ヘッドギアの各部から付加される力の実際の方向は、各患者の特定の解剖学的構造および選好に対応するために異なることが理解される。
【０１９６】
例えば、多くの例において、位置決めおよび安定化構造３３００は、管３３５０の上部が最上点の若干前方において患者頭部上に配置されるように、構成され得る。その結果、いくつかの患者の場合、管３３５０は、頭蓋骨の冠状縫合またはその近隣にある若干の凹部内に配置されるように、垂直方向に（例えば、冠状面に）整列されるのではなく若干前方に角度を付けて配置される場合がある。そのような例において、ストラップ３３１０における張力を患者が調節して、力のバランスをとり、最適なシーリング力ベクトルを達成することができる。
【０１９７】
いくつかの例において、位置決めおよび安定化構造３３００は、シール形成構造３１００上に後上方の方向において上唇と鼻柱との間に形成される角度（例えば、鼻唇角度を形成する表面）を二等分する角度において力を付加するように、構成され得る。
【０１９８】
本技術の特定の例において、管３３５０は、患者の耳の上方および近隣の位置においてストラップ３３１０を受容するように構成される。患者頭部に対して高すぎる位置においてストラップ３３１０が管３３５０へ接続されると、ストラップ３３１０は、患者の頭部後部上に乗り上げる傾向になり得る。さらに、ストラップ３３１０は、ヘッドギア管３３５０の上部に対して大きすぎる角度を形成する場合もあり、その結果、患者がストラップ３３１０を過度に締める必要性に繋がり得、その場合、位置決めおよび安定化構造３３００中の張力が過度になり得、ストラップ３３１０が患者の頭部後部に乗り上げる可能性も高くなる。そのため、ストラップ３３１０と管３３５０との間の接続をできるだけ低くしつつ患者の耳上部から十分に間隔を空けて配置すると、ストラップ３３１０の締結時において管３３５０が引っ張られて患者の耳と接触することが無くなるため、有利である。
【０１９９】
５．３．２．１．２  ヘッドギア管の流体接続
２本の管３３５０は、その下端においてプレナムチャンバ３２００へ流体接続される。図８Ａ〜図９Ｃおよび図１２Ａ〜図１２Ｆの例において、管３３５０により、クレードルクッションモジュール３１５０およびシール形成構造３１００との流体接続が形成される。本技術の特定の形態において、管３３５０と、クレードルクッションモジュール３１５０との間の接続は、患者が２つの剛性コンポーネントを信頼性の高い様態で容易に接続することができるような２つの剛性コンポーネントの接続により、達成される。「確認可能なクリック音」や類似の音による触覚フィードバックを用いると、患者によって使用が容易であり得、また、管が正しくクレードルクッションモジュール３１５０へ接続されたことを患者が知ることもできる。一形態において、管３３５０はシリコーンから形成され、シリコーン管３３５０のそれぞれの下端は、例えばポリプロピレン、ポリカーボネート、ナイロンなどから形成された剛性コネクタへオーバーモールドされる。剛性コネクタは、クレードルクッションモジュール３１５０上の雌噛み合いフィーチャへ接続するように構成された雄噛み合いフィーチャを含み得る。あるいは、剛性コネクタは、クレードルクッションモジュール３１５０上の雄噛み合いフィーチャへ接続するように構成された雌噛み合いフィーチャを含み得る。管３３５０をクレードルクッションモジュール３１５０へ接続させる様態は、管３３５０と鼻クッションモジュール３１５０または別のプレナムチャンバ３２００またはシール形成構造３１００との間の接続にも適用可能であり得る。
【０２００】
別の実施形態において、圧縮シールは、各管３３５０をクレードルクッションモジュール３１５０へ接続させるために用いられる。例えば、弾性の可撓性（例えば、シリコーン）管３３５０を剛性コネクタ無しで用いる場合、管３３５０を若干圧縮して直径を低減させて、プレナムチャンバ３２００中のポート中に押し込むことができるようにする必要があり得、シリコーンの固有の弾性により管３３５０を外方に押圧して、管３３５０をポート中に気密にシールする。管３３５０とポートとの間の係合が剛性対剛性型の係合である場合、周辺シーリングフランジなどの圧力活性シールが用いられ得る。加圧ガスが管３３５０を通じて供給されると、シーリングフランジは、管と、プレナムチャンバ３２００のポートの内周面との間の接合に対して推進されて、両者間のシールを促進させる。ポートが柔軟であり、剛性コネクタが管３３５０へ提供されると、上記したような圧力活性シールは、接続が気密であることを確認するためにも用いられ得る。別の例において、各管３３５０は、弾性的に可撓性（例えば、シリコーン）材料から形成され、剛性コネクタへオーバーモールドされるため、この弾性的に可撓性材料が剛性コネクタ上にフィットされかつこの弾性的に可撓性材料自身がガスケットとして機能して、管３３５０と気流通路周囲のクレードルクッションモジュール３１５０との接続をクレードルクッションモジュール３１５０のプレナムチャンバ３２００中への管３３５０からシールすることができる。
【０２０１】
本技術のいくつかの形態において、同様の接続機構が、接続ポート３６００を規定するかまたは接続ポート３６００へ接続可能なＴ字型の上部材により管３３５０へ流体接続する際に用いられ得る。一実施形態において、接続ポート３６００において接続されたスイベルエルボーは回転可能であるため、この回転により、管３３５０の挿入先であるポートのサイズを増減させるポートサイズ調節機構を駆動させ、圧縮力の増減を通じて管のフィットを向上させ、意図しない漏洩を低減させる。
【０２０２】
５．３．２．１．３  延長可能な蛇腹構造
患者インターフェース３０００は、１つ以上の延長可能な管部を含み得る。いくつかの例において、延長可能な管部は、延長可能な蛇腹構造３３６２を含む。患者インターフェース３０００は、位置決めおよび安定化構造３３００を含み得る。位置決めおよび安定化構造３３００は、延長可能な蛇腹構造３３６２を有する管壁３３５２を含む少なくとも１つのガス送達管を含む。例えば、図８Ａ〜図９Ｃおよび図１２Ａ〜図１２Ｆに示す患者インターフェース３０００は、管３３５０を含み、管３３５０の上部には、それぞれが延長可能な蛇腹構造３３６２の形態をした延長可能な管部が設けられる。
【０２０３】
各延長可能な蛇腹構造３３６２は、管３３５０の延長可能部を形成するために、１つ以上の折部、プリーツ、コルゲーションまたはベローズを有する管３３５０の一部を含み得る。図８Ａ〜図９Ｃに示す例において、延長可能な蛇腹構造３３６２はそれぞれ、延長可能な蛇腹構造の形態をとる。延長可能な蛇腹構造３３６２は、エルボー３６１０および接続ポート３６００によって分離される。延長可能な蛇腹構造３３６２は、長さが変更可能である。詳細には、各延長可能な蛇腹構造３３６２は、各管３３５０の長さを変化させるために、伸長または収縮することが可能である。
【０２０４】
いくつかの例において、各ガス送達管３３５０は、延長可能な蛇腹構造３３６２において、幅および高さを有する断面を含み得る。上記幅は、上記高さよりも大きく、使用時において前方向−後方向と実質的に整列される。例えば、図８Ａ〜図８Ｃに示す患者インターフェース３０００は、各々が断面幅が断面高さよりも大きな延長可能な蛇腹構造３３６２を含む。上記幅は、図示の患者１０００の前方向および後方向と整列された寸法である。本例において、上記幅は、上記高さよりもおよそ２倍大きい。すなわち、本例において、上記幅は、延長可能な蛇腹構造３３６２の高さに沿って低減する。各延長可能な蛇腹構造３３６２の上端または中間端において、延長可能な蛇腹構造３３６２を形成する管壁の幅は、比較的大きく、内部においてスイベルエルボー３６１０が管３３５０中に受容されるリングと同様のサイズである。各延長可能な蛇腹構造３３６２の下縁または側縁において、管壁の幅は、比較的小さく、延長不可能な管部３３６３の幅と同様のサイズである。エルボー３６１０への接続のより大きな管サイズと延長不可能な管部３３６３のより小さな管サイズとの間の幅が変化する延長可能な蛇腹構造３３６２により、滑らかかつ連続した管３３５０が得られるため、快適性が増しかつ／または美観も増す（その結果、患者の治療へのコンプライアンスが向上し得る）。
【０２０５】
５．３．２．１．３．１  可屈曲性
本技術のいくつかの例において、位置決めおよび安定化構造３３００の一部は、いくつかの方向またはその周囲あるいはいくつかの軸またはその周囲における屈曲により耐えるように、構成される。
【０２０６】
例えば、図８Ａ〜図９Ｃに示す位置決めおよび安定化構造３３００の各管３３５０の上部は、直交方向よりも特定の方向においてより屈曲可能であり得る。位置決めおよび安定化構造３３００の各ガス送達管３３５０は、使用時において（図８Ａ〜図８Ｃに示すように）患者頭部の上領域上に載置されるように構成される上側管部３３０４を含み得る。図示の例において、上側管部３３０４は、延長可能な蛇腹構造３３６２を含む。本技術の他の例において、上側管部３３０４は、別の延長可能な管構造（例えば、ＰＣＴ特許公開第ＷＯ２０１７／１２４１５５に開示される選択肢のうちの１つ）本明細書中、同文献それぞれの内容全体を参考のため援用する）を含み得るか、または延長不可能であり得る。
【０２０７】
上側管部３３０４は、第１の端部３３０５および第２の端部３３０６を含み得る。本例において、第１の端部３３０５は、およそ患者の頭部の矢状面（例えば、患者の頭部のおよそ上部および中心）において、患者の頭部の上部上に載置または配置されるように構成される。第２の端部３３０６は、第１の端部３３０５から患者の頭部上に横手方向（例えば、患者の頭部側部のより近く）に載置されるように、構成される。いくつかの例において、上側管部３３０４がそれほど長尺ではない場合、第２の端部３３０６は、第１の端部３３０５に対して横方向に配置され得るが、特に第１の端部３３０５の下側には配置されない場合がある。他の例において、上側管部３３０４がより長尺である場合、第２の端部３３０６は、第１の端部３３０５に対して横方向および下方双方において配置され得る。図１３は、位置決めおよび安定化構造３３００の別の例の一部を示す。図８Ａ〜図９Ｃおよび図１３の位置決めおよび安定化構造は、複数の軸周囲において屈曲することが可能である。例えば、図１３中の位置決めおよび安定化構造３３００は、患者頭部上を下方にドレープ状に延びることができ、前方向および後方向において曲線状になることも可能である。図１３に示すように、上側管部３３０４は、２本の軸周囲において屈曲される。
【０２０８】
上側管部３３０４は、第１の端部３３０５と第２の端部３３０６との間の１つ以上の硬質部も含み得る。これらの硬質部（単数または複数）は、第１の端部３３０５と第２の端部３３０６との間の相対運動に対する抵抗が上方向および／または下方向においてよりも前方向および／または後方向においてより高くなるように、構成され得る。
【０２０９】
患者が位置決めおよび安定化構造３３００を着用すると、垂直方向における屈曲に対する上側管部３３０４の抵抗が比較的低くなり得るため、第２の端部３３０６は、第１の端部３３０５に対して下方に移動することができる。その結果、上側管部３３０４が患者頭部の上部上から患者頭部の側部にかけて下方に「ドレープ状に」延びることが可能になり、有利である。比較的高い可屈曲性および上方向／下方向は、上側管部３３０４を患者頭部の曲率に適合させることが可能になる点において有利であり得る。
【０２１０】
さらに、上側管部３３０４は、水平方向における屈曲に対して比較的高い抵抗を有し得るため、第１の端部３３０５が第２の端部３３０６に対して前方および／または後方に不意に移動することが無くなる。その結果、上側管部３３０４を患者頭部上方の所望の位置に保持することが可能になり、有利である。上側管部３３０４および特に接続ポート３６００は、前方向および／または後方向への屈曲に対する抵抗がより低いため、使用時において患者頭部上部に沿って前方または後方に乗り上げる可能性がより低くなり得る。上側管部３３０４の前方または後方の動きに対するこのような抵抗があると、空気回路４１７０から患者の頭頂部への接続が有る場合に患者インターフェース３０００にとって特に有利である（すなわち、管抗力が、上側管部３３０４上に直接作用し得る）。
【０２１１】
いくつかの例において、上側管部３３０４は、屈曲への有利な抵抗を固有に提供する形状を含み得る。例えば、上側管部３３０４は、矩形の断面を含み得、この断面の平行な長辺の１つが、患者の頭部表面に載置されるように構成される。矩形断面の長辺により、長辺に対して平行方向において（例えば、使用時において前方向および／または後方向において）上側管部の屈曲に対して比較的高い抵抗が得られる。しかし、矩形／台形断面の短辺からは、上側管部３３０４の屈曲および短辺に対して平行方向（例えば、使用時における下方向および／または上方向）においてそのような高い抵抗は得られない。上側管部３３０４の断面は、完璧な矩形ではない場合があり得ることが理解される。例えば、角部および／または短辺を曲線状にすることができる。
【０２１２】
硬質部は、管３３５０の管壁によって形成されるかまたは管３３５０の管壁へ提供される１つ以上の剛化構造により、形成され得る。図８Ａ〜図１０Ｊに示す例において、硬質部は、管壁内の折り目によって形成された隣接する隆起部の分離に耐えるように構成された複数の隆起部接続部３３７０により、形成される。詳細には、硬質部は、上側管部３３０４の側部および上側管部３３０４の後側双方に沿った一連の隆起部接続部３３７０によって形成される。管３３５０の前側および後側双方上に硬質部を含む管３３５０は、管３３５０の前側および後側双方への屈曲に対してより高い抵抗を有し得るため、有利である。しかし、いくつかの例において、剛直性に応じて硬質部を片側のみに設けた方が双方向への屈曲に対する抵抗を十分にすることが可能になり得るため、硬質部は、管３３５０の前側または後側のみへ設けられる。
【０２１３】
いくつかの例において、管３３５０の硬質部は、上側管部３３０４の延長可能部へ設けられ得る。図８Ａ〜図１０Ｊに示す例において、延長可能部は、以下にさらに詳述するように、管３３５０の管壁中に形成された延長可能な蛇腹構造３３６２と、複数の隆起部３３７２および複数の溝部３３７３を含む延長可能な蛇腹構造３３６２とを含む。本例において、硬質部は、管壁中に形成された複数の隆起部接続部３３７０を含み、複数の隆起部接続部３３７０はそれぞれ、一対の隣接する隆起部３３７２へ接続する。以下、隆起部接続部３３７０の硬質化効果について、さらに詳述する。
【０２１４】
本技術の他の例において、患者インターフェース３０００は、隆起部接続部以外の構造によって形成された硬質部を有する管３３５０を含み得る。いくつかの例において、管３３５０の部位（例えば、前部および／または後部）は、１つ以上の剛化要素によって硬質化された硬質部を含み得る。管３３５０は、管壁内に埋設された管３３５０よりも剛直性が高い１つ以上の剛性付与コンポーネントにより、剛性付与され得る。例えば、管壁は、管壁部よりも硬質の材料から形成された細長の棒またはロッドへオーバーモールドされ得る。他の例において、管壁の硬質部は、管壁のジオメトリのさらなる特徴により得られ得る。一例において、管壁は、管３３５０の前側および／または後側においてより大きな材料厚さを含み得る。別の例において、管壁は、管３３５０の硬質部においてより小さな溝部深さ（または隆起部高さ）を含み得る。
【０２１５】
５．３．２．１．３．２  隆起部および溝部
各延長可能な管部を形成する延長可能な蛇腹構造３３６２は、図１０Ｄ〜図１０Ｊに示すように、複数の隆起部３３７２および複数の溝部３３７３を含む。隆起部３３７２および溝部３３７３を各管３３５０の壁内に交互に形成して、蛇腹構造を形成する。交互の一連の隆起部および溝部は、溝部が各一対の隆起部間に設けられかつ隆起部が各一対の溝部（例えば、隆起部、溝部、隆起部、溝部）間に設けられる一連のものを指すものとして、理解される。
【０２１６】
交互の隆起部３３７２および溝部３３７３の機能は、個別に折り畳むかまたは展開することができるしあるいは協働して延長可能な蛇腹構造３３６２およびよって各管３３５０を短尺化または長尺化させることもできるなどである。大きな溝部深さ（または隆起部高さ）により、より延長可能な管３３５０が得られ得る。管３３５０へ張力が付加されると、延長可能な蛇腹構造３３６２の隆起部３３７２および溝部３３７３は、相互に離隔方向に引き離されて、その結果管壁が直線状になり、管３３５０が延長される。本例において、延長可能な蛇腹構造３３６２は、元々の（例えば、非伸長の）長さへ付勢される。ヘッドギアの張力が解放されると、隆起部３３７２および溝部３３７３が付勢されて、各延長可能な蛇腹構造３３６２および管３３５０が元々の長さを有する元々の構成へ戻る。
【０２１７】
隆起部３３７２および溝部３３７３により、長さの変更が促進されるだけでなく、各管３３５０の延長可能な蛇腹構造３３６２の形状の変化も促進され得る。本技術のいくつかの例において、第１の一連の交互の隆起部３３７２および溝部３３７３が、延長可能な蛇腹構造３３６２内の管３３５０の第１の側部（例えば、患者接触側）へ設けられ、第２の一連の交互の隆起部３３７２および溝部３３７３が、管３３５０の第２の反対側（例えば、非患者接触側）へ設けられる。隆起部３３７２および溝部３３７３は、管３３５０の異なる側部上において異なる度だけ相互に移動することが可能であるため、延長可能な蛇腹構造３３６２により、管３３５０の屈曲が促進され得る。例えば、管３３５０の第１の側部上において、隆起部３３７２および溝部３３７３が接触し得る一方、管３３５０の第２の側部上において、隆起部３３７２および溝部３３７３は膨張し得るため、その結果、管３３５０は延長可能な蛇腹構造３３６２内において屈曲する。あるいは、第１の側部および第２の側部双方上の隆起部３３７２および溝部３３７３は使用時に膨張し得る一方、第１の側部上の隆起部３３７２および溝部３３７３は若干しか膨張し得ないため、管３３５０は、第１の側部の方向において屈曲する（例えば、曲線状になる）ことができ、例えば長さを伸長させつつ患者頭部に適合または患者頭部を包囲（例えば、ドレープ状に被覆する）ことができる。
【０２１８】
いくつかの例において、第１の交互の一連の隆起部３３７２および溝部３３７３は、第２の交互の一連の隆起部３３７２および溝部３３７３よりも、引張り剛性をより低くすることができ得る（例えば、単位長さの変更の達成に必要な力を低くすることができ得る）。延長可能な蛇腹構造３３６２の非患者接触側の引張り剛性が低いため、管３３５０のアウトボード側を伸長させて延長可能な蛇腹構造３３６２中の管３３５０のインボード側よりも長い円弧長さを被覆することにより、使用時における管３３５０における屈曲／曲率を有利に促進することが可能になり得る。第１および第２の交互の一連の隆起部３３７２および溝部３３７３双方の引張り剛性は相互に異なり得るものの、延長可能な蛇腹構造３３６２の所望の全体的な引張り剛性を達成するように、それぞれの引張り剛性を選択することができる。
【０２１９】
隆起部３３７２および溝部３３７３はそれぞれ、管３３５０の長手方向軸の大部分（例えば、管３３５０の側部の全体またはほとんど全体）の周囲において管壁の一部に沿って形成され得る。その結果、延長可能な蛇腹構造３３６２を複数の軸周囲において屈曲させることが可能になり得る。図１０Ｈ〜図１０Ｊおよび図１３に示すように、本技術の例による延長可能な蛇腹構造３３６２により、管３３５０を複数の軸において得ることが可能になり得る。図１０Ｈおよび図１０Ｉにおいて、延長可能な蛇腹構造３３６２が（例えば、患者頭部上にドレープ状に広がるように）上方向−下方向において屈曲する様子が図示され、図１０Ｊにおいて、延長可能な蛇腹構造３３６２が前方向−後方向において（例えば、管３３５０を異なる位置において患者頭部上部上に配置できるように）屈曲する様子が図示され、図１３において、延長可能な蛇腹構造１０Ｊが上−下方向および前方向−後方向双方において同時に屈曲する様子が図示される。
【０２２０】
いくつかの例において、隆起部３３７２および溝部３３７３はそれぞれ、実質的に直線状である。他の例において、隆起部３３７２および／または溝部３３７３は、１つ以上の弓状部を含み得る。
【０２２１】
図１０Ｄに示すように、各隆起部３３７２は、中央の曲線状の隆起部位３３７４を含む。すなわち、各隆起部３３７２は、高精度部をその中心に含む。しかし、各隆起部３３７２の端部において、直線状隆起部位３３７５が設けられる。そのため、隆起部３３７２はそれぞれ、隆起部３３７２の反対端部に設けられた一対の直線状隆起部位３３７５を含む。
【０２２２】
同様に、各溝部３３７３は、曲線状の溝部位３３７６を各溝部の中央に含む。そのため、各溝部３３７３の中心は高精度となる。さらに、各溝部３３７３の端部において、直線状溝部位３３７７が設けられる。溝部３３７３はそれぞれ、溝部３３７３の反対端部に設けられた一対の直線状溝部位３３７７を含む。曲線状の溝部位３３７６はそれぞれ、一対の隣接する隆起部３３７２の曲率（詳細には、曲線状の隆起部位３３７４の曲率）と整合するかまたは一対の隣接する隆起部３３７２の曲率（詳細には、曲線状の隆起部位３３７４の曲率）によって規定される曲率を含み得る。
【０２２３】
隆起部接続部３３７０はそれぞれ、一対の隆起部３３７２の直線状隆起部位３３７５において各隣接する対の隆起部３３７２へ接続する。直線状溝部位３３７７はそれぞれ、（各直線状溝部位３３７７の場合と同様に、管３３５０の上側または下側にあるかに応じて）いずれかの側部の隣接する直線状隆起部位３３７５間において直線状溝部位３３７７の上方または下方の管３３５０および隆起部接続部３３７０の長さに沿って規定され得る。
【０２２４】
延長可能な蛇腹構造３３６２は、隆起部３３７２および溝部３３７３をガス送達管３３５０の外部に含む一方、延長可能な蛇腹構造３３６２を形成する折り目によっても、（例えば、波状形状（例えば、正弦状形状、方形波他の波形）を管壁中に形成する折り目によって）隆起部および溝部がガス送達管３３５０の内部に形成され得る。図１０Ｂは、管壁内に形成された特定の波状形状を示す。図１０Ｂに示すように、延長可能な蛇腹構造３３６２は、内部隆起部３３８２および内部溝部３３８３を形成する折り目を含む。詳細には、管壁内の折り目により、管３３５０の内部において、第１の交互の一連の内部隆起部３３８２ａおよび内部溝部３３８３ａが管３３５０の非患者接触側に沿って形成される。さらに、これらの折り目により、第２の交互の一連の内部隆起部３３８２ｂおよび内部溝部３３８３ｂが管３３５０の患者接触側に沿って形成される。
【０２２５】
第１の交互の一連のものの各内部溝部３３８３ａは、第２の交互の一連のものの各内部溝部３３８３ｂの反対側において管３３５０の内部にわたって設けられ得、複数の対向する溝部対を形成する。すなわち、管３３５０の非患者接触側上の各内部溝部３３８３ａを、患者接触側の反対側の内部溝部３３８３ｂと対にすることができ得る。図１０Ｂに示すように、各対向する溝部対は、第１の内部溝部３３８３ａおよび第２の内部溝部３３８３ｂを含む。本例において、第１の内部溝部３３８３ａの溝部深さは、第２の内部溝部３３８３ｂよりも大きい。各対向する溝部対において第１の内部溝部３３８３ａの溝部深さをより大きくすることにより、第１の交互の一連の隆起部および溝部の引張り剛性は、第２の交互の一連のものよりも低くなる。本技術の他の例において、第１の交互の一連のものを形成する隆起部および溝部の比較的低い剛直性は、第２の交互の一連の隆起部および溝部の硬質化により、可能になり得る。一例において、（以下に別個に記載の）隆起部接続部３３７０は、隣接する隆起部の対へ接続するように、管壁へ設けられる。別の例において、第２の交互の一連の隆起部および溝部は、第１の交互の一連ものよりも硬質の材料（例えば、剛直性がより高い異なる材料または（シリコーンから形成された管の場合は）デュロメータがより高いシリコーンの領域）によって形成される。さらなる例において、第２の交互の一連の隆起部および溝部は、剛化コンポーネントにより硬質化され得る。
【０２２６】
図示の例において、管３３５０の管壁は、各対向する溝部対の第２の内部溝部３３８３ｂのベースにおける材料厚さが各溝部対の第１の内部溝部３３８３ａのベースにおける材料厚さよりも大きい。溝部対それぞれの第２の内部溝部３３８３ｂの基盤を形成する材料厚さが大きいほど、第２の内部溝部３３８３ｂの溝部深さが小さくなる。溝部深さが小さくなると、延長可能な蛇腹構造３３６２の（第２の交互の一連の隆起部および溝部を有する側の）伸長可能性が低下する。
【０２２７】
図１０Ｂに示すように、第２の交互の一連のものの各内部溝部３３８３ｂのベースにおける管壁の材料厚さは、管３３５０の長さに沿って接続ポート３６００の近隣の第１の端部から第２の端部にかけて小さくなる。さらに、第１の交互の一連のものの各内部溝部３３８３ａのベースにおける管壁の材料厚さは、管３３５０の長さに沿って実質的に一定である。第１のおよび第２の交互の一連の内部隆起部３３８２および内部溝部３３８３の内部溝部３３８３ａおよび３３８３ｂの溝部深さは、ガス送達管３３５０の長さに沿って接続ポート３６００に隣接する第１の端部から第２の端部にかけて低下する。溝部深さが管３３５０の両側において延長可能な蛇腹構造３３６２の長さに沿って低下すると、より大きな接続ポート３６００とより小さな延長不可能な管部３３６３との間の管３３５０のサイズ変更が促進される。溝部深さは、第１の端部においてよりも第２の端部において概して小さいものの、各対向する溝部対について、延長可能な蛇腹構造３３６２の第２の患者接触側の第２の内部溝部３３８３ｂの溝部深さは、第１の非患者接触側の反対側の第１の内部溝部３３８３ａの溝部深さよりも小さい。
【０２２８】
本例において、各対向する溝部対の第１の内部溝部３３８３ａは、各対向する溝部対の第２の内部溝部３３８３ｂへ非患者接触側と患者接触側との間の管３３５０の側部において接合される。すなわち、管３３５０は、管壁の内部周囲までずっと溝状にされる。そのため、各対向する溝部対の第１の内部溝部３３８３ａおよび第２の内部溝部３３８３ｂは連続する。同様に、第１の交互の一連の内部隆起部３３８２ａおよび内部溝部３３８３ａの各内部隆起部３３８２ａは、第２の交互の一連内部隆起部３３８２ｂおよび内部溝部３３８３ｂの反対側の内部隆起部３３８２ｂと連続する。
【０２２９】
５．３．２．１．３．３  隆起部接続部
図１０Ｄ〜図１０Ｊに示すように、延長可能な蛇腹構造３３６２は、ガス送達管３３５０の管壁へ設けられた複数の隆起部接続部３３７０も含む。隆起部接続部３３７０はそれぞれ、一対の隣接する隆起部３３７２へ接続する。隆起部接続部３３７０はそれぞれ、管壁の一体形成された部位を含み得る。各隆起部接続部３３７０は、管壁中へ形成され得る。各隆起部接続部３３７０は、２つ以上の隣接する隆起部３３７２へ接続し、隆起部３３７２の分離に耐えるように構成される。隆起部接続部３３７０は、隆起部３３７２の分離は回避できないが、延長可能な蛇腹構造３３６２の剛直性を増大させ得る。
【０２３０】
隆起部接続部３３７０の１つの機能として、延長可能な蛇腹構造３３６２の伸長能力を低減させることがある。延長可能な蛇腹構造３３６２は、伸長するものとして意図され、長さ延長可能な管３３５０に関連する利点もあるものの、延長可能な管３３５０の延長可能性が過度になると、患者にとって快適かつ確実な使用が困難になり得る。そのため、隆起部接続部３３７０は、延長可能な蛇腹構造３３６２の長さ伸長能力は抑制するが、伸長そのものを妨げることはしない。図示の例において、隆起部接続部３３７０は、隆起部３３７２および溝部３３７３と共に、延長可能な蛇腹構造３３６２を形成する。延長可能な蛇腹構造３３６２により、管３３５０の長さまでの十分な伸長が促進されて、位置決めおよび安定化構造３３００が（十分な張力およびシーリング力を達成できないほど可撓性になること無く）一定範囲の患者頭部サイズに適合する能力が向上される。
【０２３１】
延長可能な蛇腹構造３３６２の各一対の隣接する隆起部３３７２は、少なくとも１つの隆起部接続部３３７０によって接続され得る。代替的にまたは追加的に、一対以上の隣接する隆起部３３７２は、２つの隆起部接続部３３７０により接続され得る。図１０Ｄ〜図１０Ｊに示すように、延長可能な蛇腹構造３３６２の各一対の隣接する隆起部３３７２は、２つの隆起部接続部３３７０によって接続される。隆起部接続部３３７０はそれぞれ、ガス送達管３３５０の下側（例えば、患者接触側）とガス送達管３３５０の上側（例えば、上方および／または外方を向く側）との間において中心において間隔を空けて配置され得る。
【０２３２】
隆起部接続部３３７０の別の機能として、延長可能な蛇腹構造３３６２の硬質化を局所的に行うことを可能にする点がある。延長可能な蛇腹構造３３６２の硬質化を局所的に行うと、１つの軸周囲において容易に屈曲できかつ異なる軸周囲における屈曲に対して特定の抵抗を有することを意図するヘッドギア管３３５０にとって有利であり得る。
【０２３３】
いくつかの例において、管３３５０の他方側よりも屈曲しないように構成された管３３５０の一方側上の隆起部３３７２と溝部３３７３との間において、隆起部接続部３３７０が設けられる。１つ以上の隆起部接続部３３７０は、ガス送達管３３５０の前方を向く側上に配置され得る。代替的にまたは追加的に、１つ以上の隆起部接続部３３７０は、ガス送達管３３５０の後方を向く側上に配置され得る。
【０２３４】
図示の例において、図１０Ｄ〜図１０Ｊに示すように、隆起部接続部３３７０は、延長可能な蛇腹構造３３６２の前側および後側の隆起部３３７２間において、位置決めおよび安定化構造３３００へ設けられる。すなわち、各一対の隣接する隆起部３３７２は、ガス送達管３３５０の前方を向く側に配置された隆起部接続部３３７０により接続される。さらに、各一対の隣接する隆起部３３７２は、ガス送達管３３５０の後方を向く側に配置された隆起部接続部３３７０により接続される。
【０２３５】
本例において、隆起部接続部３３７０は前側および後側に設けられるため、隆起部接続部３３７０から、前方向および後方向に屈曲する延長可能な蛇腹構造３３６２に対し、（上方向および下方向における屈曲よりも）より大きな抵抗が提供される。このようにすると有利である理由として、延長可能な蛇腹構造３３６２が屈曲して患者頭部の上面および側面にフィットすることができる能力が維持される点がある。このような屈曲能力により、管３３５０は、患者頭部上に下方にドレープ状に延びて、快適にフィットすることが可能になる。一方、延長可能な蛇腹構造３３６２が前方向および後方向に屈曲する能力が低下すると、位置決めおよび安定化構造３３００の最上部が使用時において前方または後方に移動するかまたは乗り上げる傾向が低下し得、その場合、患者インターフェース３０００の安定性に妥協が生じ得る。
【０２３６】
隆起部接続部３３７０を設けることによる利点として、（延長可能な管部が屈曲することが有利な特定の軸周囲において延長可能な蛇腹構造３３６２が屈曲する能力を過度に妥協させること無く）延長可能な蛇腹構造３３６２の伸長可能性が制限される点がある。
【０２３７】
本技術のいくつかの例において、隆起部接続部３３７０によって提供される別の機能として、延長可能な蛇腹構造３３６２の捩れに対する抵抗が高くなる点がある。接続ポート３６００が延長可能な蛇腹構造３３６２間に設けられるため、いくつかの状況における管抗力が、延長可能な蛇腹構造３３６２の捩れを誘発させるような様態で管３３５０に作用する可能性がある。管３３５０は目立たない形状（例えば、ほぼ矩形の断面）であるため、捩れに対する抵抗が得られ得るが、隆起部接続部３３７０からも、さらなる捻り抵抗が有利に得られる。隆起部接続部３３７０により、延長可能な蛇腹構造３３６２の前側および後側は硬質化され得、管３３５０の捩れの可能性を低下させる硬質化部として機能する。
【０２３８】
本技術のいくつかの例において、延長可能な蛇腹構造３３６２の溝部３３７３は、ガス送達管３３５０の外面に対する窪みとして形成され得る。他の例において、延長可能な蛇腹構造３３６２の隆起部３３７２は、管壁の外方を向く表面に対して隆起状にされ得、溝部３３７３は、隆起状隆起部３３７２間の空間によって形成され得る。図１０Ｄ〜図１０Ｊに示すように、溝部３３７３は、管３３５０の外面に対する窪みとして形成される。溝部３３７３の凹部形状の起点となる管３３５０の外面は、延長不可能な管部３３６３の外面と連続し得る。溝部３３７３を管３３５０の外面に対する窪みとして形成することによる利点として、隆起部３３７２が延長不可能な管部３３６３の外面を超えて外方に突出しない点がある。隆起部が外方に突出すると、患者にとって不快になり得る。
【０２３９】
また、図１０Ｄ〜図１０Ｊに示すように、隆起部接続部３３７０の外方を向く表面は、管の長手方向軸に対して隆起部３３７２よりも外方に突出しない。さらに、隆起部接続部３３７０はそれぞれ、隣接する隆起部３３７２の外方を向く表面と連続する外方を向く表面を含む。例えば屈曲および／または捩れ抵抗の増大のために隆起部接続部３３７０を管３３５０の長手方向軸に対して隆起部３３７２よりも外方に突出させると、本技術のいくつかの例においてそうなっているが、美観が若干損なわれ得る。
【０２４０】
さらに、図１０Ｄ〜図１０Ｊに示すように、複数の溝部３３７３はそれぞれ、各一対の隆起部接続部３３７０間に配置される。各それぞれの隆起部接続部３３７０は、各溝部３３７３の各端部に配置される。さらに、複数の溝部３３７３はそれぞれ、溝部深さを含み、複数の隆起部接続部３３７０はそれぞれ、隆起部接続部の高さを含む。隆起部接続部３３７０および溝部３３７３の各組において、溝部深さは、隆起部接続部の高さに等しい。すなわち、各溝部３３７３の溝部深さは、各溝部３３７３の端部に配置された各一対の隆起部接続部３３７０の各隆起部接続部３３７０の隆起部接続部の高さに等しい。そのため、溝部３３７３は、隆起部接続部３３７０の外面、隆起部３３７２および管３３５０の管壁に対する窪みとして形成される。
【０２４１】
隆起部接続部３３７０は、図示の例に示すように、比較的狭くかつリブ状であり得る。あるいは、隆起部接続部３３７０は、（例えば、管３３５０の延長可能部の前側および後側のより大部分を占有するように）より肉厚であり得る。
【０２４２】
図示の例において、隆起部接続部３３７０は、管３３５０の外側に設けられる。すなわち、隆起部接続部３３７０は、（管３３５０内の中空内部を規定する内側ではなく）管壁の外側の隆起部３３７２へ接続する。他の例において、隆起部接続部３３７０は、管３３５０の管壁の内側へ設けられ得る。延長可能な蛇腹構造３３６２を形成する管壁内の折り目により、管壁の内側において、管壁の外側に形成された一連の隆起部３３７２および溝部３３７３と逆の一連の交互の隆起部および溝部が形成され得る。すなわち、管壁の外側の隆起部３３７２を形成する折り目により、管壁の内部周囲において溝部が形成され得る。同様に、管壁の外側の溝部３３７３を形成する折り目により、隆起部が管壁の内側に形成され得る。
【０２４３】
隆起部接続部３３７０は、管３３５０の外側または内側の隣接する隆起部間において接続して、隆起部の分離に耐え得る。隆起部接続部３３７０を管３３５０の外側に設けた位置決めおよび安定化構造３３００の例において、管の外部の隆起部３３７２が接続される。これらの隆起部３３７２を分離するにはより大きな張力が必要になる一方、管の内部の隆起部は、より自由に分離可能である。同様に、隆起部接続部３３７０により管３３５０の内部の隆起部を接続させる位置決めおよび安定化構造３３００の別の例において、管壁の内部の隆起部の場合、分離により大きな力が必要となる一方、管外部の隆起部は、より自由に分離可能である。いくつかの例において、隆起部接続部３３７０により、内部隆起部および外部隆起部の組み合わせが接続される。
【０２４４】
本技術のいくつかの例において、単一の隆起部接続部３３７０により、複数の隆起部３３７２が接続される。他の例において、各隆起部接続部３３７０により、単一の対の隣接する隆起部３３７２のみが接続される。いくつかの例において、１つ以上の隆起部接続部３３７０は、隣接しない隆起部３３７２（例えば、第１の隆起部および最後の隆起部、第２の隆起部毎）へ接続し得る。
【０２４５】
５．３．２．１．４  延長不可能なヘッドギア管材
患者インターフェース３０００は、１つ以上の延長不可能な管部３３６３を含み得る。例えば、図８Ａ〜図９Ｃに示す患者インターフェース３０００は、管３３５０を含む。管３３５０の下部に、延長不可能な管部３３６３が設けられる。延長不可能な管部３３６３は、患者の頬上に載置されるように構成され、患者の頬骨の下側において患者の顔と接触するように構成され得る。各延長不可能な管部３３６３は、曲線上において各ヘッドギア管３３５０間の接続から下方に延びた後、患者の頬骨を回避するように、部分的に前方向および部分的に中間方向においてシール形成構造３１００へ伸長し得る。
【０２４６】
患者インターフェース３０００の位置決めおよび安定化構造３３００は、患者の頬骨上に載置されないため、有利である。患者の顔のうち頬骨の下方の領域は、肉付きがより多いことが一般的であるため、患者は、ヘッドギア管３３５０がこれらの顔領域上に載置された状態により耐えることができる。さらに、患者の顔の頬骨領域は、比較的移動または変形ができないため、延長不可能な管部３３６３は、肉付きの良い頬領域に対してしっかりと載置される。さらに、患者の頬骨により、ヘッドギア管３３５０の下部が頬骨から患者の眼へ乗り上げる事態の回避を支援することができる。延長不可能な管部３３６３が頬骨下の患者の頬にぴったりとフィットすると、患者の頬骨の硬度および突出により、ヘッドギア管３３５０が患者の眼に乗り上げる（その結果安定性に影響が発生しおよび／または患者の視界が遮られる）事態に対する障壁を得ることができる。
【０２４７】
管３３５０の延長不可能な管部３３６３の断面形状は、例えば米国特許第６，０４４，８４４号に記載のような円形、楕円形、卵形、Ｄ字型形状、または角丸長方形であり得る。患者の顔または頭部の他の部分に対向かつ接触する側上の管の平坦な表面を示す断面形状は、例えば円形断面を持つ管の場合よりも、より快適に装着され得る。
【０２４８】
管３３５０の断面幅および／または高さは、８〜２５ｍｍ（例えば、１０〜２０ｍｍ）であり得る。管がＤ字型断面を有するいくつかの形態において、例えば図１０Ｃに示すヘッドギアチュービング３３５０の長手方向断面の場合、管の幅は、１５〜２５ｍｍ（例えば２０ｍｍ）であり、高さは８〜１５ｍｍ（例えば１０ｍｍ）である。高さは、使用時に患者の顔から離隔方向に延長する管の寸法（すなわち、患者と接触する側３３４８と、患者と接触しない側３３４９の最外部との間の距離）とみなされ得、幅は、患者頭部の表面にわたる寸法とみなされ得る。管３３５０を形成する材料の断面厚さは、０．８〜１．６ｍｍ（例えば、１．０〜１．５ｍｍ（例えば１．３ｍｍ））であり得る。
【０２４９】
Ｄ字型の断面管３３５０は、患者と接触する側３３４８の側面に位置する曲線状縁部３３４７を有する。患者の皮膚と接触するかまたは患者の皮膚の近隣にある曲線状縁部により、患者インターフェース３０００の装着時の快適性が増すことと、患者の皮膚上の跡残りまたは炎症が回避されることとが支援される。管をＤ字型断面プロファイルにすると、他の形状の外形の場合より、座屈にも強くなる。
【０２５０】
管３３５０の延長不可能な管部３３６３のＤ字型断面のさらなる利点として、使用時において患者の顔の前方に載置される延長不可能な管部３３６３が、水平方向よりも垂直方向においてより屈曲に耐える点がある。延長不可能な管部３３６３はＤ字型断面であるため、管部がＤ字型形状の長軸に対して垂直な屈曲よりもＤ字型形状の長軸に対して平行な屈曲により良好に耐えることが可能になる。このようにすると、シール形成構３１００へ必要なシーリング力を提供するために延長可能な蛇腹構造３３６２から延長不可能な管部３３６３上へ付加される垂直力をシール形成構造３１００へ移動させるための剛直性を垂直方向に保持しつつ、延長不可能な管部３３６３が患者の顔の前方周囲から内方に曲線状にシール形成構３１００へより容易に屈曲することが可能になるため、有利である。
【０２５１】
患者の顔の前方周囲において内方に屈曲可能であるため、延長不可能な管部３３６３が患者の頬骨の下側の患者の頬にぴったりとフィットすることが可能になる。上記においてより詳細に述べたように、患者の頬骨の下側にぴったりと載置された延長不可能な管部３３６３により、延長不可能な管部３３６３が患者の頬上に緩い状態で載置されるかまたは患者の頬骨の上方に載置された場合よりも、より安定したシールを得ることが可能になる。
【０２５２】
他の例において、延長不可能な管部３３６３は、矩形状断面を含み得る。矩形断面により、Ｄ字型断面と同様の利点が得られ得る。詳細には、矩形断面により、延長不可能な管部３３６３は、矩形断面の短辺に対して平行な方向における屈曲に対してより高い抵抗を得ることができ得る。他の例において、延長不可能な管部３３６３は、楕円または長円形状の断面を含み得るため、同様の利点が得られる。
【０２５３】
本技術のいくつかの例において、延長不可能な管部３３６３は、クレードルクッションモジュール３１５０へ低角度から接続する。上記したように、ヘッドギア３３５０は、患者頭部の側部を下方に伸長した後、前方向および中間方向に曲線状に延びて、患者の顔の前方のクレードルクッションモジュール３１５０へ接続し得る。管３３５０は、クレードルクッションモジュール３１５０へ接続される前は、いくつかの例において、クレードルクッションモジュール３１５０との接続と同じ垂直位置またはクレードルクッションモジュール３１５０との接続の下側の位置まで伸長し得る。すなわち、管３３５０は、少なくとも部分的に上方向の突出した後、クレードルクッションモジュール３１５０へ接続され得る。管３３５０の一部は、クレードルクッションモジュール３１５０および／またはシール形成構造３１００．の下方に配置され得る。管３３５０は患者の顔の前方において下方に配置されるため、患者の頬骨の下側の患者の顔との接触が促進される。
【０２５４】
５．３．２．２  ヘッドギアのサイジングおよび剛直性
位置決めおよび安定化構造３３００のサイズは、本技術の異なる例間によって異なり得る。患者インターフェース３０００に対して異なるサイズ選択肢を提供することにより、より多くの患者への対応が可能になり得る。患者頭部周囲のループは、一対のヘッドギア管３３５０と、管３３５０の下端間に接続されたクレードルクッションモジュール３１５０（または枕クッションモジュール３１６０または他のシール形成構造３１００）とによって形成され得る。このループのサイズは、異なるサイズ患者インターフェース３０００に対応できるよう、異なり得る。
【０２５５】
一例において、管３３５０およびクレードルクッションモジュール３１５０によって形成されたループの未延伸長さは、ループの患者対向側の中心線に沿って測定され、５１０〜６１０ｍｍの範囲内であり得る。いくつかの例において、このループの非伸長長さは、５２５〜６００ｍｍの範囲内であり得る。いくつかの例において、このループの長さは、５３５〜５９０ｍｍの範囲内であり得る。
【０２５６】
いくつかの特定の例において、上記したループの未延伸長さは、５２８〜５４８ｍｍの範囲内であり得る（例えば、５３５〜５４１ｍｍの範囲内（例えば、約５３８ｍｍ））。さらなる特定の例において、このループの長さは、５３４〜５５４ｍｍの範囲内であり得る（例えば、５３９〜５４９ｍｍの範囲内（例えば、例における約５４４ｍｍまたは約５４７ｍｍ））。さらなる特定の例において、このループの非伸長長さは、５４１〜５６１ｍｍの範囲内であり得る（例えば、５４６〜５５６ｍｍの範囲内（例えば、約５５１ｍｍ））。
【０２５７】
他の特定の例において、上記ループの未延伸長さは、５６４〜５８４ｍｍの範囲内であり得る（例えば、５７１〜５８１ｍｍの範囲内（例えば、約５７４または約５７９ｍｍ））。さらなる例において、このループの非伸長長さは、５７７〜５９７ｍｍの範囲内であり得る（例えば、５８２〜５９２ｍｍ（例えば、約５８３ｍｍまたは約５８７ｍｍ））。
【０２５８】
詳細には、位置決めおよび安定化構造３３００を異なるサイズにできるようにするために、ガス送達管３３５０の長さは変更可能であり得る。いくつかの例において、管３３５０の患者対向側の中心線に沿って測定される管３３５０の非伸長長さは、５００〜５３５ｍｍの範囲内であり得る（例えば、５１０〜５２５ｍｍ（例えば、５１２〜５２２ｍｍ（例えば、約５１７ｍｍ）））。さらなる例において、管３３５０の非伸長長さは、４６０〜５００ｍｍの範囲内であり得る（例えば、４７０〜４９０ｍｍの範囲内（例えば、４７５〜４８５ｍｍの範囲内（例えば、約４８１ｍｍ））。
【０２５９】
上記においてさらに詳述したように、本技術のいくつかの例において、ヘッドギア管３３５０は、延長可能部（例えば、延長可能な蛇腹構造３３６２）を含む。本技術のいくつかの例において、ガス送達管３３５０の延長可能部（例えば、位置決めおよび安定化構造３３００の片側の単一の蛇腹部）は、（伸長部の）剛直性を２〜３．５Ｎ／１０ｍｍの範囲内で含み得る（（例えば、０．２〜０．３５Ｎ／ｍｍ））。詳細な例において、延長可能部の剛直性は、２．５〜３Ｎ／１０ｍｍの範囲内であり得る（例えば、０．２５〜０．３Ｎ／ｍｍ）。一例において、延長可能部の剛直性は、およそ２．７５Ｎ／１０ｍｍであり得る（例えば、０．２７５Ｎ／ｍｍ）。本技術のさらなる例において、管３３５０の延長可能部を長さを１０ｍｍだけ伸長させるために必要な張力は２．５Ｎ〜３Ｎであり得、長さを２０ｍｍだけ伸長させるために必要な張力は５Ｎ〜５．５Ｎであり得る。本技術による患者インターフェース３０００の多様な例において、これらの開示の剛直性のいずれかが、上記したサイズ（例えば、長さ）のうちいずれかを有する管３３５０へ提供され得ることが理解される。
【０２６０】
５．３．２．３  ヘッドギアストラップ
本技術の特定の形態において、位置決めおよび安定化構造３３００は、少なくとも１つのヘッドギアストラップを含む。これらのヘッドギアストラップは、管３３５０に加えて、密閉位置のシール形成構造３１００を患者の気道への入口に対して位置決めおよび安定配置するように機能する。図８Ａ〜図９Ｃに示すように、患者インターフェース３０００は、位置決めおよび安定化構造３３００の一部を形成するストラップ３３１０を含む。ストラップ３３１０は、例えば後ストラップまたは後方ヘッドギアストラップとして公知であり得る。本技術の他の例において、１つ以上のさらなるストラップが設けられ得る。例えば、フルフェイスまたは口腔鼻クッションモジュールを有する本技術の実施例による患者インターフェース３０００は、患者頸部後部上に載置されるように構成された第２の下側ストラップを有し得る。
【０２６１】
５．３．２．３．１  ストラップ
図８Ａ〜図９Ｃに示す例において、位置決めおよび安定化構造３３００のストラップ３３１０は、患者頭部の各側部上に配置されかつ患者頭部の後方を通過する（例えば、使用時に患者頭部の後頭骨の後部を覆うかまたは被覆する）２本の管３３５０間に接続される。ストラップ３３１０は、患者の耳の上方の各管へ接続する。他の実施形態において、例えば口鼻患者インターフェースの一部として、位置決めおよび安定化構造３３００は、ストラップ３３１０と類似している上側ストラップおよび少なくとも１つの追加の下側ヘッドギアストラップを含む。これらの下側ヘッドギアストラップは、管間および／またはクッションモジュール間を接続し、患者の耳の下側を通過し、患者頭部の後ろ側を通過する。このような下側ヘッドギアストラップは、上側ストラップ（例えば、ストラップ３３１０に類似するもの）へも接続され得る。
【０２６２】
本技術の特定の形態において、位置決めおよび安定化構造３３００は、ヘッドギアストラップをヘッドギア管３３５０へ接続させるための機構を含む。ヘッドギアストラップは、ヘッドギア管３３５０へ直接的または間接的に接続され得る。図８Ａ〜図９Ｃに示す患者インターフェース３０００の場合、例えばストラップ３３１０へ接続するように構成されたタブ３３２０は、各ヘッドギア管３３５０から外方に概して後方方向に突出する。これらのタブ３３２０は、ストラップ３３１０の端部を受容するための穴部を内部に有する。
【０２６３】
本技術のいくつかの形態において、ストラップ３３１０は調節可能である。例えば、図８Ａ〜図９Ｃに示す患者インターフェースの場合、ストラップ３３１０は、使用時に各タブ３３２０中のアイレットの形態の穴部を通じてねじ込まれる。タブ３３２０間のストラップ３３１０の長さは、より多数またはより少数のストラップ３３１０をタブ３３２０の片方または双方を通じて引くことにより、調節され得る。ストラップ３３１０を例えばフックアンドループ締結手段を用いてタブ３３２０中のアイレットを通過させることにより、後ストラップ３３１０を自身へ固定することができる。そのため、ストラップ３３１０は、異なる頭部サイズにフィットするように調節することができる。本技術のいくつかの形態において、ストラップ３３１０のヘッドギア管３３５０または患者頭部に相対する角度は、異なる位置における患者頭部周囲にフィットするように調節することができる。このような調節可能性により、位置決めおよび安定化構造３３００が異なる頭部形状およびサイズに対応することが支援される。
【０２６４】
本技術のいくつかの形態において、ストラップ３３１０は、タブ３３２０の位置においてヘッドギア管３３５０を少なくとも部分的に後方（例えば、後方）方向に牽引するための力をヘッドギア管３３５０へ付与する。ストラップ３３１０は、ヘッドギア管３３５０を少なくとも部分的に内方（例えば、後方）方向に牽引するための力もヘッドギア管へ付与し得る。この力の大きさは、タブ３３２０間のストラップ３３１０の長さを変更することにより、調節され得る。
【０２６５】
図８Ａ〜図９Ｃに示す形態などの本技術のいくつかの実施例において、ストラップ３３１０からヘッドギア管３３５０へ付加される力の方向を変更してもよい。この方向は、ストラップ３３１０のヘッドギア管３３５０または患者頭部に相対する角度を調節することにより変更してもよい。本技術のいくつかの形態において、ストラップ３３１０からヘッドギア管３３５０へ力が付与される位置は、ストラップ３３１０がヘッドギア管３３５０へ固定される位置を調節することにより、変更され得る。
【０２６６】
ストラップ３３１０からヘッドギア管３３５０へ付加される力の大きさおよび方向を調節することが可能であると、位置決めおよび安定化構造３３００が一定範囲の頭部サイズおよび頭部形状に対応することが可能になるため、有利であり得る。ストラップ３３１０により、ヘッドギア管３３５０中の力のバランスが保持され得、これにより、快適性を保持しつつ、ヘッドギアが自身の形状を維持することおよび患者の顔に対する有効シールを得ることが支援され得る。
【０２６７】
本技術のいくつかの形態において、患者による装着時において、タブ３３２０の近隣のヘッドギア管３３５０上の点は、ヘッドギア管３３５０の張力に起因して、一部の実施例では、ヘッドギアが患者頭部へ固定された状態を保持する機能を持つ（以下にさらに詳述する）付勢機構に起因して、概して上方の（例えば、上方）力をヘッドギア管３３５０の上部から受容する。さらに、タブ３３２０の近隣のヘッドギア管３３５０上の点は、シール形成構造３１００を上方に推進させて患者の鼻内へと移動させる機能を持つ付勢機構から発生した概して前方の（例えば、前方）かつ下方（例えば、下方）の力を受容し得る。確実なフィットおよび有効なシールに必要な力の方向および大きさは、例えば頭部形状およびサイズの差に起因して異なり得る頭部上の位置決めおよび安定化構造３３００の位置に基づいて、患者間において異なり得る。本技術のいくつかの形態において、後方ヘッドギアストラップ３３１０が調節可能であるため、有効なソールを維持しつつ位置決めおよび安定化構造３３００を快適な位置に保持するように、一定範囲の頭部形状およびサイズに対して力のバランスをとることが可能になる。
【０２６８】
例えば、後方（例えば、後方）方向においてヘッドギア管３３５０のうちタブ３３２０の近隣の部位上にかかる力を増やすために、タブ３３２０中のスロットを通じてより多数のストラップ３３１０を牽引することによりストラップ３３１０を調節することができる。これにより、ストラップ３３１０の長さを短くすることができ、とくに、ストラップ３３１０が弾性である場合、ヘッドギア管３３５０に対して後方（例えば、後方）方向により大きな力が付加される。同様に、一定範囲の頭部形状およびサイズに対してヘッドギア管３３５０のうちタブ３３２０の近隣の部位上に作用する力の垂直成分および水平成分双方のバランスをとるために、ストラップ３３１０の角度を必要に応じて調節することができる。
【０２６９】
ストラップ３３１０は、矩形断面をその長さの一部または全体に沿って含み得る。さらに、ストラップ３３１０は、快適性向上と、ヘッドギアストラップによる患者の跡または炎症の危険性の低減とを提供する、１つ以上の曲線状縁部が含まれているプロファイルを有し得る。本技術の特定の形態において、位置決めおよび安定化構造３３００は、屈曲可能であり例えば非剛性であるストラップ３３１０を含む。本態様の利点として、患者が睡眠時に体を横たえたときにストラップ３３１０がより快適になっている点がある。
【０２７０】
本技術の特定の形態において、位置決めおよび安定化構造３３００は、スプリットによって分離された２つ以上のストラップバンドを含むストラップ３３１０を含む。例えば、図８Ａ〜図９Ｃおよび図１２Ａ〜図１２Ｆに示すように、ストラップ３３１０は、使用時において患者頭部の後部に対して配置されるように構成されたスプリット３３１３を含む。患者インターフェース設計によっては、分割ストラップ３３１０により、患者インターフェース３０００が特に安定した様態で患者頭部上にアンカー固定され得る。患者頭部の後部は、ジオメトリが複雑であり得、ストラップ３３１０中にスプリット３３１３を設けることにより、ストラップを患者頭部後部へより良く適合させることを支援することが可能になり得る。
【０２７１】
５．３．２．３．２  アイレット
上記したように、ガス送達管はそれぞれ、ストラップとの接続のためのアイレットを含み得る。いくつかの例において、アイレットは、円形であり得る。他の例において、アイレットは、細長形状であり得る。あるいは、アイレットは、曲線状側および直線状側を有し得る。アイレットは、例えばＤ字型形状であり得る。図８Ａ〜図９Ｃに示す例示的患者インターフェース３０００中のアイレットは、スリット３３２２の形態をとる。本例において、一対のガス送達管３３５０から、ストラップ３３１０を接続させることが可能な一対のスリット３３２２が得られる。すなわち、ストラップ３３１０は、アイレット間に接続され得る。ストラップ３３１０は、使用時において患者頭部の後頭骨の下側に配置されるかまたは患者頭部の後頭骨に配置される患者頭部の領域と接触するように構築および配置され得る。本例において、スリット３３２２は、管３３５０の管壁へ接続されたタブ３３２０中に形成される。
【０２７２】
本技術のいくつかの例において、アイレットは、各々が７０ｍｍ〜１５０ｍｍである各管３３５０上に、管３３５０に沿って一対の管３３５０の中心（例えば、接続ポート３６００）から配置され得る。さらなる例において、各アイレットは、一対の管３３５０の中心から約１１０ｍｍ〜１３０ｍｍ間において各管３３５０に沿って配置され得る。特定の例において、アイレットは、接続ポート３６００から約１２０ｍｍ〜１２５ｍｍ間において各管３３５０に沿って配置され得る。スリット３３２２を有する図示の位置決めおよび安定化構造３３００の場合において、これらのスリットの中点は、一対のガス送達管３３５０の中心から約１２０〜１２５ｍｍにおいて配置される。
【０２７３】
図８Ａ〜図９Ｃに示す例示的患者インターフェース３０００は、単一の後方ヘッドギアストラップ３３１０を含む。この後方ヘッドギアストラップ３３１０は、スリット３３２２間を通過し、部分的に下方方向および部分的に後方向において力を管３３５０へ付加する際に必要であることが多い。管３３５０上へ力を必要な方向において付加するために、ストラップ３３１０により、患者頭部後部周囲の下方を包囲する必要がある。典型的には、患者頭部後部は一般的には、下方に曲線状に延びて、頭蓋骨の後頭骨を前方方向において（頭部が患者頸部と接合される位置まで）被覆する。
【０２７４】
ストラップ３３１０が患者頭部後部周囲の下方に十分に載置されない場合（例えば、（患者頭部の後面が前方向へ曲線状に延びて、部分的に下方向を向く）患者頭部の最後部点の下側に来なかった場合）、使用時においてストラップ３３１０が患者頭部後部に乗り上げる危険性がある。ストラップ３３１０が患者頭部の最後部点の上方に乗り上げると、ストラップ３３１０は、患者頭部のうち部分的に上方向を向く領域上に載置され得る。このような事態が発生した場合、ストラップ３３１０中の張力によりストラップをさらに上方に牽引することが可能になり、その場合、位置決めおよび安定化構造３３００からシール形成構造３１００への必要なシーリング力ベクトルの提供の失敗に繋がり得（その後、患者の顔に対するシールに妥協が生じ得、患者が患者インターフェース３０００を再着用する必要が生じ得る）。
【０２７５】
図１１Ａ〜図１１Ｃに示すように、ガス送達管３３５０はそれぞれ、管３３５０の長さに沿って（例えば、導管を形成する）中空内部を規定する管壁３３５２を含み得る。加圧された気流は、接続ポート３６００から、管壁３３５２内の中空内部を通じて、シール形成構造３１００へ送達されるように送られ得る。
【０２７６】
図１１Ａ〜図１１Ｃに示す例において、管３３５０は、タブ３３２０を含む。本例において、位置決めおよび安定化構造３３００のタブ３３２０はそれぞれ、管３３５０の各管壁３３５２と一体形成される。あるいは、タブ３３２０は、別個の部品であり得、管３３５０と共に組み立てられる。例えば、タブ３３２０に含まれ得る別個のコンポーネントは、管３３５０へ移動可能に接続することにより、タブ３３２０の位置および／または角度の調節を可能にする。タブ３３２０を管壁３３５２と一体形成することにより、必要な組立作業が低減するため、位置決めおよび安定化構造３３００の使い易さの向上が得られ得る。さらに、一体形成されたタブ３３２０により、タブ３３２０と管壁３３５２との間のシームレス接続が可能になり得、患者の不快感の原因になり得る接続の可能性が低下する。
【０２７７】
図示の例において、管３３５０はそれぞれ、延長可能な蛇腹構造３３６２の形態をとる延長可能な管部を含む。各タブ３３２０は、延長可能な管部の下方のガス送達管３３５０の管壁３３５２へ接合される。詳細には、各タブ３３２０は、延長可能な管部の下方の延長不可能な管部３３６３において、ガス送達管３３５０の管壁３３５２へ接合される。いくつかの例において、タブ３３２０はそれぞれ、管３３５０の長さに沿って延長可能な管部の端部から間隔を空けて配置された上縁３３３１を有し得る。他の例において、タブ３３２０は、延長可能な管部の下端またはその近隣において管壁３３５２と出会う上縁３３３１を有し得る。
【０２７８】
図１１Ａ〜図１１Ｃに示す例において、管３３５０のスリット３３２２は、タブ３３２０中に形成される。他の例において、スリット３３２２は、管壁３３５２内に直接形成してもよいし、あるいは、位置決めおよび安定化構造３３００の別の部位または位置決めおよび安定化構造３３００へ接続されるように構成された別個のコンポーネント内に形成してもよい。
【０２７９】
スリット３３２２はそれぞれ、使用時において各管３３５０の管壁から後方に間隔を空けて配置され得る。詳細には、各スリット３３２２は、管壁３３５２のスリット隣接部３３５５から後方に間隔を空けて各スリット３３２２に並んで配置され得る。管壁３３５２のスリット隣接部３３５５は、管壁３３５２のうちタブ３３２０が接続される部分であり得る。より詳細には、管壁３３５２のスリット隣接部３３５５は、管壁３３５２のうちスリット３３２２に最も隣接する部位であり得る。いくつかの例において、スリット３３２２は、管壁３３５２の長さ全体に対して後方に間隔を空けて配置され得る。スリット３３２２は、使用時において患者頭部の上耳底点の上方に配置され得る。
【０２８０】
図８Ａ〜図８Ｃに示すように、管壁３３５２はそれぞれ、患者の眼と耳との間を通過する経路３３５３に沿って患者頭部上に載置されるように構成される。経路３３５３の一部が、図１１Ａおよび図１１Ｂに図示される。いくつかの例において、経路３３５３は、一般的には患者頭部の表面上の経路であり、この経路上にこの経路に沿って管壁３３５０が載置される。さらに、経路３３５３は、管３３５０を通じて流れるガスが患者頭部上部からシール形成構造３１００へ移動するよう誘導する経路であり得る。実際には、いくつかの例において経路３３５３は面に制限されない場合があるため、経路３３５３は、３次元空間中の曲線（例えば、空間曲線）を含み得る。図示の例において、管３３５０は、横方向におよび下方において患者頭部側部上に延びた後、下方、前方および中間方向に延びて、クレードルクッションモジュール３１５０と接続する。
【０２８１】
図１１Ａ〜図１１Ｃに示すように、スリット３３２２はそれぞれ、上端３３２６および下端３３２７を含む。上端３３２６および下端３３２７はそれぞれ、第１の端部および第２の端部としてみなされ得る。本例において、上端３３２６は、下端３３２７よりも管壁３３５２のスリット隣接部３３５５からさらに間隔を空けて配置される。図１１Ａに示すように、スリット３３２２の上端３３２６は、図中にＳＥにより示される間隔を空けて管壁３３５２から配置される。スリット３３２２の下端３３２７は、ＩＥにより示される間隔だけ管壁３３５２から空けて配置される。図示のように、間隔ＳＥは間隔ＩＥよりも大きいため、上端３３２６は、下端３３２７よりも管壁３３５２からさらに間隔を空けて配置される。位置決めおよび安定化構造３３００を含む患者インターフェース３０００を患者が着用すると、上端３３２６は、下端３３２７に対して後方に間隔を空けて配置される。文脈に明記無き限り、スリットまたはアイレットの端部が当該スリットまたはアイレットの別の端部よりもさらに管壁から間隔を空けて配置されるものとして記載されている場合、この記載の間隔は、管壁のうち当該スリットまたはアイレットに対して一般的に隣接または最近接する部位（例えば、スリットに隣接するかまたはアイレットに隣接する部位）として理解されるべきである。
【０２８２】
図１１Ｂに示すように、スリット３３２２は、管３３５０の方位に対して管壁３３５２のスリット隣接部３３５５において角度と共に方向付けられる。スリット３３２２はまた、経路３３５３に対して管壁３３５２のスリット隣接部３３５５において角度と共に方向付けられる。本例において、スリット３３２２は、上端３３２６と下端３３２７との間の弓状である。スリット３３２２はそれぞれ、曲線状の細長形状を有する。他の例において、各スリット３３２２は、上端３３２６と下端３３２７との間で直線状であり得る。スリット３３２２を曲線状の弓状形状にすることにより、有利なことにストラップ３３１０をスリットを通じてスリット３３２２内の中心へ延ばすことができ、また、スリット３３２２がスリット３３２２を通じて延びるストラップ３３１０の角度の一定の変動に耐えることも（ストラップ３３１０がスリット３３２２の一端へ向かうにつれて束状になる事態を引き起こすこと無く）可能になり得る。
【０２８３】
図１１Ｂ中図示されるのは、スリット３３２２の長さ軸３３２３である。本例において、このスリットは細長状であるため、長さ軸３３２３は、スリット３３２２の一般的長さに沿って規定される。弓状スリット３３２２（例えば、図１１Ａ〜図１１Ｃに示すスリット３３２２）も、細長状であるため、長さ軸を含み得る。弓状スリット３３２２の場合、長さ軸３３２３は、スリット３３２２の側部の各部に対して平行ではないものの、スリット３３２２の一端から他端への一般的方向によって規定され得ることが理解される。あるいは、弓状スリット３３２２の長さ軸３３２３は、スリット３３２２の中央部におけるスリット３３２２の曲率に対する接線によって規定され得る。
【０２８４】
スリット３３２２は、使用時において、後上方−前下方の方位を有し得る。すなわち、スリット３３２２の長さ（例えば、長さ軸３３２３）は、後上方方向と前下方方向との間に伸長する線に対して平行に整列され得る。この方位により、スリット３３２２の上端３３２６は、スリット３３２２の下端３３２７に対して後方に間隔を空けて配置される。図１１Ｂ中図示されるのは、管３３５０のスリット隣接部３３５５における経路３３５３に対する接線３３５４である。図示のように、スリット３３２２の長さ軸３３２３より、経路３３５３の接線３３５４と共にスリット角度３３２１が形成される。本例において、スリット角度３３２１は、斜角である。斜角は、５〜３０度の範囲内であり得る。いくつかの例において、斜角は、１０〜２０度の範囲内であり得る。例えば、斜角は、１２〜１８度の範囲内であり得る。特定の例において、斜角は、約１３度、１５度または１７度であり得る。いくつかの例において、スリット３３２２は、長手方向軸に対して延長可能な蛇腹構造３３６２の長さに沿って角度付けされ得る。詳細には、スリット３３２２は、直線状になったときに延長可能な蛇腹構造３３６２の長手方向軸に対して１５〜４５度の角度において方向付けされ得る。例えば、この角度は、２０〜４０度の範囲内であり得る（例えば、２２〜３５度の範囲内）。特定の例において、この角度は、直線状になったときに延長可能な蛇腹構造３３６２の長手方向軸に対して約２５度〜３１度であり得る。
【０２８５】
スリット３３２２を管壁３３５２または経路３３５３に対して後方に角度付けすること（例えば、上端３３２６を下端３３２７よりもさらに管壁３３５２または経路３３５３から間隔を空けて配置すること）により、患者頭部後部周囲の下方位置からのストラップ３３１０の受容に対するより良好な適合が可能になり得、有利である。理想的なセットアップにおいて、ストラップ３３１０は、スリット３３２２の長さ軸３３２３に対して垂直な方向においてスリット３３２２から伸長する。よって、スリット３３２２をより後方に角度付けすると、スリット３３２２はより小さな角度からストラップ３３１０を受容するように角度付けされるため、患者頭部後部周囲に下方に載置されたストラップ３３１０により良く対応することができる。これと対照的に、スリット３３２２を垂直方位により近く方向付けると、スリット３３２２は、患者頭部上のより高い位置からストラップ３３１０を受容するように角度付けされる。よって、スリット３３２２を管壁３３５２および／または経路３３５３の隣接部に対してより大きな角度において方向付けると、患者頭部後部に乗り上げる（例えば、上方にスライドする）ストラップ３３１０に対して一定の抵抗を得ることが可能になり得る。
【０２８６】
ストラップ３３１０が患者頭部後部上に乗り上げる傾向を低減させるための他の方法が利用可能である（例えば、ストラップ３３１０内にスプリットを設けることにより、患者がストラップ３３１０を締結することおよび／またはスリット３３２２を低位置に設けること）により、スリット３３２２を後方に回転した角度を管３３５０へ設けると、ストラップ３３１０の乗り上げに対してさらなる抵抗を得ることが可能になり得る。いくつかの例において、各スリット３３２２は、（患者頭部のうち後頭骨の下部上に載置される領域にわたってストラップ３３１０が載置される方向から）ストラップ３３１０を受容するように角度付けされ得る。さらなる例において、スリット３３２２は、ストラップ３３１０が患者の後頭骨の中央または上部に載置される方向からストラップ３３１０を受容するように角度付けされ得る。
【０２８７】
各スリット３３２２は、ストラップが患者頭部周囲にアンカー固定される相手であるストラップアンカー領域のスリットからの方向へ垂直に方向付けられ得る。ストラップアンカー領域は、患者の後頭骨（例えば、後頭骨の下部）に載置される領域であり得る。いくつかの例において、ストラップアンカー領域は、患者頸部のうち患者の後頭骨の下方に載置される領域であり得る。いくつかの例において、いくつかの例において、ストラップ３３１０は、患者の僧帽筋上部あるいは患者頸部または頭部のうち後頭骨の下方の一部上に載置され得、スリット３３２２は、ストラップ３３１０を対応する方向から受容するように角度付けされ得る。
【０２８８】
例えば、図８Ｃに示すように、スリット３３２２は、患者頭部の最下部の下方の患者頭部の後領域にわたってストラップ３３１０が載置される方向からストラップ３３１０を受容するように、十分に後方に角度付けされる。ストラップ３３１０は、少なくとも部分的に下方向を向く患者頭部の後面上に載置され得、スリット３３２２は、ストラップ３３１０をこの場所から受容するように十分に後方に角度付けされ得る。少なくとも部分的に下方向を向く患者頭部の後面上にストラップ３３１０を載置すると有利な理由として、ストラップ３３１０の最後部の上方にアイレットが配置される点がある。ストラップ３３１０へ張力が付加された後、管３３５０は、部分的に上方の力をストラップ３３１０上に付与する。すなわち、ストラップ３３１０が（下方を向く患者頭部の後面へアンカー固定された場合に）乗り上げる可能性が低くなり得る。
【０２８９】
図１１Ａ〜図１１Ｃを参照して、タブ３３２０は、上縁３３３１および下縁３３３２を含む。本例において、上縁３３３１は、下縁３３３２よりも長尺である。上縁３３３１をより長尺にすることにより、（上縁３３３１の長さが下縁３３３２の長さと等しい場合に）タブ３３２０が向く方向よりもタブ３３２０がより下方向を向くような、非対称の形状が得られる。スリット３３２２は、上縁３３３１と下縁３３３２との間に実質的に中心を有する。よって、このような非対称形状のタブ３３２０により、スリット３３２２は、より下方向を向いて設けられる。タブ３３２０が下方を向くと、ストラップ３３１０が患者頭部後部に乗り上げる傾向を低減することができ得、有利である。
【０２９０】
スリット３３２２に斜めのスリット角度３３２１を持たせることに加えて、スリット３３２２を、ストラップ３３１０が患者頭部後部に乗り上げる傾向をさらに低減させるだけの十分な間隔だけ管壁３３５２から間隔を空けて配置さしてもよい。スリットまたは他のアイレットと管壁３３５２との間の間隔を惜しみなくとることにより、アイレットと患者頭部後部との間の距離を低減することができ得、有利である。アイレットと患者頭部後部との間の距離を比較的短くすることにより、ストラップ３３１０の長さを短くすることが可能になり得る。ストラップ３３１０は、横方向において患者頭部の側部に載置され、スリット３３２２間に延びて、患者頭部の力に対して後方に対向する。このように距離およびストラップ長さを短くすることにより、ストラップ３３１０のアイレットに対する回転を有利に抑制することが可能になり得、これにより、使用時においてストラップ３３１０が上方または下方に乗り上げる傾向が低減される。
【０２９１】
いくつかの例において、スリット３３２２の下端３３２７は、管壁３３５２から少なくとも５ｍｍだけ間隔を空けて配置され得る。さらなる例において、スリット３３２２の下端３３２７は、管壁３３５２から少なくとも７ｍｍだけ間隔を空けて配置され得る。例えば、スリット３３２２の下端３３２７は、管壁３３５２から約８ｍｍ以上だけ間隔を空けて配置さ得る。
【０２９２】
スリット３３２２の上端３３２６は、管壁３３５２から少なくとも８ｍｍ間隔を空けて配置され得る。いくつかの例において、スリット３３２２の上端３３２６は、管壁３３５２から少なくとも１０ｍｍだけ間隔を空けて配置さ得る。例えば、スリット３３２２の上端３３２６は、管壁３３５２から１２ｍｍ以上だけ間隔を空けて配置され得る。
【０２９３】
いくつかの例において、スリットに沿った中点３３２２は、管壁３３５２からおよそ５ｍｍ〜３０ｍｍの範囲内の間隔だけ間隔を空けて配置され得る。アイレットと管壁３３５２との間の間隔を極めて大きくとると、ストラップ３３１０の安定が増す点において有利であるものの、タブ３３２０のサイズが増大するため、製造可能性、重量、快適性および美観において課題／問題が生じ得る。間隔を５〜３０ｍｍの範囲内（例えば、７ｍｍ〜２０ｍｍの範囲内）にすると、後方ヘッドギアストラップ３３１０の乗り上げを回避する安定性の恩恵に繋がり得、タブ３３２０のサイズ増大に起因する課題が回避または最小限にされる。さらなる例において、この間隔は、８ｍｍ〜１５ｍｍの範囲内（例えば、９ｍｍ〜１３ｍｍの範囲内）であり得る。いくつかの特定の例において、上記間隔は、約９ｍｍ〜１１ｍｍ（例えば、約９．５ｍｍまたは９．７５ｍｍ）であり得る。
【０２９４】
５．３．２．３．３  トラフ
図１１Ｃは、位置決めおよび安定化構造３３００のタブ３３２０のうちの１つの拡大斜視図である。図示のように、いくつかの例において、位置決めおよび安定化構造３３００のタブ３３２０に含まれ得るトラフ３３２４は、タブ中に形成され、スリット３３２２の後方に配置される。トラフ３３２４は、ストラップ３３１０の下側の位置においてタブ３３２０の本体中に形成され得る。本例において、トラフ３３２４は、スリット３３２２とタブ３３２０の後側３３２９との間に設けられる。タブ３３２０は、タブ３３２０のうち患者から離隔方向を向く側に（例えば、横方向において）、外方を向くタブ表面３３２８を含み得る。タブ表面３３２８は、スリット３３２２の近隣において、実質的に平面状であり得る。トラフ３３２４は、（タブの３３２０の他の部位よりも材料厚さが薄い）トラフ３３２４におけるタブ３３２０の一部により、形成され得る。そのため、本例において、トラフ３３２４は、タブ表面３３２８に対して凹部状にされる。
【０２９５】
トラフ３３２４は、スリット３３２２の長さと実質的に同じ幅を有し得る。すなわち、トラフ３３２４は、スリットの上端３３２６の近隣に上端を有し得、スリット３３２２の下端３３２７の近隣に下端を有し得る。本例において、トラフ３３２４は、ストラップ３３１０と実質的に同じ幅を有する。トラフ３３２４は、ストラップ３３１０を受容するように構成される。トラフ３３２４により、ストラップ３３１０およびタブ３３２０の合計厚さが低減される。トラフ３３２４の位置において、タブ３３２０は、ストラップ３３１０の２つの層間に挟まれる（これは、ストラップがスリットを通過しておよび自身の上にループ状に戻るからである）。この位置におけるストラップ３３１０およびタブ３３２０の嵩および／または厚さに起因して、患者が横向きに寝たときに圧力点または不快点が発生し得る。トラフ３３２４により、この位置におけるコンポーネントの積層厚さを有利に低減させることができ得、その結果、横向きに寝たときにこの位置において患者頭部へ付加される圧力が低下し得る。
【０２９６】
さらに、本例において、トラフ３３２４は、ストラップ３３１０の側部に隣接する側部を有する。そのため、トラフ３３２４の幅は、ストラップ３３１０の幅と整合する。これにより、ストラップ３３１０をトラフ３３２４内において整列させかつ中心に配置された状態を保持することを有利に支援することが可能になり得る。また、ストラップ３３１０のアラインメントについての視覚的ガイドをユーザへ提供することも可能になり得る。
【０２９７】
５．３．３  通気部
一形態において、患者インターフェース３０００は、吐き出されたガス（例えば、二酸化炭素）の押し出しを可能にするように構成および配置された通気部３４００を含む。
【０２９８】
特定の形態において、通気３４００は、プレナムチャンバ内の圧力が雰囲気に対して正であるときにプレナムチャンバ３２００の内部から雰囲気への連続的通気流れを可能にするように構成される。通気部３４００は、使用時においてプレナムチャンバ内の治療圧力を維持しつつ、通気流量の大きさが呼気されたＣＯ２の患者による再呼吸を低減できるだけの充分な大きさになるように、構成される。通気孔３４００により、患者の呼吸サイクル全体においてプレナムチャンバ３２００の内部から雰囲気への連続的な通気流れが得られ得る。
【０２９９】
本技術による一形態の通気部３４００は、複数の穴（例えば、約２０個〜約８０個の穴または約４０個〜約６０個の穴または約４５個〜約５５個の穴）を含む。
【０３００】
通気部３４００は、プレナムチャンバ３２００内に配置され得る。あるいは、通気部３４００は、結合解除構造（例えば、エルボー３６１０のようなスイベル）内に配置される。図８Ａ〜図９Ｃに示す例において、患者インターフェース３０００は、複数の通気部３４００を含む。詳細には、患者インターフェース３０００は、プレナムチャンバ３２００中の少なくとも１つの通気孔３４００およびエルボー３６１０中の少なくとも１つの通気孔を含む。より詳細には、プレナムチャンバ３２００は、２つの通気孔３４００を含む。プレナムチャンバ３２００上の各通気孔３４００は、孔のアレイを含む。エルボー３６１０上の通気孔３４００も、孔のアレイを含む。患者インターフェース３０００の通気孔３４００は、治療圧力範囲全体において十分なガス洗い流しを提供するようなサイズおよび構成にされる。
【０３０１】
患者インターフェース３０００に含まれ得るディフューザは、通気孔を通過する気流を拡散させることにより、通気ノイズの低減と通気口から噴出する空気の低減とを行うように構成される。このディフューザは、通気口上のカバーへ設けられ得る。いくつかの例において、通気孔３４００は、プレナムチャンバ３２００から取り外されるように構成された通気モジュールを含み得る。通気モジュールは、ディフューザを含み得る。
【０３０２】
５．３．４  結合解除構造（複数または単数）
一形態において、患者インターフェース３０００は、少なくとも１つの結合解除構造（例えば、スイベルまたは球窩）を含む。例えば、図８Ａ〜図９Ｃに示す患者インターフェース３０００は、位置決めおよび安定化構造３３００に対して回転するように構成されたエルボー３６１０を含む。本例において、エルボー３６１０は、位置決めおよび安定化構造３３００中の円形開口部と同心の軸周囲において回転するように構成される。本技術のいくつかの例において、エルボー３６１０は、位置決めおよび安定化構造３３００に対して球窩継手の一部を形成し得る。例えば、部分的に球状内面を有するリングが、位置決めおよび安定化構造３３００へ設けられ得、エルボー３６１０を受容するように構成され得る。エルボー３６１０は、リングの部分的に球状の内面に対して相補的な部分的に球状の外面を有し得るため、これにより、エルボー３６１０が複数の軸においてリングに対して回転することが可能になる。
【０３０３】
５．３．５  接続ポート
接続ポート３６００は、空気回路４１７０への接続を可能にする。図８Ａ〜図９Ｃに示す例示的患者インターフェース３０００において、エルボー３６１０は、接続ポート３６００の一部を形成する。エルボー３６１０は、結合解除構造として、位置決めおよび安定化構造３３００上の管抗力を低減させるために、空気回路４１７０の動きを位置決めおよび安定化構造３３００から連結解除させる。
【０３０４】
５．３．６  前額支持部
一形態において、患者インターフェース３０００は、前額支持部３７００を含む。他の形態において、患者インターフェース３０００は、前額部支持部を含まない。有利なことに、図８Ａ〜図９Ｃに示す例示的患者インターフェース３０００は、（前額部支持部または患者の顔の前方において眼の高さにおいて配置される任意のフレームまたはストラップ部材への接続無く）シール形成構造３１００をシーリング位置に保持することが可能な位置決めおよび安定化構造３３００を含む。
【０３０５】
５．３．７  窒息防止弁
一形態において、患者インターフェース３０００は、窒息防止弁を含む。いくつかの例において、患者インターフェース３０００は、複数の窒息防止弁を含む。例えば、気流が２つの流体接続を介してシール形成構造３１００へ提供される場合、２つの窒息防止弁を患者インターフェース３０００へ設け、１つをシール形成構造３１００への各流体接続に設ければよい。
【０３０６】
５．３．８  ポート
本技術の一形態において、患者インターフェース３０００は、プレナムチャンバ３２００内の量へのアクセスを可能にする１つ以上のポートを含む。一形態において、これにより、臨床医が補充酸素を供給することが可能になる。一形態において、これにより、プレナムチャンバ３２００内のガス（例えば、圧力）の特性を直接測定することが可能になる。
【０３０７】
５．４  ＲＰＴデバイス
本技術の一態様によるＲＰＴデバイス４０００は、機械、空気圧式、および／または電気部品を含み、１つ以上のアルゴリズム４３００（例えば全体的にせよ部分的にせよ本明細書に記載の方法のうちいずれか）を実行するように構成される。ＲＰＴデバイス４０００は、例えば本文書中のいずれかに記載の呼吸状態のうち１つ以上の治療のために患者の気道へ送達される空気流れを生成するように構成され得る。
【０３０８】
一形態において、ＲＰＴデバイス４０００は、少なくとも６ｃｍＨ２Ｏまたは少なくとも１０ｃｍＨ２Ｏまたは少なくとも２０ｃｍＨ２Ｏの陽圧を維持しつつ、空気流れを−２０Ｌ／分〜＋１５０Ｌ／分の範囲で送達できるように構築および配置される。
【０３０９】
ＲＰＴデバイスは、外部ハウジング４０１０を持ち得る。外部ハウジング４０１０は、上部４０１２および下部４０１４の２つの部分によって形成される。さらに、外部ハウジング４０１０は、１つ以上のパネル（単数または複数）４０１５を含み得る。ＲＰＴデバイス４０００は、ＲＰＴデバイス４０００の１つ以上の内部コンポーネントを支持するシャーシ４０１６を含む。ＲＰＴデバイス４０００は、ハンドル４０１８を含み得る。
【０３１０】
空気圧ＲＰＴデバイス４０００の空気圧経路は、１つ以上の空気回路アイテム（例えば、入口空気フィルタ４１１２、入口マフラー４１２２、空気を陽圧で供給することが可能な圧力生成器４１４０（例えば、送風機４１４２）、出口マフラー４１２４）ならびに１つ以上の変換器４２７０（例えば、圧力センサおよび流量センサ）を含み得る。
【０３１１】
空気経路アイテムのうち１つ以上は、空気圧ブロック４０２０と呼ばれる取り外し可能な一体構造内に配置され得る。空気圧ブロック４０２０は、外部ハウジング４０１０内に配置され得る。一形態において、空気圧ブロック４０２０は、シャーシ４０１６によって支持されるかまたはシャーシ４０１６の一部として形成される。
【０３１２】
ＲＰＴデバイス４０００は、電源４２１０、１つ以上の入力デバイス４２２０、中央コントローラ、治療デバイスコントローラ、圧力生成器４１４０、１つ以上の保護回路、メモリ、変換器４２７０、データ通信インターフェース、および１つ以上の出力デバイスを有することができる。電気部品４２００は、シングルプリント回路基板アセンブリ（ＰＣＢＡ）４２０２上に取り付けられ得る。一代替形態において、ＲＰＴデバイス４０００は、１つよりも多くのＰＣＢＡ４２０２を含み得る。
【０３１３】
５．４．１  ＲＰＴデバイス機械および空気圧式コンポーネント
ＲＰＴデバイスは、空気圧コンポーネント４１００を含めて、以下のコンポーネントのうち１つ以上を一体ユニット中に含み得る。一代替形態において、以下のコンポーネントのうち１つ以上が、それぞれの別個のユニットとして配置され得る。
【０３１４】
５．４．１．１  空気フィルタ（単数または複数）
本技術の一形態によるＲＰＴデバイスは、空気フィルタ４１１０または複数の空気フィルタ４１１０を含み得る。
【０３１５】
一形態において、入口空気フィルタ４１１２は、圧力生成器４１４０の空気圧経路上流の始まり部に配置される。
【０３１６】
一形態において、出口空気フィルタ４１１４（例えば抗菌ファクタ）は、空気圧ブロック４０２０の出口と、患者インターフェース３０００との間に配置される。
【０３１７】
５．４．１．２  マフラー（単数または複数）
本技術の一形態によるＲＰＴデバイスは、マフラー４１２０または複数のマフラー４１２０を含み得る。
【０３１８】
本技術の一形態において、入口マフラー４１２２は、空気圧経路内において圧力生成器４１４０の上方に配置される。
【０３１９】
本技術の一形態において、出口マフラー４１２４は、空気圧経路内において圧力生成器４１４０と患者インターフェース３０００との間に配置される。
【０３２０】
５．４．１．３  圧力生成器
本技術の一形態において、空気の流れまたは供給を陽圧において生成する圧力生成器４１４０は、制御可能な送風機４１４２である。例えば、送風機４１４２は、１つ以上のインペラを備えたブラシレスＤＣモータ４１４４を含み得る。インペラが、ボリュート内へ配置され得る。送風機は、空気供給の送達を例えば約１２０リットル／分までの速度で、約４ｃｍＨ２Ｏ〜約２０ｃｍＨ２Ｏの範囲の陽圧で、または他の形態において約３０ｃｍＨ２Ｏまで行うことができる。送風機については、以下の特許または特許出願のうちいずれか１つに記載があり得る。本明細書中、同文献全体を参考のため援用する：米国特許第７，８６６，９４４号、米国特許第８，６３８，０１４号、米国特許第８，６３６，４７９号およびＰＣＴ特許出願公開ＷＯ２０１３／０２０１６７。
【０３２１】
圧力生成器４１４０は、治療デバイスコントローラ４２４０の制御下にある。
【０３２２】
他の形態において、圧力生成器４１４０は、ピストン駆動ポンプ、高圧源（例えば、圧縮空気リザーバ）へ接続された圧力調節器、またはベローズであり得る。
【０３２３】
５．４．１．４  アンチスピルバック弁
本技術の一形態において、アンチスピルバック弁４１６０が、加湿器５０００と、空気圧ブロック４０２０との間に配置され得る。アンチスピルバック弁は、水が加湿器５０００から上流に（例えば、送風機のモータ４１４４へ）流れる危険性を低減させるように、構築および配置される。
【０３２４】
５．４．２  ＲＰＴデバイスアルゴリズム
上記したように、本技術のいくつかの形態において、中央制御装置は、非一時的なコンピュータで読出可能な記録媒体（例えば、メモリ）中に記録されたコンピュータプログラムとして表現された１つ以上のアルゴリズムを具現するように構成され得る。このアルゴリズムは、モジュールと呼ばれるグループにグループ付けられることが一般的だ。
【０３２５】
５．５  空気回路
本技術の一態様による空気回路４１７０は、使用時において空気流れが２つのコンポーネント（例えば、ＲＰＴデバイス４０００および患者インターフェース３０００）間に移動するように、構築および配置された導管またはチューブである。
【０３２６】
詳細には、空気回路４１７０は、空気圧ブロック４０２０の出口および患者インターフェースと流体接続し得る。空気回路は、空気送達管と呼ばれ得る。いくつかの場合において、吸息および呼気のための回路の別個の肢があり得る。他の場合において、単一の肢が用いられる。
【０３２７】
いくつかの形態において、空気回路４１７０は、（例えば空気温度の維持または上昇のために）空気回路中の空気を加熱するように構成された１つ以上の加熱要素を含み得る。加熱要素は、加熱ワイヤ回路の形態をとり得、１つ以上の変換器（例えば、温度センサ）を含み得る。一形態において、加熱ワイヤ回路は、空気回路４１７０の軸周囲にらせん状に巻かれ得る。加熱要素は、コントローラ（例えば、中央コントローラ）と連通し得る。加熱ワイヤ回路を含む空気回路４１７０の一実施例について、米国特許出願第８，７３３，３４９号に記載がある。本明細書中、同文献全体を参考のため援用する。
【０３２８】
５．５．１  酸素送達
本技術の一形態において、補充用酸素４１８０が、空気圧経路における１つ以上のポイント（例えば、空気圧ブロック４０２０の上流）、空気回路４１７０および／または患者インターフェース３０００へ送達され得る。
【０３２９】
５．６  加湿器
５．６．１  加湿器の概要
本技術の一形態において、患者へ送達されるべき空気またはガスの絶対湿度を周囲空気に相対して変化させるための加湿器５０００が提供される（例えば、図５Ａに示すようなもの）。典型的には、加湿器５０００は、患者気道へ送達される前に空気流れの（周囲空気に相対する）絶対湿度を増加させかつ温度を増加させるために、用いられる。
【０３３０】
加湿器５０００は、加湿器リザーバ５１１０と、空気流れを受容する加湿器入口５００２と、加湿された空気流れを送達させるための加湿器出口５００４とを含み得る。図５Ａおよび図５Ｂに示すようないくつかの形態において、加湿器リザーバ５１１０の入口および出口はそれぞれ、加湿器入口５００２および加湿器出口５００４であり得る。加湿器５０００は、加湿器ベース５００６をさらに含み得る。加湿器ベース５００６は、加湿器リザーバ５１１０を受容するように適合され得、加熱要素５２４０を含み得る。
【０３３１】
５．６．１．１  伝導性部位
１つの配置によれば、リザーバ５１１０は、加熱要素５２４０からリザーバ５１１０中の一定量の液体への効率的な熱伝達を可能にするように構成された伝導性部位５１２０を含む。一形態において、伝導性部位５１２０はプレートとして配置され得るが、他の形状も適切であり得る。伝導性部位５１２０の全体または一部は、アルミニウムなどの熱伝導性材料（例えば、厚さおよそ２ｍｍ（例えば、１ｍｍ、１．５ｍｍ、２．５ｍｍまたは３ｍｍ））、別の熱伝導金属また何らかのプラスチックによって構成され得る。いくつかの場合において、適切な熱伝導性が、適切なジオメトリのより低伝導性の材料により、達成され得る。
【０３３２】
５．６．１．２  加湿器リザーバドック
一形態において、加湿器５０００は、加湿器リザーバ５１１０を受容するように構成された（図５Ｂに示すような）加湿器リザーバドック５１３０を含み得る。いくつかの配置において、加湿器リザーバドック５１３０は、ロック機能を含み得る（例えば、リザーバ５１１０を加湿器リザーバドック５１３０内に保持するように構成されたロックレバー５１３５）。
【０３３３】
５．６．１．３  水位インジケータ
加湿器リザーバ５１１０は、図５Ａ〜図５Ｂに示すような水位インジケータ５１５０を含み得る。いくつかの形態において、水位インジケータ５１５０は、加湿器リザーバ５１１０中の水の量についての１つ以上の兆候を患者１０００または介護者などのユーザへ提供し得る。水位インジケータ５１５０から提供されるこれら１つ以上の兆候は、最大の所定量の水、その任意の一部の通知を含み得る（例えば、２５％、５０％または７５％または量（例えば、２００ｍｌ、３００ｍｌまたは４００ｍｌ））。
【０３３４】
５．７  用語集
本技術の開示目的のため、本技術の特定の形態において、以下の定義のうち１つ以上が適用され得る。本技術の他の形態において、別の定義も適用され得る。
【０３３５】
５．７．１  一般
空気：本技術の特定の形態において、空気は大気を意味し得、本技術の他の形態において、空気は、他の呼吸可能なガスの組み合わせ（例えば、酸素を豊富に含む大気）を意味し得る。
【０３３６】
雰囲気：本技術の特定の形態において、「雰囲気」という用語は、（ｉ）治療システムまたは患者の外部、および（ｉｉ）治療システムまたは患者を直接包囲するものを意味するものとしてとられるべきである。
【０３３７】
例えば、加湿器に対する雰囲気湿度とは、加湿器を直接包囲する空気の湿度であり得る（例えば、患者が睡眠をとっている部屋の内部の湿度）。このような雰囲気湿度は、患者が睡眠をとっている部屋の外部の湿度と異なる場合がある。
【０３３８】
別の実施例において、雰囲気圧力は、身体の直接周囲または外部の圧力であり得る。
【０３３９】
特定の形態において、雰囲気（例えば、音響）ノイズは、例えばＲＰＴデバイスから発生するかまたはマスクまたは患者インターフェースから発生するノイズ以外の、患者の居る部屋の中の背景ノイズレベルとみなすことができる。雰囲気ノイズは、部屋の外の発生源から発生し得る。
【０３４０】
自動的な気道陽圧（ＡＰＡＰ）療法：ＳＤＢ発症の兆候の存在または不在に応じて、例えば、呼吸間に最小限界と最大限界との間で治療圧力を自動的に調節することが可能なＣＰＡＰ療法。
【０３４１】
持続的気道陽圧（ＣＰＡＰ）療法：治療圧力が患者の呼吸サイクルを通じてほぼ一定である呼吸圧療法。いくつかの形態において、気道への入口における圧力は、呼息時において若干上昇し、吸息時において若干低下する。いくつかの形態において、圧力は、患者の異なる呼吸サイクル間において変動する（例えば、部分的な上気道閉塞の兆候の検出に応答して増加され、部分的な上気道閉塞の通知の不在時において低減される）。
【０３４２】
流量：単位時間あたりに送出される空気の瞬時の量（または質量）。流量とは、瞬間の量を指し得る。場合によっては、流量について言及した場合、スカラー量（すなわち、大きさのみを有する量）を指す。他の場合において、流量について言及した場合、ベクトル量（すなわち、大きさおよび方向両方を持つ量）を指す。流量には、符号Ｑが付与され得る。「流量」を簡略的に「流れ」もしくは「気流」と呼ぶ場合もある。
【０３４３】
患者の呼吸の実施例において、流量は、患者の呼吸サイクルの吸気部分に対してノミナルに陽圧であり得るため、患者の呼吸サイクルの呼気部分に対して負であり得る。合計流量Ｑｔは、ＲＰＴデバイスから退出する空気の流量である。通気流量Ｑｖは、吐き出されたガスの流出を可能にするために通気孔から退出する空気の流量である。漏洩流量Ｑｌは、患者インターフェースシステムまたは他の場所からの漏洩の流量である。呼吸流量Ｑｒは、患者の呼吸器系中に受容される空気の流量である。
【０３４４】
加湿器：「加湿器」という単語は、患者の医療呼吸状態を改善するために治療上有益な量の水（Ｈ２Ｏ）蒸気を空気流れへ提供することが可能な物理的構造を備えて構築、配置または構成された加湿装置を意味するものとして解釈される。
【０３４５】
漏洩：「漏洩」という用語は、意図しない空気流れとしてとられる。一実施例において、漏洩は、マスクと患者の顔との間のシールが不完全であることに起因して発生し得る。別の実施例において、漏洩は、周囲に対する回りエルボーにおいて発生し得る。
【０３４６】
ノイズ伝導（音響）：本文書において、伝導ノイズとは、空気圧式経路（例えば、空気回路および患者インターフェースおよびその内部の空気）によって患者へ搬送されるノイズを指す。一形態において、伝導ノイズは、空気回路の端部における音圧レベルを測定することにより、定量化され得る。
【０３４７】
ノイズ放射（音響）：本文書において、放射ノイズとは、周囲空気によって患者へ搬送されるノイズを指す。一形態において、放射ノイズは、当該対象の音響パワー／圧力レベルをＩＳＯ３７４４に従って測定することにより、定量化され得る。
【０３４８】
ノイズ通気（音響）：本文書において、通気ノイズとは、任意の通気（例えば、患者インターフェース中の通気穴）を通じた空気流れにより生成されるノイズを指す。
【０３４９】
患者：呼吸器疾患に罹患しているかまたはしていない人。
【０３５０】
圧力：単位面積あたりの力。圧力は、多様な単位で表現され得る（例えば、ｃｍＨ２Ｏ、ｇ−ｆ／ｃｍ２、及びヘクトパスカル）。１ｃｍＨ２Ｏは、１ｇ−ｆ／ｃｍ２に等しく、およそ０．９８ヘクトパスカルである。本明細書において、他に明記無き限り、圧力はｃｍＨ２Ｏの単位で付与される。
【０３５１】
患者インターフェース中の圧力には記号Ｐｍが付与され、現時点においてマスク圧力Ｐｍが達成すべき目標値を表す治療圧力には記号Ｐｔが付与される。
【０３５２】
呼吸圧力治療（ＲＰＴ）：雰囲気に対して典型的には陽圧である治療圧力における空気供給の気道入口への付加。
【０３５３】
人工呼吸器：患者が呼吸動作の一部または全てを行い際に圧力補助を提供する機械的デバイス。
【０３５４】
５．７．１．１  材料
シリコーンまたはシリコーンエラストマー：合成ゴム。本明細書において、シリコーンについて言及される場合、液体シリコーンゴム（ＬＳＲ）または圧縮成形シリコーンゴム（ＣＭＳＲ）を指す。市販のＬＳＲの一形態として、Ｄｏｗ  Ｃｏｒｎｉｎｇによって製造されるＳＩＬＡＳＴＩＣ（この登録商標下において販売される製品群に含まれる）がある。別のＬＳＲ製造業者として、Ｗａｃｋｅｒがある。他に逆の明記無き限り、例示的形態のＬＳＲのＡＳＴＭＤ２２４０によって測定した場合のショアＡ（またはタイプＡ）押込み硬さは、約３５〜約４５である。
【０３５５】
ポリカーボネート：ビスフェノールＡカーボネートの熱可塑性ポリマーである。
【０３５６】
５．７．１．２  機械的特性
弾性：弾性変形時にエネルギーを吸収することおよび除荷時にエネルギーを解放することが可能な材料の能力。
【０３５７】
弾性のある：除荷時に実質的に全てのエネルギーを解放する。例えば特定のシリコーンおよび熱可塑性エラストマーを含む。
【０３５８】
硬度：材料自体の変形に抵抗する能力（例えば、ヤング係数または規格化されたサンプルサイズ上において測定された押込硬さスケールによって記述されたもの）。
「軟性」材料は、シリコーンまたは熱可塑性エラストマー（ＴＰＥ）を含み得、例えば指圧力下において容易に変形し得る。
「硬質」材料は、ポリカーボネート、ポリプロピレン、鋼またはアルミニウムを含み得、例えば指圧力下において容易に変形し得ない。
【０３５９】
構造または構成要素の剛度（または剛性）：構造または構成要素が負荷を受けたときに変形に抵抗する能力。負荷は、力またはモーメントであり得る（例えば、圧縮、伸張、屈曲またはねじれ）。構造または構成要素は、異なる方向において異なる抵抗を提供し得る。
【０３６０】
フロッピー構造または構成要素：自重を支持させられた際に比較的短期間（例えば、１秒）以内に形状を変化させる（例えば、屈曲する）構造または構成要素。
【０３６１】
剛性の構造または構成要素：使用時において典型的に遭遇する負荷を受けた際に実質的に形状変化の無い構造または構成要素。このような用途の実施例として、患者インターフェースを例えばおよそ２０〜３０ｃｍＨ２Ｏの圧力の負荷において患者気道入口に対して密閉した様態でセットアップおよび維持することがあり得る。
【０３６２】
一実施例として、Ｉ形ばりは、第２の直交方向と比較した第１の方向において、異なる曲げ剛性（曲げ負荷に対する抵抗）を含み得る。別の実施例において、構造または構成要素は、第１の方向においてはフロッピーであり得、第２の方向においては剛性であり得る。
【０３６３】
５．７．２  呼吸サイクル
無呼吸：いくつかの定義によれば、無呼吸とは、所定の閾値を下回った流れが例えば１０秒間の継続期間にわたって継続した場合に発生したと言われる。閉塞性無呼吸とは、患者の労作にもかかわらず、何らかの気道閉塞により空気の流れが許されないときに発生すると言われる。中枢性無呼吸とは、気道が開通しているにも関わらず呼吸努力の低下または呼吸努力の不在に起因して無呼吸が検出された状態を指すと言われる。混合無呼吸とは、呼吸努力の低下または不在が気道閉塞と同時発生した状態を指すと言われる。
【０３６４】
５．７．３  解剖学的構造
５．７．３．１  顔の解剖学的構造
翼（Ａｌａ）：外部の外壁または各鼻穴の「翼」（複数形：ａｌａｒ）
【０３６５】
Ａｌａｒｅ：鼻翼上の最外側の点。
【０３６６】
翼曲率（または鼻翼頂上）点：各翼の曲線状基準線における最後方点であり、翼および頬の結合によって形成される折り目において見受けられる。
【０３６７】
耳介：耳の視認できる部分全体。
【０３６８】
（鼻）骨格：鼻の骨格は、鼻骨、上顎骨の前頭突起および前頭骨の鼻部分を含む。
【０３６９】
（鼻）軟骨格：鼻の軟骨格は、中隔軟骨、外側軟骨、大軟骨および小軟骨を含む。
【０３７０】
鼻柱：鼻孔を分離する皮膚片であり、鼻尖点から上唇へ延びる。
【０３７１】
鼻柱角度：鼻穴の中点を通じて引かれる線と、鼻下点と交差しつつフランクフルト水平に対して垂直に引かれる線との間の角度。
【０３７２】
フランクフォート水平面：眼窩縁の最下側点から左耳点へ延びる線。耳点は、ノッチ上側から耳介の耳珠への最も深い点である。
【０３７３】
眉間：軟組織中に配置され、前額部の正中矢状において最も顕著な点。
【０３７４】
外側鼻軟骨：軟骨の概して三角形の板。その上側周縁は鼻骨および上顎骨の前頭突起へ取り付けられ、その下側周縁は大鼻翼軟骨へ接続される。
【０３７５】
大鼻翼軟骨：軟骨の板であり、外側鼻軟骨の下側に配置される。これは、鼻孔の前方部分の周囲において曲線状になる。その後端は、３つまたは４つの翼の小軟骨を含む強靱な線維膜により、上顎骨の前頭突起へ接続される。
【０３７６】
鼻孔（鼻穴）：概して楕円体の翼穴であり、鼻腔への入口を形成する。鼻孔（ｎａｒｅｓ）の単数形は鼻孔（ｎａｒｉｓ）（鼻穴）である。これらの鼻孔は、鼻中隔によって分離される。
【０３７７】
鼻唇溝または鼻唇折り目：皮膚の折り目または溝であり、鼻の各側から口腔の角部へ延びて、頬を上唇から分離させる。
【０３７８】
鼻唇角：鼻柱と上唇との間の角度であり、鼻下点と交差する。
【０３７９】
下耳底点：耳介の顔の皮膚への取り付けの最低点。
【０３８０】
上耳底点：耳介の顔の皮膚への取り付けの最高点。
【０３８１】
鼻尖点：鼻の最も突出した点または先端であり、頭部の部分の残り部分の側面図中に確認され得る。
【０３８２】
人中：鼻中隔の下側境界から上唇領域中の唇の上部へ延びる正中線溝。
【０３８３】
ポゴニオン：軟組織上に配置された、顎の最前方中点。
【０３８４】
（鼻）堤：鼻堤は、鼻の正中線隆起であり、セリオンから鼻尖点へ延びる。
【０３８５】
矢状面：前方（前）から後方（後）へ続く垂直面である。正中矢状面は、右半分および左半分に分割する矢状面である。
【０３８６】
セリオン：軟組織上に配置された、前頭鼻骨縫合の領域上の最も凹状の点である。
【０３８７】
中隔軟骨（鼻）：鼻中隔軟骨は、隔膜の一部であり、鼻腔の前部分を分割する。
【０３８８】
鼻翼最下点：翼ベースの下側周縁における点であり、翼ベースは上（上）唇の皮膚と接合する。
【０３８９】
鼻下点：軟組織上に配置され、鼻柱が正中矢状における上唇と合体する点。
【０３９０】
スプラメントン：下唇中点と軟組織ポゴニオンとの間の下唇の正中線中の最も凹状の点。
【０３９１】
５．７．３．２  頭蓋骨の解剖学的構造
前頭骨：前頭骨は、前額部として知られる領域に対応する大型垂直部分である前頭鱗を含む。
【０３９２】
下顎骨：下顎骨は、下側顎部を形成する。オトガイ隆起は、顎部の骨隆起であり、顎を形成する。
【０３９３】
上顎骨：上顎骨は、上側顎部を形成し、下顎骨の下側および眼窩の下側に配置される。上顎骨の前頭突起は、鼻の側部によって上方に突出し、その外側境界の部分を形成する。
【０３９４】
鼻骨：鼻骨は、２つの小さな長方形骨であり、個人によってサイズおよび形態が異なる。鼻骨は、顔の中間部分および上部分に並んで配置され、その接合により鼻の「ブリッジ」を形成する。
【０３９５】
鼻根点：前頭骨および２本の鼻骨の交差であり、眼と鼻のブリッジの上側との間に直接設けられた凹領域である。
【０３９６】
後頭骨：後頭骨は、頭蓋の裏および下側部分に配置される。後頭骨は、楕円穴である大後頭孔を含み、この穴を通じて、頭蓋内腔が椎管と連痛する。大後頭孔の後側の曲面板は、後頭鱗である。
【０３９７】
眼窩：頭蓋骨中の骨空洞であり、眼球を含む。
【０３９８】
頭頂骨：頭頂骨は、相互に接合されると頭蓋の頂部および側部を形成する骨である。
【０３９９】
側頭骨：側頭骨は、頭蓋骨のベースおよび側部上に配置され、こめかみとして知られる顔の部分を支持する。
【０４００】
頬骨：顔に含まれる２つの頬骨は、顔の上側部分および外側部分中に配置され、頬の隆起を形成する。
【０４０１】
５．７．３．３  呼吸器系の解剖学的構造
横隔膜：シート状の筋肉であり、胸郭下部上に延びる。横隔膜は、心臓、肺および肋骨を含む胸腔を腹腔から分離させる。横隔膜が収縮すると、胸腔の容量が増加し、肺中に空気が引き込まれる。
【０４０２】
喉頭：声帯ひだを収容する喉頭または発声器であり、咽頭の下部（下咽頭）を気管へ接続させる。
【０４０３】
肺：ヒトにおける呼吸臓器。肺の伝導性ゾーンは、気管、気管支、気管支、および終末細気管支を含む。呼吸領域は、呼吸細気管支、肺胞管および肺胞を含む。
【０４０４】
鼻腔：鼻腔（または鼻窩）は、顔の中央の鼻の上方および後方の空気が充填された大きな空間である。鼻腔は、鼻中隔と呼ばれる垂直フィンによって２つに分割される。鼻腔の側部には、鼻甲介または鼻介骨と呼ばれる３つの水平伸長物がある。鼻腔の前方には鼻があり、後方は後鼻孔を介して鼻咽頭内に繋がる。
【０４０５】
咽頭：鼻腔の直接下側（下方）に配置されかつ食道および喉頭の上方に配置された咽喉の部分。咽頭は、従来から以下の３つの部分へ区分される：鼻咽頭（上咽頭）（咽頭の鼻部分）、口咽頭（中咽頭）（咽頭の口部分）、および咽喉（下咽頭）。
【０４０６】
５．７．４  患者インターフェース
窒息防止弁（ＡＡＶ）：マスクシステムの構成要素またはサブアセンブリであり、フェールセーフ様態での雰囲気中への開口により、患者による過度のＣＯ２の再呼吸の危険性を低減させる。
【０４０７】
エルボー：エルボーは、内部を移動する空気の流れの軸を方向付けて、角度を通じて方向を変化させる構造の実施例である。一形態において、角度はおよそ９０度であり得る。別の形態において、角度は、９０度超過または未満であり得る。エルボーは、ほぼ円形の断面を持ち得る。別の形態において、エルボーは、楕円または矩形の断面を持ち得る。特定の形態において、エルボーは、噛み合い構成要素に対して例えば約３６０度で回転可能であり得る。特定の形態において、エルボーは、噛み合いコンポーネントから例えばスナップ接続を介して取り外すことが可能であり得る。特定の形態において、エルボーは、製造時にワンタイムスナップを介して噛み合いコンポーネントへ組み付けることが可能である一方、患者が取り外すことはできない。
【０４０８】
フレーム：フレームは、ヘッドギアを接続する２つ以上の点間の引張荷重を支持するマスク構造を意味するものとしてとられる。マスクフレームは、マスク中の非気密負荷支持構造であり得る。しかし、いくつかの形態のマスクフレームは、気密であってもよい。
【０４０９】
ヘッドギア：ヘッドギアは、頭部上において使用されるように設計された、一形態の位置決めおよび安定化構造を意味するものとしてとられる。例えば、ヘッドギアは、患者インターフェースを呼吸治療の送達のために患者の顔上の所定位置に配置および保持するように構成された１つ以上の支柱、タイおよび補剛材の集合を含み得る。いくつかのタイは、柔らかい可撓性の弾性材料（例えば、発泡材料および布地の層状複合材）によって形成される。
【０４１０】
膜：膜は、典型的には肉薄の要素を意味するものとしてとられ、好適には屈曲に対して実質的に抵抗せずかつ伸縮に対しては抵抗する。
【０４１１】
プレナムチャンバ：マスクプレナムチャンバは、空間の容積を少なくとも部分的に封入する壁を有する患者インターフェースの一部を意味するものとしてとられ、容積中の空気は、加圧されて使用時において気圧を超える。シェルは、マスクプレナムチャンバの壁の一部を形成し得る。
【０４１２】
シール：名詞（「シール」）として用いられる場合は構造を指し得、動詞（「密閉（する）」）として用いられる場合はその効果を指し得る。２つの要素は、別個の「シール」要素自体を必要とすることなく両者間において「シール」するかまたは「密閉」効果を得るように、構築および／または配置され得る。
【０４１３】
シェル：シェルは、屈曲、引っ張りおよび圧縮剛性を有する曲線状の比較的肉薄構造を意味するものとしてとられる。例えば、マスクの曲線状構造壁は、シェルであり得る。いくつかの形態において、シェルはファセットされ得る。いくつかの形態において、シェルは気密であり得る。いくつかの形態において、シェルは気密でない場合もある。
【０４１４】
補剛材：補剛材は、別の構成要素の剛軟度を少なくとも１つの方向において増加させるように設計された構造構成要素を意味するものとしてとられる。
【０４１５】
支柱：支柱は、別の構成要素の圧縮抵抗を少なくとも１つの方向において増加させるように設計された構造構成要素を意味するものとしてとられる。
【０４１６】
スイベル（名詞）：構成要素のサブアセンブリであり、共通軸の周囲において好適には独立して好適には低トルク下において回転するように構成される。一形態において、スイベルは、少なくとも３６０度の角度で回転するように構成され得る。別の形態において、スイベルは、３６０度未満の角度で回転するように構成され得る。空気送達導管の文脈において用いられる場合、構成要素のサブアセンブリは好適には、一対組み合わせの円筒導管を含む。使用時において、スイベルからの空気流れの漏れはほとんど無い。
【０４１７】
タイ（名詞）：張力に抵抗するように設計された構造。
【０４１８】
通気部：（名詞）：マスクまたは導管の内部の周囲空気への空気流れを可能にする構造であり、吐き出されたガスの臨床的に有効な洗い流しを可能にする。例えば、臨床的に有効な洗い流しにおいては、約１０リットル／分〜約１００リットル／分の流量がマスク設計および治療圧力に応じて用いられ得る。
【０４１９】
５．７．５  構造の形状
本技術による製品は、１つ以上の三次元機械構造（例えば、マスククッションまたはインペラ）を含み得る。三次元構造は、二次元表面によって制限され得る。これらの表面は、関連付けられた表面の方向、位置、機能または他の何らかの特性を記述するためのラベルを用いて区別され得る。例えば、構造は、前表面、後表面、内面および外面のうち１つ以上を含み得る。別の実施例において、シール形成構造は、顔接触（例えば、外側の）表面と、別個の非顔接触（例えば、下側または内側の）表面を含み得る。別の実施例において、構造は、第１の表面および第２の表面を含み得る。
【０４２０】
三次元構造の形状および表面の説明を容易にするために、構造の表面を通じた点ｐにおける断面について先ず検討する。図３Ｂ〜図３Ｆを参照されたい。図３Ｂ〜図３Ｆは、表面上における点ｐにおける断面例と、その結果得られる平面曲線の例とを示す。図３Ｂ〜図３Ｆは、ｐにおける外向き法線ベクトルも示す。ｐにおける外向き法線ベクトルは、表面から離隔方向に延びる。いくつかの実施例において、架空の小さな人が表面上に直立している観点から、この表面について説明する。
【０４２１】
５．７．５．１  一次元における曲率
ｐにおける平面曲線の曲率は、符号（例えば、正、負）および大きさ（例えば、ｐにおいて曲線に接する円形の１／半径）を持つものとして記述され得る。
【０４２２】
正の曲率：ｐにおける曲線が外向き法線に向かって曲がる場合、その点における曲率は、正の値を持つものとしてとられる（この架空の小さな人が点ｐから立ち去る場合、上り坂を歩行する必要がある）。図３Ｂ（図３Ｃと比較して比較的大きな正の曲率）および図３Ｃ（図３Ｂと比較して比較的小さな正の曲率）を参照されたい。このような曲線を、凹状と呼ぶことが多い。
【０４２３】
ゼロ曲率：ｐにおける曲線が直線である場合、曲率はゼロとしてとられる（この架空の小さな人が点ｐから立ち去る場合、上向きでも下向きでもない水平面を歩行することができる）。図３Ｄを参照されたい。
【０４２４】
負の曲率：ｐにおける曲線が外向き法線から離隔方向に曲がる場合、その点およびその方向における曲率は、負の値を持つものとしてとられる（この架空の小さな人が点ｐから立ち去る場合、下り坂を歩行する必要がある）。図３Ｅ（図３Ｆと比較して比較的小さな負の曲率）および図３Ｆ（図３Ｅと比較して比較的大きな負の曲率）を参照されたい。このような曲線は、凸状と呼ばれることが多い。
【０４２５】
５．７．５．２  二次元表面の曲率
本技術による二次元表面上の所与の点における形状の記述は、複数の垂直断面を含み得る。複数の断面は、外向き法線（「法平面」）を含む面において表面を切断し得、各断面は、異なる方向においてとられ得る。各断面の結果、対応する曲率を有する平面曲線が得られる。その点における異なる曲率は、同一符号または異なる符号を持ち得る。その点における曲率はそれぞれ、（例えば、比較的小さな）大きさを有する。図３Ｂ〜図３Ｆ中の平面曲線は、特定の点におけるこのような複数の断面の例であり得る。
【０４２６】
主要な曲率および方向：曲線の曲率が最大値および最小値をとる法平面の方向を主要な方向と呼ぶ。図３Ｂ〜図３Ｆの実施例において、最大曲率は図３Ｂにおいて発生し、最小は図３Ｆにおいて発生するため、図３Ｂおよび図３Ｆは、主要な方向における断面である。ｐにおける主要な曲率は、主要な方向における曲率である。
【０４２７】
表面の領域：表面上の連結された点の集合。領域内のこの１組の点は、類似の特性（例えば、曲率または符号）を持ち得る。
【０４２８】
鞍状領域：（上り坂または下り坂を歩行し得る架空の人が向く方向に応じて）各点において主要な曲率が反対の符号（すなわち、片方が正の符号および他方が負の符号）を有する領域。
【０４２９】
ドーム領域：各点において主要な曲率が同一符号（双方とも正（「凹状ドーム」）または双方とも負（「凸状ドーム」））を持つ領域。
【０４３０】
円筒領域：１つの主要な曲率がゼロ（または例えば製造交差内のゼロ）をとり、他方の主要な曲率が非ゼロである領域。
【０４３１】
平面領域：主要な曲率双方がゼロであるか（または例えば製造交差内のゼロである）表面の領域。
【０４３２】
表面の縁部：表面または領域の境界または限界。
【０４３３】
経路：本技術の特定の形態において、「経路」は、数学的−トポロジー的意味合いにおける経路（例えば、表面上におけるｆ（０）からｆ（１）への連続空間曲線）を意味するものとしてとられる。本技術の特定の形態において、「経路」は、例えば表面上の１組の点を含むルートまたはコースとして記述され得る。（架空の人の経路は、表面上において歩行する場所であり、庭の経路に類似する）。
【０４３４】
経路長さ：本技術の特定の形態において、「経路長さ」とは、表面に沿ったｆ（０）からｆ（１）への距離（すなわち、表面上の経路に沿った距離）を指すものとしてとられる。表面上の２つの点間において１つよりも多くの経路があり得、このような経路は、異なる経路長さを持ち得る。（架空の人の経路長さは、表面上を経路に沿って歩行する距離である）。
【０４３５】
直線距離：直線距離は、表面上の２つの点間の距離であるが、表面は考慮しない。平面領域上において、表面上の２つの点間の直線距離と同一の経路長さを有する表縁上の距離がある。非平面表面上において、２つの点間の直線距離と同一の経路長さを有する経路は存在し得ない。（架空の人にとって、直線距離は、「カラスが飛ぶ」距離に対応する）。
【０４３６】
５．７．５．３  空間曲線
空間曲線：平面曲線と異なり、空間曲線は、任意の特定の平面内に必ずしも存在しない。空間曲線は閉鎖され得る。すなわち、終点を有さない。空間曲線は、三次元空間の一次元ピースとみなされ得る。ＤＮＡ螺旋の鎖上を歩行している架空の人物は、空間曲線に沿って歩行する。典型的なヒトの左耳は、左手螺旋を含む（図３Ｑを参照）。典型的なヒトの右耳は、右手螺旋を含む（図３Ｒを参照）。図３Ｓは、右手螺旋を示す。構造の縁部（例えば、膜またはインペラの縁部）は、空間曲線をたどり得る。一般的に、空間曲線は、空間曲線上の各点における曲率およびねじれによって記述され得る。ねじれとは、平面から発生する曲線の様態の尺度である。ねじれは、符号および大きさを有する。空間曲線上の点におけるねじれは、当該点における接線ベクトル、法線ベクトルおよび従法線ベクトルに対して特徴付けられ得る。
【０４３７】
接線単位ベクトル（または単位接線ベクトル）：曲線上の各点について、当該点におけるベクトルは、当該点からの方向および大きさを指定する。接線単位ベクトルとは、当該点における曲線と同じ方向を向く単位ベクトルである。架空の人物が曲線に沿って飛行しており、特定の点において自身の車両から落ちた場合、接線ベクトルの方向は、その人物が移動しているはずの方向である。
【０４３８】
単位法線ベクトル：架空の人物が曲線に沿って移動している場合、この接線ベクトルそのものが変化する。接線ベクトルが変化している方向と同じ方向を向く単位ベクトルは、単位主法線ベクトルと呼ばれる。これは、接線ベクトルに対して垂直である。
【０４３９】
従法線単位ベクトル：従法線単位ベクトルは、接線ベクトルおよび主法線ベクトル双方に対して垂直である。その方向は、右手の法則（例えば図３Ｐを参照）または表すあるいは左手の法則（図３Ｏ）によって決定され得る。
【０４４０】
接触平面：単位接線ベクトルおよび単位主法線ベクトルを含む平面。図３Ｏおよび図３Ｐを参照されたい。
【０４４１】
空間曲線のねじれ：空間曲線の点におけるねじれとは、当該点における従法線単位ベクトルの変化速度の大きさである。これは、曲線の接触平面からの逸脱の程度を測定する。平面内にある空間曲線のねじれはゼロである。空間曲線の接触平面からの逸脱が比較的少量である場合、その空間曲線のねじれの大きさは比較的小さい（例えば、緩やかに傾斜する螺旋状経路）。空間曲線の接触平面からの逸脱が比較的大量である場合、その空間曲線のねじれの大きさは比較的大きい（例えば、急勾配に傾斜する螺旋状経路）。図３Ｓを参照して、Ｔ２＞Ｔ１であるため、図３Ｓの螺旋の最上部コイルの近隣のねじれの大きさは、図３Ｓの螺旋の最下部コイルのねじれの大きさよりも大きい。
【０４４２】
図３Ｐの右手の法則を参照して、右手従法線の方向に向かって曲がる空間曲線は、右手方向に正のねじれとしてみなされ得る（例えば、図３Ｓに示すような右手螺旋）。右手従法線方向から離隔方向を向く空間曲線は、右手の負のねじれを持つものとしてみなされ得る（例えば、左手螺旋）。
【０４４３】
同様に、左手の法則（図３Ｏを参照）を参照して、左手従法線方向を向く空間曲線は、左手の正のねじれ（例えば、左手螺旋）を持つものとしてみなされ得る。よって、左手の正の方向は、右手の負の方向に相当する。図３Ｔを参照されたい。
【０４４４】
５．７．５．４  穴
表面は、一次元穴を持ち得る（例えば、平面曲線または空間曲線によって境界付けられた穴）。穴を含む肉薄構造（例えば、膜）の場合、この構造は、一次元穴を有するものとして記述され得る。例えば、図３Ｉに示す構造の表面中の一次元穴が平面曲線によって境界付けられる様子を参照されたい。
【０４４５】
構造は、二次元穴（例えば、表面によって境界付けられた穴）を持ち得る。例えば、可膨張性タイヤは、タイヤ内面によって境界付けられた二次元穴を有する。別の実施例において、空気またはゲルのための空洞を備えたブラダーは、二次元穴を持ち得る。例えば図３Ｌのクッション、および二次元穴を境界付ける内面が示される図３Ｍおよび図３Ｎにおける図３Ｌの例示的断面を参照されたい。さらに別の実施例において、導管は、（例えばその入口またはその出口において）一次元穴を含み得、導管の内面によって境界付けられた二次元穴を含み得る。図３Ｋに示す構造を通じておりかつ図示のように表面によって境界付けられた二次元穴も参照されたい。
【０４４６】
５．８  他の注意事項
他に文脈から明確に分かる場合および一定の範囲の値が提供されていない限り、下限の単位の１／１０、当該範囲の上限と下限の間、および記載の範囲の他の任意の記載の値または介入値に対する各介入値は本技術に包含されることが理解される。介入範囲中に独立的に含まれるこれらの介入範囲の上限および下限が記載の範囲における制限を特に超えた場合も、本技術に包含される。記載の範囲がこれらの制限のうち１つまたは双方を含む場合、これらの記載の制限のいずれかまたは双方を超える範囲も、本技術に包含される。
【０４４７】
さらに、本明細書中に値（単数または複数）が本技術の一部として具現される場合、他に明記無き限り、このような値が近似され得、実際的な技術的実行が許容または要求する範囲まで任意の適切な有効桁までこのような値を用いることが可能であると理解される。
【０４４８】
他に明記しない限り、本明細書中の全ての技術用語および科学用語は、本技術が属する分野の当業者が一般的に理解するような意味と同じ意味を持つ。本明細書中に記載の方法および材料に類似するかまたは等しい任意の方法および材料を本技術の実践または試験において用いることが可能であるが、限られた数の例示的方法および材料が本明細書中に記載される。
【０４４９】
特定の材料が構成要素の構築に好適に用いられるものとして記載されているが、特性が類似する明白な代替的材料が代替物として用いられる。さらに、それとは反対に記載無き限り、本明細書中に記載される任意および全ての構成要素は、製造可能なものとして理解されるため、集合的にまたは別個に製造され得る。
【０４５０】
本明細書中及び添付の特許請求の範囲において用いられるように、単数形である「ａ」、「ａｎ」および「ｔｈｅ」は、文脈から明らかにそうでないことが示されない限り、その複数の均等物を含む点に留意されたい。
【０４５１】
本明細書中に記載される公開文献は全て、これらの公開文献の対象である方法および／または材料の開示および記載、参考のために援用される。本明細書中に記載の公開文献は、本出願の出願日前のその開示内容のみのために提供するものである。本明細書中のいずれの内容も、本技術が先行特許のためにこのような公開文献に先行していないと認めるものと解釈されるべきではない。さらに、記載の公開文献の日付は、実際の公開文献の日付と異なる場合があり、個別に確認が必要であり得る。
【０４５２】
「ｃｏｍｐｒｉｓｅｓ」および「ｃｏｍｐｒｉｓｉｎｇ」という用語は、要素、構成要素またはステップを非排他的な意味合いで指すものとして解釈されるべきであり、記載の要素、構成要素またはステップが明記されていない他の要素、構成要素またはステップと共に存在、利用または結合され得ることを示す。
【０４５３】
詳細な説明において用いられる見出しは、読者の便宜のためのものであり、本開示または特許請求の範囲全体において見受けられる内容を制限するために用いられるべきではない。これらの見出しは、特許請求の範囲または特許請求の範囲の制限の範囲の解釈において用いられるべきではない。
【０４５４】
本明細書中の技術について、特定の実施例を参照して述べてきたが、これらの実施例は本技術の原理および用途を例示したものに過ぎないことが理解されるべきである。いくつかの場合において、用語および記号は、本技術の実施に不要な特定の詳細を示し得る。例えば、「ｆｉｒｓｔ（第１の）」および「ｓｅｃｏｎｄ（第２の）」（など）という用語が用いられるが、他に明記無き限り、これらの用語は任意の順序を示すことを意図しておらず、別個の要素を区別するために用いられる。さらに、本方法におけるプロセスステップについての記載または例示を順序付けて述べる場合があるが、このような順序は不要である。当業者であれば、このような順序が変更可能でありかつ／またはその態様を同時にまたはさらに同期的に行うことが可能であることを認識する。
【０４５５】
よって、本技術の意図および範囲から逸脱することなく、例示的な実施例において多数の変更例が可能であり、また、他の配置構成が考案され得ることが理解されるべきである。
【符号の説明】
【０４５６】
５．９  参照符号のリスト
１０００  患者
１１００  同床者
３０００  患者インターフェース
３１００  シーリングまたはシール形成構造
３１５０  クレードルクッションモジュール
３１６０  枕クッションモジュール
３１６５  鼻枕
３２００  プレナムチャンバ
３３００  位置決めおよび安定化構造／ヘッドギア
３３０１  管上側部からの力
３３０２  ストラップからの力
３３０３  シーリング力の張力
３３０４  上方管部
３３０５  上側管部の第１の端部
３３０６  上側管部の第２の端部
３３０８  タブ横側の点
３３１０  ストラップ
３３１３  スプリット
３３２０  タブ
３３２１  スリット角度
３３２２  スリット
３３２３  スリットの長さ軸
３３２４  トラフ
３３２５  ストラップ近隣の管に沿った点
３３２６  スリット上端
３３２７  スリット下端
３３２８  タブ表面
３３２９  後側
３３３１  タブ上縁
３３３２  タブ下縁
３３４７  曲線状縁部
３３４８  患者と接触する側
３３４９  患者と接触しない側
３３５０  空気送達管
３３５３  経路
３３５４  経路に対する接線
３３５５  スリット隣接部
３３６２  延長可能な蛇腹構造
３３６３  延長不可能な管部
３３６４  スリーブ
３３７０  隆起部接続部
３３７２  隆起部
３３７３  溝部
３３７４  曲線状の隆起部位
３３７５  直線状隆起部位
３３７６  曲線状の溝部位
３３７７  直線状溝部位
３３８２  内部隆起部
３３８３  内部溝部
３３９０  流体接続開口部
３４００  通気部
３６００  接続ポート
３６１０  エルボー
４０００  ＲＰＴデバイス
４０１０  外部ハウジング
４０１２  上部
４０１４  下部
４０１５  パネル
４０１６  シャーシ
４０１８  ハンドル
４０２０  空気圧ブロック
４１００  空気圧コンポーネント
４１１０  空気フィルタ
４１１２  入口空気フィルタ
４１２２  入口マフラー
４１２４  出口マフラー
４１４０  圧力生成器
４１４２  制御可能な送風機
４１４４  ブラシレスＤＣモータ
４１７０  空気回路
４２００  電気コンポーネント
４２０２  プリント回路基板アセンブリ（ＰＣＢＡ）
４２１０  電気電源
４２２０  入力デバイス
４２７０  変換器
５０００  加湿器
５００２  加湿器入口
５００４  加湿器出口
５００６  加湿器ベース
５１１０  加湿器リザーバ
５１３０  加湿器リザーバドック
５２４０  加熱要素
【図１Ａ】
2021525623.tif 000005
【図１Ｂ】
2021525623.tif 000006
【図１Ｃ】
2021525623.tif 000007
【図２Ａ】
2021525623.tif 000008
【図２Ｂ】
2021525623.tif 000009
【図２Ｃ】
2021525623.tif 000010
【図２Ｄ】
2021525623.tif 000011
【図２Ｅ】
2021525623.tif 000012
【図２Ｆ】
2021525623.tif 000013
【図２Ｇ】
2021525623.tif 000014
【図２Ｈ】
2021525623.tif 000015
【図２Ｉ】
2021525623.tif 000016
【図２Ｊ】
2021525623.tif 000017
【図２Ｋ】
2021525623.tif 000018
【図２Ｌ】
2021525623.tif 000019
【図３Ａ】
2021525623.tif 000020
【図３Ｂ】
2021525623.tif 000021
【図３Ｃ】
2021525623.tif 000022
【図３Ｄ】
2021525623.tif 000023
【図３Ｅ】
2021525623.tif 000024
【図３Ｆ】
2021525623.tif 000025
【図３Ｇ】
2021525623.tif 000026
【図３Ｈ】
2021525623.tif 000027
【図３Ｉ】
2021525623.tif 000028
【図３Ｊ】
2021525623.tif 000029
【図３Ｋ】
2021525623.tif 000030
【図３Ｌ】
2021525623.tif 000031
【図３Ｍ】
2021525623.tif 000032
【図３Ｎ】
2021525623.tif 000033
【図３Ｏ】
2021525623.tif 000034
【図３Ｐ】
2021525623.tif 000035
【図３Ｑ】
2021525623.tif 000036
【図３Ｒ】
2021525623.tif 000037
【図３Ｓ】
2021525623.tif 000038
【図３Ｔ】
2021525623.tif 000039
【図３Ｕ】
2021525623.tif 000040
【図３Ｖ】
2021525623.tif 000041
【図３Ｗ】
2021525623.tif 000042
【図３Ｘ】
2021525623.tif 000043
【図４Ａ】
2021525623.tif 000044
【図４Ｂ】
2021525623.tif 000045
【図５Ａ】
2021525623.tif 000046
【図５Ｂ】
2021525623.tif 000047
【図６Ａ】
2021525623.tif 000048
【図７Ａ】
2021525623.tif 000049
【図７Ｂ】
2021525623.tif 000050
【図８Ａ】
2021525623.tif 000051
【図８Ｂ】
2021525623.tif 000052
【図８Ｃ】
2021525623.tif 000053
【図８Ｄ】
2021525623.tif 000054
【図９Ａ】
2021525623.tif 000055
【図９Ｂ】
2021525623.tif 000056
【図９Ｃ】
2021525623.tif 000057
【図１０Ａ】
2021525623.tif 000058
【図１０Ｂ】
2021525623.tif 000059
【図１０Ｃ】
2021525623.tif 000060
【図１０Ｄ】
2021525623.tif 000061
【図１０Ｅ】
2021525623.tif 000062
【図１０Ｆ】
2021525623.tif 000063
【図１０Ｇ】
2021525623.tif 000064
【図１０Ｈ】
2021525623.tif 000065
【図１０Ｉ】
2021525623.tif 000066
【図１０Ｊ】
2021525623.tif 000067
【図１１Ａ】
2021525623.tif 000068
【図１１Ｂ】
2021525623.tif 000069
【図１１Ｃ】
2021525623.tif 000070
【図１２Ａ】
2021525623.tif 000071
【図１２Ｂ】
2021525623.tif 000072
【図１２Ｃ】
2021525623.tif 000073
【図１２Ｄ】
2021525623.tif 000074
【図１２Ｅ】
2021525623.tif 000075
【図１２Ｆ】
2021525623.tif 000076
【図１３】
2021525623.tif 000077
【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
患者インターフェースであって、
周囲空気圧力を超える少なくとも６ｃｍＨ２Ｏの治療圧力へ加圧可能であるプレナムチャンバであって、前記プレナムチャンバは、治療圧力における空気流れを患者の呼吸のために受容するようなサイズおよび構造にされたプレナムチャンバ入口ポートを含む、プレナムチャンバと
使用時において前記患者の呼吸サイクル全体において空気流れを周囲空気圧力を超える少なくとも６ｃｍＨ２Ｏの治療圧力において密閉送達するために、患者の気道への入口を包囲する患者の面の領域に対してシールを形成するように構築および配置されたシール形成構造であって、前記シール形成構造は、その中に穴を有し、これにより、前記上記治療圧力における空気流れが少なくとも患者の鼻孔への入口に送達され、シール形成構造は、使用時において患者の呼吸サイクル全体において上記治療圧力をプレナムチャンバ内に維持するように構築および配置される、シール形成構造と、
前記シール形成構造を患者頭部上の治療的に有効な位置に保持するための力を提供する位置決めおよび安定化構造であって、前記位置決めおよび安定化構造は、
患者頭部上の接続ポートから空気流れを受容し、空気流れを前記シール形成構造を介して患者の気道の入口へ送達させるための一対のガス送達管であって、前記一対のガス送達管のそれぞれは、使用時に患者頭部の上耳底点の上方の患者頭部の少なくとも一領域と接触するように構築および配置される、一対のガス送達管を含み、それぞれのガス送達管は、
前記ガス送達管の長さに沿って中空内部を規定する管壁と、
前記管壁へ接続されたタブであって、前記タブは、使用時に患者頭部の上耳底点の上方に配置されるように構成される、タブと、
前記タブ中に形成されたスリットであって、前記スリットは使用時において管壁から間隔を空けて後方に配置され、前記スリットは上端および下端を含む、スリットと、
を含み、前記スリットの上端は、前記スリットの下端よりも前記管壁からさらに間隔を空けて配置され、前記スリットは、前記スリットの上端と前記スリットの下端との間において弓状である、
一対のガス送達管と、
使用時において患者頭部の後頭骨の下側に配置されるかまたは患者頭部の後頭骨に配置される患者頭部の領域と接触するように構築および配置されるストラップであって、前記ストラップは、前記スリットへかつ前記スリット間に接続されるように構成される、ストラップと、
を含む、
位置決めおよび安定化構造と、
前記患者が呼気したガスが連続的にプレナムチャンバ内部から周囲へ連続的に流れることを可能にする通気構造であって、前記通気構造は、使用時に前記プレナムチャンバ内の前記治療圧力を維持するようなサイズおよび形状にされる、通気構造と、
を含み、
前記患者インターフェースは、前記プレナムチャンバ入口ポートを通じた加圧空気流れが無い場合に前記患者が自身の口腔を通じて雰囲気から呼吸することを可能にするように構成されるか、あるいは、前記患者インターフェースは、前記患者の口腔を露出させたままにするように構成される、患者インターフェース。
【請求項２】
各タブは、各管壁と共に一体形成される、請求項１に記載の患者インターフェース。
【請求項３】
各タブは、上縁および下縁を有し、上縁は、下縁よりも長尺である、請求項１または２に記載の患者インターフェース。
【請求項４】
前記スリットの下端は、前記管壁から少なくとも５ｍｍだけ間隔を空けて配置される、請求項１〜３のいずれか一項に記載の患者インターフェース。
【請求項５】
前記スリットの下端は、前記管壁から少なくとも７ｍｍだけ間隔を空けて配置される、請求項４に記載の患者インターフェース。
【請求項６】
前記スリットの下端は、前記管壁から少なくとも８ｍｍだけ間隔を空けて配置される、請求項５に記載の患者インターフェース。
【請求項７】
前記スリットの上端は、前記管壁から少なくとも８ｍｍだけ間隔を空けて配置される、請求項１〜６のいずれか一項に記載の患者インターフェース。
【請求項８】
前記スリットの上端は、前記管壁から少なくとも１０ｍｍだけ間隔を空けて配置される、請求項７に記載の患者インターフェース。
【請求項９】
前記スリットの上端は、前記管壁から少なくとも１２ｍｍだけ間隔を空けて配置される、請求項８に記載の患者インターフェース。
【請求項１０】
前記スリットに沿った中点は、前記管壁から５ｍｍ〜３０ｍｍの範囲の間隔だけ空けて配置される、請求項１〜９のいずれか一項に記載の患者インターフェース。
【請求項１１】
前記間隔は、７〜２０ｍｍの範囲内である、請求項１０に記載の患者インターフェース。
【請求項１２】
前記間隔は、８〜１５ｍｍの範囲内である、請求項１１に記載の患者インターフェース。
【請求項１３】
前記間隔は、９〜１１ｍｍの範囲内である、請求項１２に記載の患者インターフェース。
【請求項１４】
前記各ガス送達管は、使用時において各ガス送達管のタブの上方に配置される延長可能な管部と、使用時において各ガス送達管のタブの下方に配置される延長不可能な管部と、を含む、請求項１〜１３のいずれか一項に記載の患者インターフェース。
【請求項１５】
前記各タブは、前記延長不可能な管部において前記各ガス送達管の管壁へ接合される、請求項１４に記載の患者インターフェース。
【請求項１６】
前記各スリットは、ストラップが患者頭部周囲においてアンカー固定されたストラップアンカー領域のスリットからの方向に対して垂直に方向付けられる、請求項１から１５のいずれか一項に記載の患者インターフェース。
【国際調査報告】
2021525623.tif 000078
2021525623.tif 000079
2021525623.tif 000080
2021525623.tif 000081
2021525623.tif 000082
2021525623.tif 000083